(57)【要約】【課題】遊技興趣の低下を抑える遊技機を提供すること。【解決手段】遊技者に有利な有利遊技状態（大当たり遊技状態、高確率状態、時短状態）になることがあり、演出を実行可能な演出制御手段が実行可能な演出として、有利遊技状態になる可能性があることを示唆する特定の予告演出（第２予告演出）と、有利遊技状態になる可能性に応じて異なる演出態様で実行される期待度演出（第１予告演出、第３予告演出）とがあり、期待度演出には、特定の予告演出を表す特定の期待度演出（第３予告演出）がある。【選択図】図５３
2020099808.tif 000002
【特許請求の範囲】
【請求項１】
遊技者に有利な有利遊技状態になることがある遊技機において、
演出を実行可能な演出制御手段を備え、
前記演出制御手段が実行可能な演出として、前記有利遊技状態になる可能性があることを示唆する特定の予告演出と、前記有利遊技状態になる可能性に応じて異なる演出態様で実行される期待度演出とがあり、
前記期待度演出には、前記特定の予告演出を表す特定の期待度演出があることを特徴とする遊技機。
【請求項２】
請求項１に記載の遊技機であって、
前記演出制御手段は、
前記特定の予告演出を、第１のタイミングで実行することがあり、
前記期待度演出を、前記第１のタイミングよりも後の第２のタイミングで実行することがあることを特徴とする遊技機。
【請求項３】
請求項２に記載の遊技機であって、
前記演出制御手段は、前記第１のタイミングで前記特定の予告演出を実行しなかった場合に前記第２のタイミングで前記特定の期待度演出を実行することがあることを特徴とする遊技機。
【発明の詳細な説明】
【技術分野】
【０００１】
本発明は、パチンコ遊技機等の遊技機に関する。
【背景技術】
【０００２】
従来、パチンコ遊技機では、遊技球が始動口に入球することを条件に、大当たりか否かを判定する大当たり判定が行われる。大当たり判定が行われると、大当たり判定結果を報知する特別図柄の変動表示が行われる。特別図柄の変動表示で、大当たり判定の結果が大当たりであるという結果が導出されると、遊技者に有利な遊技状態になる。
【０００３】
特別図柄の変動表示が行われているときには、大当たり判定結果に基づいて特図変動演出が行われ、特図変動演出において、遊技者に有利な遊技状態になる可能性があることを示唆する演出が行われることがある（特許文献１参照）。
【先行技術文献】
【特許文献】
【０００４】
【特許文献１】特開２０１８−８８９９３号公報
【発明の概要】
【発明が解決しようとする課題】
【０００５】
しかしながら、遊技者に有利な遊技状態になる可能性があることを示唆する演出を実行可能な遊技機について、遊技興趣の向上を図るために未だ改善の余地がある。
【課題を解決するための手段】
【０００６】
本発明に係る遊技機は、
遊技者に有利な有利遊技状態になることがある遊技機において、
演出を実行可能な演出制御手段を備え、
前記演出制御手段が実行可能な演出として、前記有利遊技状態になる可能性があることを示唆する特定の予告演出と、前記有利遊技状態になる可能性に応じて異なる演出態様で実行される期待度演出とがあり、
前記期待度演出には、前記特定の予告演出を表す特定の期待度演出があることを特徴とする。
【発明の効果】
【０００７】
本発明によれば、遊技興趣の低下を抑えることが可能である。
【図面の簡単な説明】
【０００８】
【図１】本発明の基本的な実施形態に係るパチンコ遊技機の斜視図である。
【図２】遊技盤ユニットの正面図である。
【図３】（Ａ）は盤可動体の待機状態を説明する正面図、（Ｂ）は盤可動体の移動状態を説明する正面図、（Ｃ）は盤可動体の回転状態を説明する正面図である。
【図４】表示器類の正面図である。
【図５】本発明の基本的な実施形態に係るパチンコ遊技機の背面図である。
【図６】遊技制御基板側の電気的な構成を示すブロック図である。
【図７】演出制御基板側の電気的な構成を示すブロック図である。
【図８】（Ａ）は普図関連判定情報を示す表であり、（Ｂ）は特図関連判定情報を示す表である。
【図９】（Ａ）は当たり判定テーブルの構成例であり、（Ｂ）は普図変動パターン判定テーブルの構成例であり、（Ｃ）は補助遊技制御テーブルの構成例である。
【図１０】（Ａ）は大当たり判定テーブルの構成例であり、（Ｂ）は大当たり図柄種別判定テーブルの構成例であり、（Ｃ）はリーチ判定テーブルの構成例である。
【図１１】特図１変動パターン判定テーブルの構成例である。
【図１２】特図２変動パターン判定テーブルの構成例である。
【図１３】第１先読み判定テーブルの構成例である。
【図１４】第２先読み判定テーブルの構成例である。
【図１５】（Ａ）は大当たり遊技制御テーブルの構成例であり、（Ｂ）は遊技状態設定テーブルの構成例である。
【図１６】（Ａ）はデモ動画の一例を示す図であり、（Ｂ）は設定画面の一例を示す図である。
【図１７】（Ａ）は第１通常用背景画像の一例を示す図であり、（Ｂ）は第２通常用背景画像の一例を示す図であり、（Ｃ）は第３通常用背景画像の一例を示す図であり、（Ｄ）は確変用背景画像の一例を示す図であり、（Ｅ）は時短用背景画像の一例を示す図である。
【図１８】（Ａ）は大当たりオープニング演出の一例を示す図であり、（Ｂ）はラウンド演出の一例を示す図であり、（Ｃ）は大当たりエンディング演出の一例を示す図である。
【図１９】（Ａ）は演出図柄の一例を示す図であり、（Ｂ）は演出図柄表示領域の一例を示す図である。
【図２０】リーチ無しハズレの特図変動演出の一例を表す図である。
【図２１】特図変動演出が開始してからリーチになるまでの一例を表す図である。
【図２２】Ｎリーチの一例を表す図である。
【図２３】Ｌリーチの一例を表す図である。
【図２４】Ｌリーチの一例を表す図であり、図２３の続きである。
【図２５】ＳＰリーチの一例を表す図である。
【図２６】ＳＰリーチの一例を表す図であり、図２５の続きである。
【図２７】ＳＰリーチの一例を表す図であり、図２６の続きである。
【図２８】可動体演出の一例を表す図である。
【図２９】操作演出の一例を表す図である。
【図３０】保留演出の一例を表す図である。
【図３１】保留アイコン変化予告の一例を表す図である。
【図３２】保留アイコン変化予告の一例を表す図である。
【図３３】遊技制御メイン処理のフローチャートである。
【図３４】遊技制御側タイマ割り込み処理のフローチャートである。
【図３５】センサ検知処理のフローチャートである。
【図３６】センサ検知処理のフローチャートであり、図３５の続きを表す図である。
【図３７】普通動作処理のフローチャートである。
【図３８】特別動作処理のフローチャートである。
【図３９】特別図柄待機処理のフローチャートである。
【図４０】特図１変動パターン判定処理のフローチャートである。
【図４１】特別図柄変動処理のフローチャートである。
【図４２】特別図柄確定処理のフローチャートである。
【図４３】演出制御メイン処理のフローチャートである。
【図４４】１ｍｓタイマ割り込み処理のフローチャートである。
【図４５】１０ｍｓタイマ割り込み処理のフローチャートである。
【図４６】受信コマンド解析処理のフローチャートである。
【図４７】受信コマンド解析処理のフローチャートであり、図４６の続きを表す図である。
【図４８】第１予告演出が実行されている様子を表す図である。
【図４９】第２予告演出が実行されている様子を表す図である。
【図５０】第２予告演出が実行されている様子を表す図である。
【図５１】第２予告演出が実行されている様子を表す図である。
【図５２】第２予告演出が実行されている様子を表す図である。
【図５３】第３予告演出が実行されている様子を表す図である。
【図５４】第４予告演出が実行されている様子を表す図である。
【図５５】展開先選択演出を構成する展開先候補提示選択演出が実行されている様子を表す図である。
【図５６】展開先選択演出を構成するハズレ示唆演出が実行されている様子を表す図である。
【図５７】展開先選択演出を構成するリーチ示唆演出が実行されている様子を表す図である。
【図５８】展開先選択演出を構成する第１予告演出示唆演出が実行されている様子を表す図である。
【図５９】展開先選択演出を構成する第２予告演出示唆演出が実行されている様子を表す図である。
【図６０】（Ａ）は第３予告演出実行判定テーブルの構成例、（Ｂ）は第４予告演出実行判定テーブルの構成例、（Ｃ）は第２予告演出実行判定テーブルの構成例、（Ｄ）は第１予告演出実行判定テーブルの構成例である。
【図６１】（Ａ）は第４展開先選択演出実行判定テーブルの構成例、（Ｂ）は第３展開先選択演出実行判定テーブルの構成例、（Ｃ）は第２展開先選択演出実行判定テーブルの構成例、（Ｄ）は第１展開先選択演出実行判定テーブルの構成例である。
【発明を実施するための形態】
【０００９】
＜基本的な実施形態＞
最初に、本発明の遊技機の特徴部分の前提となる本発明の基本的な実施形態を、図面を参照して具体的に説明する。参照される各図において、同一の部分には同一の符号を付し、同一の部分に関する重複する説明を原則として省略する。なお、以下において、記述の簡略化上、情報、信号、物理量又は部材等を参照する記号又は符号を記すことによって、該記号又は符号に対する情報、信号、物理量又は部材等の名称を省略又は略記することがある。
【００１０】
１．遊技機の機械的構成
本発明の遊技機の基本的な実施形態であるパチンコ遊技機ＰＹについて説明する。最初に、パチンコ遊技機ＰＹの機械的構成について図１〜図４を用いて説明する。なお、以下の説明において、パチンコ遊技機ＰＹの各部の左右上下方向は、そのパチンコ遊技機ＰＹに対面する遊技者にとっての（正面視の）左右上下方向のことである。また、「前方」とはパチンコ遊技機ＰＹから当該パチンコ遊技機ＰＹに対面する遊技者に近づく方向とし、「後方」をパチンコ遊技機ＰＹに対面する遊技者から当該パチンコ遊技機ＰＹに近づく方向として、説明する。
【００１１】
図１に示すように、パチンコ遊技機ＰＹは、遊技盤１を含む遊技盤ユニットＹＵと、遊技盤ユニットＹＵを内部に収納した遊技機枠２とを備えている。遊技機枠２は、遊技店に固定される枠状の外枠２１と、外枠２１に取り付けられ、遊技盤ユニットＹＵが取り付けられる内枠２２と、内枠２２に回転自在に支持される前扉２３と、を備える。
【００１２】
外枠２１、内枠２２、および前扉２３の正面視外周形状は大体同一である。そして、外枠２１の前面に内枠２２が取り付けられている。
【００１３】
前扉２３は内枠２２に対して開閉が可能である。前扉２３は、大体中央に略縦長矩形状の大きな開口部が形成された枠状の前枠２３ｍと、その開口部に嵌め込まれた透明板２３ｔと、を備える。前扉２３が閉じられているとき、遊技盤ユニットＹＵに含まれる遊技盤１と透明板２３ｔとが対面する。透明板２３ｔは、透明な合成樹脂板で略縦長矩形状に成形されている。よって、パチンコ遊技機ＰＹが遊技店に設置されると、当該パチンコ遊技機ＰＹの前方にいる遊技者は、透明板２３ｔを通して、遊技盤１の前面に形成された遊技領域６を視認することができる。なお、透明板２３ｔとして、透明な合成樹脂板の代わりに透明なガラス板を用いてもよい。パチンコ遊技機ＰＹの前方から透明板２３ｔを通して遊技領域６を視認可能であればよい。
【００１４】
前枠２３ｍの前面の右下部には、遊技球を発射させるための回転操作が可能なハンドル７２ｋが設けられている。ハンドル７２ｋが操作された量（回転角度）が、遊技球を発射させるために遊技球に与えられる力の大きさ（発射強度）に対応付けられている。よって、遊技球は、ハンドル７２ｋの回転操作に応じた発射強度で発射される。
【００１５】
また、前枠２３ｍの前面の下部には、前方に大きく突出した上皿３４と、上皿３４の直下に配された下皿３５が設けられている。上皿３４の前方側中央には、下方に押下操作可能な第１演出ボタン４０ｋが設けられている。第１演出ボタン４０ｋの上皿３４の上面から視認可能に突出している操作部分は半球形に成形されている。さらに、上皿３４の上面の後方側には、ハンドル７２ｋに供給される遊技球を貯留するための供給球貯留穴３４Ａが形成されている。また、下皿３５の上面には、供給球貯留穴３４Ａに収容しきれない余剰の遊技球を貯留するための余剰球貯留穴３５Ａが設けられている。
【００１６】
さらに、前枠２３ｍの前面の透明板２３ｔの上側、右側、および左側には、前方に突出した上側装飾体３１、右側装飾体３２、および左側装飾体３３が設けられている。上側装飾体３１の底面には、音を出力可能な一対の２つのスピーカー５２、具体的には左側に配されたスピーカー５２Ｌと右側に配されたスピーカー５２Ｒ、が下方を向いて左右方向に所定距離をおいて並設されている。また、右側装飾体３２の下部には、下方に押下操作可能な第２演出ボタン４１ｋが設けられている。第２演出ボタン４１ｋの操作部分は棒状に成形されている。さらに、右側装飾体３２から上皿３４の正面右部分にかけて、および左側装飾体３３から上皿３４の正面左部分にかけて、発光可能な枠ランプ５３が設けられている。
【００１７】
なお、遊技機枠２に設けられる部材や装置の位置や数は、遊技に支障をきたさない範囲で適宜に変更可能である。
【００１８】
次に、遊技盤ユニットＹＵについて、図１に加えて図２を用いて説明する。遊技盤ユニットＹＵは、遊技盤１と、遊技盤１の背面に取り付けられた盤用演出ユニットＥＵと、を有する。最初に、遊技盤１について説明する。遊技盤１は、透明な合成樹脂板で構成されている。遊技盤１の略中央には正面視略円形の開口部１Ａが形成されている。
【００１９】
遊技盤１の前面には、開口部１Ａに沿って、略リング状のセンター装飾体６１が前方に突出して形成されている。また、センター装飾体６１の外側には、センター装飾体６１を大きく取り囲むように略リング状に形成された外レール６２と、外レール６２の左側部分とセンター装飾体６１との間で、外レール６２およびセンター装飾体６１に略平行な湾曲状の内レール６３と、が形成されている。
【００２０】
そして、遊技盤１の前面において、センター装飾体６１、外レール６２および内レール６３などで囲まれた領域が遊技領域６を形成している。すなわち、遊技盤１の前面が、センター装飾体６１、外レール６２および内レール６３によって、遊技領域６とそれ以外の領域とに区切られている。また、外レール６２と内レール６３とで囲まれた領域は、発射された遊技球が遊技領域６へ向かうために通過可能な発射領域７を形成している。
【００２１】
遊技領域６は、ハンドル７２ｋの操作によって発射された遊技球が流下可能な領域であり、パチンコ遊技機ＰＹで遊技を行うために設けられている。なお、遊技領域６には、多数の遊技用くぎ（図示なし）が突設されている。遊技用くぎは、遊技領域６に進入して遊技領域６を流下する遊技球を、一般入賞口１０、第１始動口１１、第２始動口１２、ゲート１３、および大入賞口１４などに適度に誘導する経路を構成している。
【００２２】
遊技領域６の所定位置に一般入賞装置１０Ｄが設けられている。一般入賞装置１０Ｄには、一般入賞口１０が遊技球の入球が可能に形成されている。遊技球が一般入賞口１０へ入球すると、所定個数（例えば、３個）の遊技球が賞球として払い出される。なお、一般入賞口１０に入球した遊技球はそのまま遊技領域６の外部へ排出される。
【００２３】
また、遊技領域６におけるセンター装飾体６１の中央直下には第１始動入賞装置１１Ｄが設けられている。第１始動入賞装置１１Ｄには、第１始動口１１が遊技球の入球が可能に形成されている。第１始動入賞装置１１Ｄは作動しない非作動構造からなる。そのため、第１始動口１１は、遊技球の入球のし易さが変化せずに一定（不変）である。遊技球が第１始動口１１へ入球すると、所定個数（例えば、４個）の遊技球が賞球として払い出される。なお、第１始動口１１に入球した遊技球はそのまま遊技領域６の外部へ排出される。
【００２４】
なお、センター装飾体６１の左側部から下端部にかけて、遊技球を内部に通すワープ部６１ｗが形成されている。ワープ部６１ｗへの入口はセンター装飾体６１の左側部に形成されている。ワープ部６１ｗに入った遊技球はワープ部６１ｗの内部を通って出口から出る。ワープ部６１ｗの出口付近であってセンター装飾体６１の下端部上面には、遊技球が転動可能なステージ６１ｓが設けられている。ステージ６１ｓの先端には、遊技球を下方に導く下方誘導部６１ｙが設けられている。この下方誘導部６１ｙの直下には第１始動口１１が設けられている。
【００２５】
遊技領域６における第１始動口１１の直下には、第２始動入賞装置（所謂「電チュー」）１２Ｄが設けられている。電チュー１２Ｄには、遊技球が入球不可能な閉態様と入球可能な開態様とに変化可能な第２始動口１２が形成されている。第２始動口１２は、電チュー１２Ｄが具備する電チュー開閉部材１２ｋによって閉態様と開態様とをとる。すなわち、電チュー開閉部材１２ｋの作動によって第２始動口１２が開閉する。
【００２６】
電チュー開閉部材１２ｋは正面視略Ｌ字状部材からなり、通常は第２始動口１２を閉鎖している。電チュー開閉部材１２ｋは、前方側先端面が遊技領域６と面一状態になる退避状態から前方に突出することができる。電チュー開閉部材１２ｋが前方に突出すると、電チュー開閉部材１２ｋが遊技領域６に垂直に突出した状態になり、第２始動口１２が入球可能に開放する。具体的には、電チュー開閉部材１２ｋの水平部の左端に立設された垂直部分が遊技球を受けとめられ、水平部から第２始動口１２へと導かれる。
【００２７】
このように、電チュー開閉部材１２ｋが開状態であるときだけ遊技球の第２始動口１２への入球が可能となる。遊技球が第２始動口１２へ入球すると、所定個数（例えば、２個）の遊技球が賞球として払い出される。なお、第２始動口１２に入球した遊技球はそのまま遊技領域６の外部へ排出される。
【００２８】
また、センター装飾体６１の右側にゲート１３が設けられている。ゲート１３は、遊技球が通過可能に構成されている。遊技球がゲート１３を通過しても賞球が払い出されない。なお、ゲート１３を通過した遊技球はそのまま遊技領域６を流下する。
【００２９】
遊技領域６における第１始動入賞装置１１Ｄの右側でゲート１３の下流側には、大入賞装置１４Ｄが設けられている。大入賞装置１４Ｄには、遊技球が入球不可能な閉態様と入球可能な開態様とに変化可能な大入賞口１４が形成されている。大入賞口１４は、大入賞装置１４Ｄが具備するＡＴ開閉部材１４ｋによって閉態様と開態様とをとる。すなわち、ＡＴ開閉部材１４ｋの作動によって大入賞口１４が開閉する。
【００３０】
ＡＴ開閉部材１４ｋは正面視略横長矩形状の平板からなる可動部材であり、通常は大入賞口１４を閉鎖している。ＡＴ開閉部材１４ｋの下端部には、水平な回転軸が設けられている。ＡＴ開閉部材１４ｋはその回転軸を中心に、上端が前方へ倒れるように略９０度回転することができる。ＡＴ開閉部材１４ｋが回転すると、ＡＴ開閉部材１４ｋが遊技領域６に垂直に突出した状態になり、大入賞口１４が入球可能に開放する。
【００３１】
このように、ＡＴ開閉部材１４ｋが開状態であるときだけ遊技球の大入賞口１４への入球が可能となる。遊技球が大入賞口１４へ入球すると、所定個数（第１実施形態では、１個）の遊技球が賞球として払い出される。なお、大入賞口１４に入球した遊技球はそのまま遊技領域６の外部へ排出される。
【００３２】
また、遊技領域６における大入賞装置１４Ｄの下方には、その上面が左斜め下方に形成され、遊技球を第２始動口１２へ誘導する誘導経路６４が遊技領域６（遊技盤１の前面）から前方に突出して設けられている。なお、誘導経路６４の上面を転動する遊技球は、第２始動口１２の方へ向かって流下可能であるが、基本的には第１始動口１１へ入球することはできない。
【００３３】
なお、第１始動口１１、第２始動口１２、大入賞口１４、および一般入賞口１０への遊技球の入球や、遊技球のゲート１３の通過をまとめて、第１始動口１１、第２始動口１２、大入賞口１４、一般入賞口１０、およびゲート１３への「入賞」と総称する。
【００３４】
ところで、遊技球が流下可能な遊技領域６は、左右方向の中央より左側の左遊技領域６Ａと、右側の右遊技領域６Ｂと、に分けることができる。遊技球が左遊技領域６Ａを流下するように遊技球を発射させるハンドル７２ｋの操作態様を「左打ち」という。一方、遊技球が右遊技領域６Ｂを流下するように遊技球を発射させるハンドル７２ｋの操作態様を「右打ち」という。
【００３５】
遊技領域６において、左打ちにて遊技球を発射したときに遊技球が流下可能な流路を、第１流路Ｒ１といい、右打ちにて遊技球を発射したときに遊技球が流下可能な流路を、第２流路Ｒ２という。第１流路Ｒ１および第２流路Ｒ２には、不図示の多数の遊技用くぎによっても構成されている。
【００３６】
第１流路Ｒ１上には、第１始動口１１と、２つの一般入賞口１０と、が設けられている。よって、遊技者は、左打ちにより第１流路Ｒ１を流下するように遊技球を発射させることで、第１始動口１１、または、一般入賞口１０への入賞を狙うことができる。一方、第２流路Ｒ２上には、第２始動口１２と、ゲート１３と、大入賞口１４と、が設けられている。よって、遊技者は、右打ちにより第２流路Ｒ２を流下するように遊技球を発射させることで、ゲート１３、第２始動口１２、または大入賞口１４への入賞を狙うことができる。
【００３７】
なお、遊技領域６の略最下部には、遊技領域６へ打ち込まれたもののいずれの入賞口にも入賞しなかった遊技球を遊技領域６の外部へ排出する２つのアウト口１９が設けられている。また、各入賞口への入賞による賞球数は、適宜に設定することが可能である。
【００３８】
次に、遊技盤１の背面に取り付けられた盤用演出ユニットＥＵについて説明する。盤用演出ユニットＥＵは、主に演出を行う複数の装置をユニット化したものである。盤用演出ユニットＥＵには、画像表示装置５０、および盤可動装置５５が取り付けられている。
【００３９】
画像表示装置５０は、２０インチの３Ｄ液晶ディスプレイで構成されており、３Ｄ画像を表示可能な表示部５０ａを具備する。画像表示装置５０は、遊技盤１の数センチ後方に配置されている。
【００４０】
盤可動装置５５は、動作可能な盤可動体５５ｋを備える。盤可動体５５ｋは、水平状態を保持された横長で板状の昇降部材５５ｋ２と、昇降部材５５ｋ２の左右方向中央に設けられた略楕円形状の回転部材５５ｋ１と、を有する。盤可動体５５ｋは、遊技盤１と画像表示装置５０との間に配されている。盤可動体５５ｋは、初期位置に配されている待機状態において、盤可動体５５ｋの下端部分、具体的に回転部材５５ｋ１の下端部分が、遊技盤１の開口部１Ａの上端から少しだけ下方に位置している。すなわち、盤可動体５５ｋは、待機状態において、回転部材５５ｋ１の下端部の一部のみが遊技者から視認でき、大部分が視認できないよう配されている（図３（Ａ）参照）。
【００４１】
そして、盤可動体５５ｋは、全体的に初期位置から所定の作動位置まで下降し、その作動位置から上昇して初期位置に戻ることができる（図３（Ｂ）参照）。所定の作動位置としては、正面視で盤可動体５５ｋが開口部１Ａの略中央につく位置である。ここで、所定の作業位置は適宜に設定可能であり、正面視で盤可動体５５ｋが開口部１Ａの略中央より上方側におかれる位置であっても下方側におかれる位置であってもよい。
【００４２】
また、回転部材５５ｋ１は、その中心において前後方向に形成された回転軸を中心に正面視右回りおよび左回りに回転運動することが可能である（図３（Ｃ）参照）。なお、回転部材５５ｋ１の回転運動は、盤可動体５５ｋが待機位置から作動位置に移動するとき、作動位置に保持されているとき、および作動位置から待機位置に移動するときに実行可能である。
【００４３】
なお、遊技盤ユニットＹＵに設けられる部材や装置の位置や数は、遊技に支障をきたさない範囲で適宜に変更可能である。
【００４４】
次に、遊技盤１の前面に形成された遊技領域６の上下方向略中央の右隣（遊技領域６以外の部分）に配置されている表示器類８について説明する。図４に示すように、表示器類８には、第１特別図柄（以下、「特図１」という）を可変表示する特図１表示器８１ａ、第２特別図柄（以下、「特図２」という）を可変表示する特図２表示器８１ｂ、及び、普通図柄（以下、「普図」という）を可変表示する普図表示器８２が含まれている。また、表示器類８には、後述する特図１保留数を表示する特図１保留表示器８３ａ、および後述する特図２保留数を表示する特図２保留表示器８３ｂが含まれている。
【００４５】
特図１の可変表示は、遊技球の第１始動口１１への入賞を契機とした特図１抽選が行われると実行される。また、特図２の可変表示は、遊技球の第２始動口１２への入賞を契機とした特図２抽選が行われると実行される。特図１抽選、および特図２抽選については後述する。なお、以下の説明では、特図１、および特図２を総称して「特図」といい、特図１抽選、および特図２抽選を総称して「特図抽選」という。また、特図１表示器８１ａ、および特図２表示器８１ｂを総称して「特図表示器８１」という。さらに、特図１保留表示器８３ａ、および特図２保留表示器８３ｂを総称して「特図保留表示器８３」という。
【００４６】
特図の可変表示は、特図抽選の結果を報知する。特図の可変表示では、特図が変動表示した後に停止表示する。停止表示された特図（停止特図）は、可変表示の表示結果として導出された特図抽選の結果を表す識別情報である。停止表示された特図が予め定めた特定の特図である場合には、大入賞口１４の開放を伴う大当たり遊技が行われる。
【００４７】
特図１表示器８１ａ、および特図２表示器８１ｂはそれぞれ、横並びに配された８個のＬＥＤから構成されている。特図１表示器８１ａ、および特図２表示器８１ｂの点灯態様は、特図抽選の結果に応じた特図、すなわち特図抽選の結果を表す。例えば特図抽選の結果が大当たりである場合には、最終的に「□□■■□□■■」（□：点灯、■：消灯）というように左から１，２，５，６番目にあるＬＥＤが点灯する。この点灯態様が大当たり図柄であり、大当たりを表す。また、特図抽選の結果がハズレである場合には、最終的に「■■■■■■■□」というように一番右にあるＬＥＤのみが点灯する。この点灯態様がハズレ図柄であり、ハズレを表す。なお、特図抽選の結果に対応するＬＥＤの点灯態様は限定されず、適宜に設定することができる。よって、例えば、ハズレ図柄として全てのＬＥＤを消灯させてもよい。
【００４８】
また、特図の可変表示において、特図が停止表示される前には所定の変動時間にわたって特図の変動表示がなされる。特図の変動表示の態様は、例えば左から右へ光が繰り返し流れるように各ＬＥＤが点灯する態様である。なお、変動表示の態様は、特に限定されず、各ＬＥＤが停止表示（特定の態様での点灯表示）されていなければ、全ＬＥＤが一斉に点滅するなど適宜に設定してよい。
【００４９】
ところで、パチンコ遊技機ＰＹでは、遊技球が第１始動口１１または第２始動口１２へ入賞してもすぐに特図抽選および特図の可変表示が行われない場合がある。具体的には、特図の可変表示の実行中や大当たり遊技の実行中に遊技球の第１始動口１１または第２始動口１２への入賞があった場合である。この場合、その入賞に基づいて特図抽選および特図の可変表示が保留される。この保留された特図抽選および特図の可変表示のことを「特図保留」という。
【００５０】
特図保留には、第１始動口１１への入賞に基づいて保留された特図１抽選、および特図１の可変表示を表す「特図１保留」と、第２始動口１２への入賞に基づいて保留された特図２抽選、および特図２の可変表示を表す「特図２保留」と、がある。そして、特図１保留の数、すなわち保留されている特図１抽選および特図１の可変表示の数を特図１保留表示器８３ａが表示する。一方、特図２保留の数、すなわち保留されている特図２抽選、および特図２の可変表示の数を特図２保留表示器８３ｂが表示する。
【００５１】
特図１保留の数、および特図２保留の数に上限値に設けることも設けないことも可能である。また、特図１保留の数、および特図２保留の数に上限値を設ける場合、特図１保留の数と特図２保留の数を同一にしても良いし、異ならせても良い。なお、基本的な実施形態では、特図１保留の数、および特図２保留の数の上限値が「４」に設定されているとする。
【００５２】
特図１保留表示器８３ａおよび特図２保留表示器８３ｂのそれぞれは、４個のＬＥＤで構成されており、特図１保留および特図２保留の数の分だけＬＥＤを点灯させることにより特図１保留および特図２保留の数を表示する。なお、以下において、特図１保留の数を「特図１保留数（Ｕ１）」といい、特図２保留数の数を「特図２保留数（Ｕ２）」という。また、「特図１保留数」と「特図２保留数」を総称して「特図保留数」という。さらに、「特図１保留表示器８３ａ」と「特図２保留表示器８３ｂ」とを総称して「特図保留表示器８３」という。
【００５３】
また、普図の可変表示は、遊技球のゲート１３への入賞を契機とした普図抽選が行われると実行される。そして、普図の可変表示は、普図抽選の結果を報知する。普図の可変表示では、普図が変動表示した後に停止表示する。停止表示された普図（停止普図）は、可変表示の表示結果として導出された普図抽選の結果を表す識別情報である。停止表示された普図が予め定めた特定の普図である場合には、第２始動口１２の開放を伴う補助遊技が行われる。
【００５４】
普図表示器８２は、例えば２個のＬＥＤから構成されている。普図表示器８２の点灯態様は、普図抽選の結果に応じた普図、すなわち普図抽選の結果を表す。普図抽選の結果が当たりである場合には、最終的には、「□□」（□：点灯、■：消灯）というように両ＬＥＤが点灯する。この点灯態様が当たり図柄であり、当たりを表す。また普図抽選の結果がハズレである場合には、最終的には、「■□」というように右のＬＥＤのみが点灯する。この点灯態様がハズレ図柄であり、ハズレを表す。なお、普図抽選の結果に対応するＬＥＤの点灯態様は限定されず、適宜に設定することができる。例えば、ハズレ図柄として全てのＬＥＤを消灯させる態様を採用してもよい。
【００５５】
また、普図が停止表示される前には所定の変動時間にわたって普図の変動表示が行われる。普図の変動表示の態様は、基本的な実施形態では、両ＬＥＤが交互に点灯するという態様である。なお、普図の変動表示の態様は、特に限定されず、各ＬＥＤが停止表示（特定の態様での点灯表示）されていなければ、全ＬＥＤが一斉に点滅するなど適宜に設定してもよい。
【００５６】
２．遊技機の電気的構成
次に、図５〜図７に基づいて、パチンコ遊技機ＰＹの電気的な構成を説明する。図５に示すように、パチンコ遊技機ＰＹの背面側には、遊技利益を得ることが可能な遊技に関する制御（遊技の進行）を行う遊技制御基板１００、遊技制御基板１００による遊技の制御に応じた演出に関する制御を行う演出制御基板１２０、画像の制御を行う画像制御基板１４０、遊技球の払い出しに関する制御などを行う払出制御基板１７０、および各基板１００、１２０、１４０、１７０に電力を供給する電源基板１９０が取り付けられている。
【００５７】
電源基板１９０には、電源スイッチ１９１が接続されている。電源スイッチ１９１のＯＮ／ＯＦＦ操作により、電源の投入／遮断が切り換えられる。
【００５８】
図６に示すように、遊技制御基板１００には、プログラムに従ってパチンコ遊技機ＰＹの遊技の進行を制御する遊技制御用ワンチップマイコン（以下「遊技制御用マイコン」）１０１が実装されている。よって、遊技制御基板１００は、遊技の制御を行う遊技制御部と位置づけることができる。なお、遊技制御基板１００の制御対象となる遊技利益を獲得可能な遊技には、特図抽選、特図の可変表示、大当たり遊技、後述する遊技状態の設定、普図抽選、普図の可変表示、補助遊技などが含まれる。
【００５９】
遊技制御用マイコン１０１には、遊技の進行を制御するためのプログラムやテーブル等を記憶した遊技用ＲＯＭ（Ｒｅａｄ  Ｏｎｌｙ  Ｍｅｍｏｒｙ）１０３、ワークメモリとして使用される遊技用ＲＡＭ（Ｒａｎｄｏｍ  Ａｃｃｅｓｓ  Ｍｅｍｏｒｙ）１０４、遊技用ＲＯＭ１０３に記憶されたプログラムを実行する遊技用ＣＰＵ（Ｃｅｎｔｒａｌ  Ｐｒｏｃｅｓｓｉｎｇ  Ｕｎｉｔ）１０２が含まれている。
【００６０】
遊技用ＲＯＭ１０３には、後述する遊技制御メイン処理や遊技制御側タイマ割り込み処理などを行うためのプログラムが格納されている。また、遊技用ＲＯＭ１０３には、後述する大当たり判定テーブル、大当たり図柄種別判定テーブル、リーチ判定テーブル、特図変動パターン判定テーブル、先読み判定テーブル、大当たり遊技制御テーブル、遊技状態設定テーブル、当たり判定テーブル、補助遊技制御テーブルなどが格納されている。なお、遊技用ＲＯＭ１０３は外付けであってもよい。
【００６１】
また、遊技用ＲＡＭ１０４には、特図保留記憶部１０５が設けられている。ここで、特図保留記憶部１０５について説明する。前述の通り、遊技球の第１始動口１１または第２始動口１２への入賞があると、特図保留が発生可能であるが、特図保留が可能な場合、すなわち、特図保留数が上限値に達していないときには、この入賞に基づいて、特図抽選などを行うための各種乱数からなる判定情報が取得される。そして、この判定情報は、特図保留として特図保留記憶部１０５に一旦記憶される。なお、以下において、遊技球の第１始動口１１への入賞により取得される判定情報のことを「特図１関連判定情報」といい、遊技球の第２始動口１２への入賞により取得される判定情報のことを「特図２関連判定情報」という。また、特図１関連判定情報と特図２関連判定情報とを総称して「特図関連判定情報」という。
【００６２】
そして、特図１関連判定情報は、特図１保留として、特図保留記憶部１０５の中の特図１保留記憶部１０５ａに記憶される。一方、特図２関連判定情報は、特図２保留として、特図保留記憶部１０５の中の特図２保留記憶部１０５ｂに記憶される。特図１保留記憶部１０５ａに記憶可能な特図１関連判定情報の数、すなわち、特図１保留数の上限値は「４」に設定されている。また、特図２保留記憶部１０５ｂに記憶可能な特図２関連判定情報の数、すなわち、特図２保留数の上限値は「４」に設定されている。
【００６３】
また、遊技制御基板１００には、所定の中継基板（図示なし）を介して各種センサ類やソレノイド類が接続されている。そのため、遊技制御基板１００には、各種センサ類が出力した信号が入力する。また、遊技制御基板１００は、各種アクチュエータ類に信号を出力する。
【００６４】
遊技制御基板１００に接続されている各種センサ類には、一般入賞口センサ１０ａ、第１始動口センサ１１ａ、第２始動口センサ１２ａ、ゲートセンサ１３ａ、および大入賞口センサ１４ａが含まれている。
【００６５】
一般入賞口センサ１０ａは、一般入賞口１０に入賞した遊技球を検知する。第１始動口センサ１１ａは、第１始動口１１に入賞した遊技球を検知する。第２始動口センサ１２ａは、第２始動口１２に入賞した遊技球を検知する。ゲートセンサ１３ａは、ゲート１３を通過した遊技球を検知する。大入賞口センサ１４ａは、大入賞口１４に入賞した遊技球を検知する。
【００６６】
また、遊技制御基板１００に接続されている各種アクチュエータ類には、電チューソレノイド１２ｓ、およびＡＴソレノイド１４ｓが含まれている。電チューソレノイド１２ｓは、電チュー１２Ｄの電チュー開閉部材１２ｋを駆動する。ＡＴソレノイド１４ｓは、大入賞装置１４ＤのＡＴ開閉部材１４ｋを駆動する。
【００６７】
なお、遊技制御基板１００に接続されるセンサの種類や数は、遊技に支障をきたさない範囲で適宜に変更可能である。また、遊技制御基板１００に接続されるアクチュエータの種類や数は、遊技に支障をきたさない範囲で適宜に変更可能である。
【００６８】
さらに遊技制御基板１００には、表示器類８（特図表示器８１、普図表示器８２、および、特図保留表示器８３）が接続されている。これらの表示器類８の表示制御は、遊技制御用マイコン１０１によりなされる。
【００６９】
また遊技制御基板１００は、払出制御基板１７０に各種コマンドを送信するとともに、払い出し監視のために払出制御基板１７０から信号を受信する。払出制御基板１７０には、カードユニットＣＵ、および払出装置７３が接続されているとともに、発射装置７２が接続されている。また、カードユニットＣＵは、パチンコ遊技機ＰＹに隣接して設置され、挿入されているプリペイドカード等の情報に基づいて球貸しを可能にする装置である。
【００７０】
払出制御基板１７０は、遊技制御用マイコン１０１からの信号や、接続されたカードユニットＣＵからの信号に基づいて、払出装置７３の払出モータ７３ｍを駆動して賞球や貸球の払い出しを行う。払い出される賞球や貸球は、その計数のための払出センサ７３ａにより検知される。
【００７１】
また、発射装置７２は遊技球を発射する装置である。ハンドル７２ｋが、発射装置７２に遊技球を発射させるための操作を受け付ける操作部または入力部を構成しており、発射装置７２に含まれる。ハンドル７２ｋには、遊技者などの人のハンドル７２ｋへの接触を検知可能なタッチスイッチ７２ａが設けられている。遊技者によるハンドル７２ｋの操作があった場合には、タッチスイッチ７２ａが遊技者のハンドル７２ｋへの接触を検知し、発射制御回路１７５を介して検知信号を払出制御基板１７０に出力する。
【００７２】
さらに、ハンドル７２ｋには、ハンドル７２ｋの回転角度（操作量）を検知可能な発射ボリュームのつまみ７２ｂが接続されている。発射装置７２は、発射ボリュームのつまみ７２ｂが検知したハンドル７２ｋの回転角度に応じた強さで遊技球が発射されるよう発射モータ７２ｍを駆動させる。なお、パチンコ遊技機ＰＹにおいては、ハンドル７２ｋへの回転操作が維持されている状態では、約０．６秒毎に１球の遊技球が発射されるようになっている。
【００７３】
また遊技制御基板１００は、遊技の進行に応じて、演出制御基板１２０に対し、遊技に関する情報を含んだ各種コマンドを送信する。演出制御基板１２０は、遊技制御基板１００から送られてきた各種コマンドに基づいて、遊技制御基板１００による遊技の進行状況（遊技の制御内容）を把握することができる。
【００７４】
なお、遊技制御基板１００と演出制御基板１２０との接続は、遊技制御基板１００から演出制御基板１２０への信号の送信のみが可能な単方向通信接続となっている。すなわち、遊技制御基板１００と演出制御基板１２０との間には、通信方向規制手段としての図示しない単方向性回路（例えばダイオードを用いた回路）が介在している。
【００７５】
図７に示すように、演出制御基板１２０には、プログラムに従ってパチンコ遊技機ＰＹの演出を制御する演出制御用ワンチップマイコン（以下「演出制御用マイコン」）１２１が実装されている。そして、演出制御基板１２０は、後述する画像制御基板１４０、音声制御回路１６１、およびサブドライブ基板１６２と共に、演出の制御を行う演出制御部と位置づけることができる。ただし、演出制御部は、少なくとも演出制御基板１２０を備え、演出装置（画像表示装置５０、スピーカー５２、枠ランプ５３、および盤可動体５５ｋ等）を用いた遊技演出、客待ち演出、および操作促進演出などを制御可能であればよい。
【００７６】
なお、演出制御基板１２０の制御対象となる演出には、遊技演出（特図変動演出、保留演出、大当たり遊技演出など）、客待ち演出、第１演出ボタン４０ｋや第２演出ボタン４１ｋの操作が有効な期間（操作有効期間）において操作を促す操作促進演出などが含まれている。
【００７７】
演出制御用マイコン１２１には、遊技制御基板１００による遊技の進行に伴って演出を制御するためのプログラム等を記憶した演出用ＲＯＭ１２３、ワークメモリとして使用される演出用ＲＡＭ１２４、演出用ＲＯＭ１２３に記憶されたプログラムを実行する演出用ＣＰＵ１２２が含まれている。
【００７８】
演出用ＲＯＭ１２３には、後述する演出制御メイン処理、受信割り込み処理、１ｍｓタイマ割り込み処理、および１０ｍｓタイマ割り込み処理などを行うためのプログラムが格納されている。なお、演出用ＲＯＭ１２３は外付けであってもよい。
【００７９】
演出用ＲＡＭ１２４には、後述する始動入賞コマンドを記憶する始動入賞コマンド保留記憶部１２５、後述する図柄指定コマンドを記憶する図柄指定コマンド記憶部１２６、および後述する特図変動開始コマンドを記憶する特図変動開始コマンド記憶部１２７が設けられている。
【００８０】
また、演出制御基板１２０には、画像制御基板１４０が接続されている。演出制御基板１２０の演出制御用マイコン１２１は、遊技制御基板１００から受信したコマンドに基づいて、すなわち、遊技制御基板１００による遊技の進行に応じて、画像制御基板１４０に画像表示装置５０の表示制御を行わせる。なお、演出制御基板１２０と画像制御基板１４０との接続は、演出制御基板１２０から画像制御基板１４０への信号の送信と、画像制御基板１４０から演出制御基板１２０への信号の送信の双方が可能な双方向通信接続となっている。
【００８１】
画像制御基板１４０は、画像制御のためのプログラム等を記憶した画像用ＲＯＭ１４２、ワークメモリとして使用される画像用ＲＡＭ１４３、及び、画像用ＲＯＭ１４２に記憶されたプログラムを実行する画像用ＣＰＵ１４１を備えている。また、画像制御基板１４０は、画像表示装置５０に表示される画像のデータを記憶したＣＧＲＯＭ（Ｃｈａｒａｃｔｅｒ  Ｇｅｎｅｒａｔｏｒ  Ｒｅａｄ  Ｏｎｌｙ  Ｍｅｍｏｒｙ）１４５、ＣＧＲＯＭ１４５に記憶されている画像データの展開等に使用されるＶＲＡＭ（Ｖｉｄｅｏ  Ｒａｎｄｏｍ  Ａｃｃｅｓｓ  Ｍｅｍｏｒｙ）１４６、及び、ＶＤＰ（Ｖｉｄｅｏ  Ｄｉｓｐｌａｙ  Ｐｒｏｃｅｓｓｏｒ）１４４を備えている。これらの電子部品の全部又は一部がワンチップで構成されていてもよい。
【００８２】
ＣＧＲＯＭ１４５には、例えば、画像表示装置５０に表示される画像を表示するための画像データ（静止画データや動画データ、具体的にはキャラクター、アイテム、図柄、図形、文字、数字および記号等（演出図柄を含む）や背景画像等の画像データ）が格納されている。
【００８３】
ＶＤＰ１４４は、演出制御用マイコン１２１からの指令に基づき画像用ＣＰＵ１４１によって作成されるディスプレイリストに従って、ＣＧＲＯＭ１４５から画像データを読み出してＶＲＡＭ１４６内の展開領域に展開する。そして、展開した画像データを適宜合成してＶＲＡＭ１４６内のフレームバッファに画像を描画する。そしてフレームバッファに描画した画像をＲＧＢ信号として画像表示装置５０に出力する。これにより、種々の演出画像が表示部５０ａに表示される。
【００８４】
なお、ディスプレイリストは、フレーム単位で描画の実行を指示するためのコマンド群で構成されている。ディスプレイリストには、描画する画像の種類、画像を描画する位置、表示の優先順位、表示倍率、画像の透過率等の種々のパラメータの情報が含まれている。
【００８５】
また、演出制御用マイコン１２１は、遊技制御基板１００から受信したコマンドに基づいて、すなわち、遊技制御基板１００による遊技の進行に応じて、音声制御回路１６１を介してスピーカー５２から音声、楽曲、および効果音等を出力する。
【００８６】
スピーカー５２から出力する音声等の音声データは、演出制御基板１２０の演出用ＲＯＭ１２３に格納されている。なお、音声制御回路１６１を、基板で構成させてＣＰＵを実装してもよい。この場合、そのＣＰＵに音声制御を実行させてもよい。さらにこの場合、基板にＲＯＭを実装し、そのＲＯＭに音声データを格納してもよい。また、スピーカー５２を画像制御基板１４０に接続し、画像制御基板１４０の画像用ＣＰＵ１４１に音声制御を実行させてもよい。さらにこの場合、画像制御基板１４０の画像用ＲＯＭ１４２に音声データを格納してもよい。
【００８７】
また、演出制御基板１２０には、所定の中継基板（図示なし）を介して、入力部となる各種センサ類や駆動源となる各種アクチュエータ類が接続されている。演出制御基板１２０には、各種センサ類が出力した信号が入力する。また、演出制御基板１２０は、各種アクチュエータ類に信号を出力する。
【００８８】
演出制御基板１２０に接続されている各種スイッチ類には、第１演出ボタンセンサ４０ａ、および第２演出ボタンセンサ４１ａが含まれている。第１演出ボタンセンサ４０ａは、第１演出ボタン４０ｋが押下操作されたことを検出する。第２演出ボタンセンサ４１ａは、第２演出ボタン４１ｋが押下操作されたことを検出する。第１演出ボタンセンサ４０ａ、および第２演出ボタンセンサ４１ａは、それぞれが操作されたことを検知すると、その検知内容に応じた信号を演出制御基板１２０に出力する。
【００８９】
なお、演出制御基板１２０に接続されるスイッチの種類や数は、遊技に支障をきたさない範囲で適宜に変更可能である。また、演出制御基板１２０に接続されるアクチュエータの種類や数は、遊技に支障をきたさない範囲で適宜に変更可能である。
【００９０】
演出制御基板１２０に接続された各種アクチュエータ類には、回転部材用モータ５５ｍ１、および昇降部材用モータ５５ｍ２が含まれている。回転部材用モータ５５ｍ１は、回転部材５５ｋ１を駆動して、回転部材５５ｋ１を回転させることが可能である。昇降部材用モータ５５ｍ２は、昇降部材５５ｋ２を上昇または下降させることが可能である。詳細には、演出制御用マイコン１２１は、回転部材５５ｋ１や昇降部材５５ｋ２の動作態様を決める動作パターンデータを作成し、サブドライブ基板１６２を介して、回転部材５５ｋ１や昇降部材５５ｋ２の動作を制御する。
【００９１】
なお、以下において、「回転部材５５ｋ１や昇降部材５５ｋ２」の動作を「盤可動体５５ｋの動作」と総称することもある。また、回転部材５５ｋ１を回転させることや昇降部材５５ｋ２を下降または上昇させることについて「盤可動体５５ｋを回転させる、または下降もしくは上昇させる」ともいう。
【００９２】
また、演出制御用マイコン１２１は、遊技制御基板１００から受信したコマンドなどに基づいて、サブドライブ基板１６２を介して枠ランプ５３などの点灯制御を行う。詳細には演出制御用マイコン１２１は、枠ランプ５３の発光態様を決める発光パターンデータ（点灯/消灯や発光色等を決めるデータ、ランプデータともいう）を作成し、発光パターンデータに従って枠ランプ５３の発光を制御する。なお、発光パターンデータの作成には演出制御基板１２０の演出用ＲＯＭ１２３に格納されているデータを用いる。
【００９３】
なお、サブドライブ基板１６２を基板で構成させてＣＰＵを実装してもよい。この場合、そのＣＰＵに、枠ランプ５３等の点灯制御、および、盤可動体５５ｋの動作制御を実行させてもよい。さらにこの場合、基板にＲＯＭを実装して、そのＲＯＭに発光パターンや動作パターンに関するデータを格納してもよい。
【００９４】
３．遊技機による主な遊技
次に、パチンコ遊技機ＰＹにより行われる主な遊技について、図８〜図１５を用いて説明する。
【００９５】
３−１．普図に関わる遊技
最初に、普図に関わる遊技について説明する。パチンコ遊技機ＰＹは、発射された遊技球がゲート１３を通過すると、普図抽選を実行することができる。普図抽選を行うと、普図表示器８２において、普図の可変表示（変動表示を行った後に停止表示）を行う。ここで、停止表示される普図には、当たり図柄とハズレ図柄とがある。なお、普図のハズレ図柄については、後述する特図のハズレ図柄と区別をするために「ハズレ普図」ともいう。
【００９６】
当たり図柄が停止表示されると補助遊技が実行されて、当該ゲート１３の通過に係る遊技が終了する。一方、ハズレ普図が停止表示されると、補助遊技は行われず、当該ゲート１３の通過に係る遊技が終了する。また、以下において、普図の可変表示または補助遊技が行われていないときに遊技球がゲート１３を通過することを「普図変動始動条件の成立」という。
【００９７】
パチンコ遊技機ＰＹは、普図変動始動条件が成立し、普図関連判定情報を取得して普図抽選を行うことに基づいて、普図の可変表示、および補助遊技といった一連の遊技を行うことができる。取得する普図関連判定情報には、図８（Ａ）に示すように、普通図柄乱数がある。普通図柄乱数は当たり判定を行うための乱数（判定情報）である。各乱数には、適宜に範囲が設けられている。
【００９８】
３−１−１．当たり判定
当たり判定は、例えば図９（Ａ）に示すような当たり判定テーブルを用いて、当たりか否か（補助遊技を実行するか否か）を決定するための判定である。当たり判定テーブルは、後述する遊技状態に関連付けることが可能である。遊技状態に関連付けられる場合、当たり判定テーブルには、非時短状態で用いる当たり判定テーブル（非時短用当たり判定テーブル）と、時短状態で用いる当たり判定テーブル（時短用当たり判定テーブル）と、がある。
【００９９】
各当たり判定テーブルでは、当たり判定の結果である当たりとハズレに、普通図柄乱数の判定値（普通図柄乱数判定値）が適宜に振り分けられている。よって、パチンコ遊技機ＰＹは、取得した普通図柄乱数を当たり判定テーブルに照合して、当たりかハズレかの当たり判定を行う。当たり判定の結果が当たりであると、普図の可変表示で当たり図柄が停止表示される。一方、当たり判定の結果がハズレであると、普図の可変表示でハズレ普図が停止表示される。なお、当たりの当選確率については、適宜に変更することが可能である。
【０１００】
３−１−２．普図変動パターン判定・普図可変表示
普図変動パターン判定は、例えば図９（Ｂ）に示すような普図変動パターン判定テーブルを用いて、普図変動パターンを決定するための判定である。普図変動パターンとは、普図変動時間などの普図の可変表示に関する所定事項に関する識別情報である。
【０１０１】
普図変動パターン判定テーブルは、遊技状態（非時短状態／時短状態）に関連付けることが可能である。遊技状態（非時短状態／時短状態）に関連付けられる場合、普図変動パターン判定テーブルには、非時短状態のときに用いられる普図変動パターン判定テーブル（非時短普図変動パターン判定テーブル）と時短状態のときに用いられる普図変動パターン判定テーブル（時短普図変動パターン判定テーブル）とがある。
【０１０２】
各普図変動パターン判定テーブルには、普図変動パターン判定の結果である普図変動パターンが、停止される普図毎に１つ格納されている。すなわち、パチンコ遊技機ＰＹは、非時短状態と時短状態とで、普図変動時間を異ならせることが可能である。例えば、非時短状態においては、ハズレの普図（ハズレ普図）を停止表示する場合の普図の可変表示については普図変動時間が３０秒となる普図変動パターンに決定し、当たり図柄を停止表示する場合の普図の可変表示については普図変動時間が３０秒となる普図変動パターンに決定する。また、時短状態においては、ハズレ普図を停止表示する場合の普図の可変表示については普図変動時間が５秒となる普図変動パターンに決定し、当たり図柄を停止表示する場合の普図の可変表示については普図変動時間が５秒となる普図変動パターンに決定する。なお、これら普図変動時間については、適宜に変更することが可能である。
【０１０３】
そして、普図変動パターン判定で決定された普図変動パターンに対応付けられた普図変動時間の普図の可変表示が、普図表示器８２で行われる。このように、当たり判定、および、普図変動パターン判定が行われることによって、普図表示器８２において普図の可変表示が行われる。
【０１０４】
３−１−３．補助遊技
補助遊技は、普図の可変表示で、表示結果（普図抽選の結果）として、当たり図柄が停止表示（導出）されると実行される。補助遊技において、電チュー１２Ｄが開放する
【０１０５】
補助遊技を構成する要素（補助遊技構成要素）には、電チュー１２Ｄが開放する回数、および各開放についての開放時間などの様々な要素が含まれている。パチンコ遊技機ＰＹは、補助遊技制御テーブルを用いて補助遊技を制御する。補助遊技制御テーブルには、補助遊技構成要素が格納されている。例えば図９（Ｃ）に示すように、補助遊技制御テーブルに遊技状態（非時短状態／時短状態）を関連付けることが可能である。すなわち、補助遊技構成要素を、遊技状態（非時短状態／時短状態）に関連付けることが可能である。なお、開放回数や開放時間などの各要素の具体的な内容については、適宜に変更することが可能である。
【０１０６】
パチンコ遊技機ＰＹは、非時短状態における補助遊技と時短状態における補助遊技とで、電チュー１２Ｄの開放時間を異ならせることが可能である。例えば、非時短状態における補助遊技では、０．２秒などの遊技球を電チュー１２Ｄに入賞させるのが困難な第１の開放時間だけ電チュー１２Ｄが開放する。一方、時短状態における補助遊技では、例えば、１．０秒のインターバル（閉鎖）を挟んだ２．５秒の２回開放などの第１の開放時間よりも長く、遊技球を電チュー１２Ｄに入賞させることが容易な第２の開放時間だけ電チュー１２Ｄが開放する。
【０１０７】
なお、以下において、非時短状態における補助遊技のことを「ショート開放補助遊技」ともいう。一方、時短状態における補助遊技のことを「ロング開放補助遊技」ともいう。また、各補助遊技における開放時間は、その補助遊技での合計時間であり、例えば、一度開放した後に一旦閉鎖するインターバルを挟んで再度開放するなど、１回の補助遊技の中で複数回開放するように構成しても良い。
【０１０８】
３−２．特図に関わる遊技
次に、特図に関わる遊技について説明する。パチンコ遊技機ＰＹは、発射された遊技球が第１始動口１１に入賞すると、特図１抽選を実行することができる。特図１抽選が行われると、特図１表示器８１ａにおいて、特図１の可変表示（変動表示を行った後に停止表示）を行って、特図１抽選の結果を報知する。ここで、停止表示される特図１には、大当たり図柄、およびハズレ図柄がある。すなわち、特図１抽選の結果には大当たり、およびハズレがある。
【０１０９】
大当たり図柄が停止表示されると大当たり遊技が実行され、新たな遊技状態が設定されて、当該入賞に基づく遊技が終了する。また、ハズレ図柄が停止表示されると、大当たり遊技が行われず、当該入賞に基づく遊技が終了する。
【０１１０】
同様に、パチンコ遊技機ＰＹは、発射された遊技球が第２始動口１２に入賞すると、特図２抽選を実行することができる。特図２抽選が行われると、特図２表示器８１ｂにおいて、特図２の可変表示（変動表示を行った後に停止表示）を行って、特図２抽選の結果を報知する。ここで、停止表示される特図２には、大当たり図柄、およびハズレ図柄がある。すなわち、特図２抽選の結果には、大当たり、およびハズレがある。
【０１１１】
大当たり図柄が停止表示されると大当たり遊技が実行され、新たな遊技状態が設定されて、当該入賞に基づく遊技が終了する。さらに、ハズレ図柄が停止表示されると大当たり遊技が行われず、当該入賞に基づく遊技が終了する。
【０１１２】
また、以下において、第１始動口１１に遊技球が入賞することを「第１始動条件の成立」といい、第２始動口１２に遊技球が入賞することを「第２始動条件の成立」という。また、「第１始動条件の成立」と「第２始動条件の成立」をまとめて「始動条件の成立」と総称する。また、特別図柄のハズレ図柄については、前述の普図のハズレ図柄と区別するために「ハズレ特図」ともいう。
【０１１３】
パチンコ遊技機ＰＹは、始動条件が成立し、特図関連判定情報を取得して特図抽選を行うことに基づいて、特図の可変表示、および大当たり遊技といった一連の遊技を行う。そして、特図の可変表示を行うために、当該特図関連判定情報について種々の判定を行う。取得する特図関連判定情報には、図８（Ｂ）に示すように、特別図柄乱数、大当たり図柄種別乱数、リーチ乱数および特図変動パターン乱数がある。
【０１１４】
特別図柄乱数は大当たり判定を行うための乱数（判定情報）である。大当たり図柄種別乱数は大当たり図柄種別判定を行うための乱数（判定情報）である。リーチ乱数はリーチ判定を行うための乱数（判定情報）である。特図変動パターン乱数は特別図柄の変動パターン判定を行うための乱数（判定情報）である。各乱数には、適宜に範囲が設けられている。次に、特図関連判定情報を用いて行われる各判定について説明する。
【０１１５】
３−２−１．大当たり判定
大当たり判定は、大当たり判定テーブルを用いて、大当たりか否か（大当たり遊技を実行するか否か）、言い換えると、大当たり、またはハズレの何れかを決定することである。大当たり判定テーブルは、例えば図１０（Ａ）に示すように、後述する遊技状態に関連付けて設けることができる。具体的には、大当たり判定テーブルには、後述する通常確率状態で用いられる大当たり判定テーブル（以下、「通常確率用大当たり判定テーブル」という）と、後述する高確率状態で用いられる大当たり判定テーブル（以下、「高確率用大当たり判定テーブル」という）と、がある。
【０１１６】
遊技状態に関連付けられた各大当たり判定テーブルでは、大当たり判定の結果である大当たり、およびハズレに、特別図柄乱数の判定値（特別図柄乱数判定値）が振り分けられている。パチンコ遊技機ＰＹは、遊技状態に関連付けられた大当たり判定テーブルに、取得した特別図柄乱数を照合して、大当たり、またはハズレの何れであるかを判定する。図１０（Ａ）に示すように、高確率用大当たり判定テーブルの方が、通常確率用大当たり判定テーブルよりも、大当たりと判定される特別図柄乱数判定値が多く設定されている。
【０１１７】
なお、大当たり確率や各種大当たり判定の判定結果に対する特別図柄乱数判定値の振り分け方については、適宜に変更することが可能である。
【０１１８】
３−２−２．大当たり図柄種別判定
大当たり図柄種別判定は、大当たり判定の結果が大当たりである場合に、例えば図１０（Ｂ）に示すような大当たり図柄種別判定テーブルを用いて大当たり図柄の種別（大当たり図柄種別）を決定することである。大当たり図柄の種別に、大当たりの内容、換言すれば、遊技者に付与される遊技特典などで構成される大当たりの構成要素（遊技者に有利な内容）を対応付けることが可能である。
【０１１９】
大当たり図柄種別判定テーブルは、可変表示される特別図柄の種別（特図１／特図２）、言い換えれば、当該大当たり図柄種別判定が起因する（当該大当たり図柄種別判定を発生させた）入賞が行われた始動口の種別（第１始動口１１／第２始動口１２）に関連付けられている。すなわち、大当たり図柄種別判定テーブルには、特図１の可変表示を行うときに用いられる大当たり図柄種別判定テーブル（第１大当たり図柄種別判定テーブル）と特図２の可変表示を行うときに用いられる大当たり図柄種別判定テーブル（第２大当たり図柄種別判定テーブル）とがある。
【０１２０】
大当たり図柄は複数種類設定可能である。各大当たり図柄種別判定テーブルでは、大当たり図柄種別判定の結果である大当たり図柄種別に、大当たり図柄種別乱数の判定値（大当たり図柄種別乱数判定値）が振り分けられている。よって、パチンコ遊技機ＰＹは、取得した大当たり図柄種別乱数を大当たり図柄種別判定テーブルに照合して、大当たり図柄の種別を判定する。そして、第１大当たり図柄種別判定テーブルおよび第２大当たり図柄種別判定テーブルでは、大当たり図柄種別乱数判定値が各種大当たり図柄に適宜に振り分けられている。
【０１２１】
特図１の大当たり図柄、および特図２の大当たり図柄の種類は適宜に設定することができるが、例えば、図１０（Ｂ）に示す大当たり図柄種別判定テーブルのように、特図１の大当たり図柄として、大当たり図柄Ａ、大当たり図柄Ｂ、および大当たり図柄Ｃの３種類の大当たり図柄を設け、特図２の大当たり図柄として、大当たり図柄Ｄ、大当たり図柄Ｅ、および大当たり図柄Ｆの３種類の大当たり図柄を設けることができる。そして、図１０（Ｂ）に示す大当たり図柄種別判定テーブルのように、第１大当たり図柄種別判定テーブルおよび第２大当たり図柄種別判定テーブルでは、大当たり図柄種別乱数判定値が各種大当たり図柄に適宜に振り分けられている。なお、大当たり図柄種別の振分率については、適宜に変更することが可能である。また、大当たり図柄の種別については、適宜に増加したり減少したりすることが可能である。
【０１２２】
３−２−３．リーチ判定
リーチ判定は、例えば、大当たり判定の結果がハズレである場合に、図１０（Ｃ）に示すようなリーチ判定テーブルを用いて、後述する特図変動演出でリーチを発生させるか否かを決定することである。
【０１２３】
リーチ判定テーブルは、遊技状態（非時短状態／時短状態）に関連付けることが可能である。遊技状態に関連付けられる場合、例えば、リーチ判定テーブルには、非時短状態のときに用いられるリーチ判定テーブル（非時短用リーチ判定テーブル）と、時短状態のときに用いられるリーチ判定テーブル（時短用リーチ判定テーブル）とがある。
【０１２４】
各リーチ判定テーブルでは、リーチ判定の結果である「リーチ有り（リーチを発生させる）」と「リーチ無し（リーチを発生させない）」に、リーチ乱数の判定値（リーチ乱数判定値）が振り分けられている。よって、パチンコ遊技機ＰＹは、取得したリーチ乱数をリーチ判定テーブルに照合して、リーチ有りかリーチ無しか（リーチを発生させる否か）を判定する。
【０１２５】
図１０（Ｃ）に示すように、非時短用リーチ判定テーブルと時短用リーチ判定テーブルとで、「リーチ有り（リーチを発生させる）」と判定されるリーチ乱数判定値の数を異ならせることが可能である。なお、以下において、大当たり判定の結果が「ハズレ」であることを前提に行われるリーチ判定の結果「リーチ有り（リーチを発生させる）」のことを「リーチ有りハズレ」といい、「リーチ無し（リーチを発生させない）」のことを「リーチ無しハズレ」ということもある。また、「リーチ無しハズレ」のことを「どハズレ」と称し、「リーチ有りハズレ」のことを「リーチハズレ」と称することもある。
【０１２６】
３−２−４．特図変動パターン判定
特図変動パターン判定は、大当たり判定の結果が大当たり、およびハズレの何れの場合にも、例えば図１１〜図１２に示すような特別図柄の変動パターン判定テーブル（特図変動パターン判定テーブル）を用いて、特図の可変表示の変動パターン（特図変動パターン）を決定することである。
【０１２７】
特図変動パターンとは、特図変動時間、所謂「尺」や後述する特図変動演出の演出フロー（演出内容）などに関する所定事項を識別するための識別情報である。なお、特図変動パターンには、特図変動時間や特図変動演出の演出フロー（演出内容）の他、大当たり判定の結果、およびリーチ判定の結果に関する識別情報を含ませることも可能である。なお、特図変動パターンの種類や数は適宜に変更することが可能である。
【０１２８】
特図変動パターン判定テーブルは、判定対象となる可変表示を行う特別図柄の種別（特図１／特図２）、言い換えれば、当該特図変動パターン判定が起因する入賞が行われた始動口の種別（第１始動口１１／第２始動口１２）に関連付けることが可能である。すなわち、特図変動パターン判定テーブルには、特図１の可変表示を行うときに用いられる特図変動パターン判定テーブル（特図１変動パターン判定テーブル：図１１）と、特図２の可変表示を行うときに用いられる特図変動パターン判定テーブル（特図２変動パターン判定テーブル：図１２）とがある。
【０１２９】
そして、各特図変動パターン判定テーブルは、遊技状態（非時短状態／時短状態）に関連付けることが可能である。具体的には、特図１変動パターン判定テーブルには、非時短状態のときに用いられる特図１変動パターン判定テーブル（非時短用特図１変動パターン判定テーブル）と時短状態のときに用いられる特図１変動パターン判定テーブル（時短用特図１変動パターン判定テーブル）とがある。一方、特図２変動パターン判定テーブルについても同様に、非時短状態のときに用いられる特図２変動パターン判定テーブル（非時短用特図２変動パターン判定テーブル）と、時短状態のときに用いられる特図２変動パターン判定テーブル（時短用特図２変動パターン判定テーブル）と、がある。
【０１３０】
また、遊技状態（非時短状態／時短状態）に関連付けられた各特図変動パターン判定テーブルは、さらに、大当たり判定結果、およびリーチ判定結果にも関連付けることが可能である。すなわち、非時短用特図１変動パターン判定テーブルおよび時短用特図１変動パターン判定テーブルにはそれぞれ、大当たり用、リーチ有りハズレ用、およびリーチ無しハズレ用がある。同様に、非時短用特図２変動パターン判定テーブルおよび時短用特図２変動パターン判定テーブルにもそれぞれ、大当たり用、リーチ有りハズレ用、およびリーチ無しハズレ用がある。
【０１３１】
さらに、遊技状態に関連付けられた各リーチ無しハズレ用の特図１変動パターン判定テーブルは、特図１保留数にも関連付けることが可能である。例えば、特図１保留数（Ｕ１）が０〜２のときに用いられるリーチ無しハズレ用の特図１変動パターン判定テーブルと、特図１保留数（Ｕ１）が３〜４のときに用いられるリーチ無しハズレ用の特図１変動パターン判定テーブルと、がある。同様に、遊技状態に関連付けられた各リーチ無しハズレ用の特図２変動パターン判定テーブルも、特図２保留数にも関連付けることが可能である。具体的には、特図２保留数（Ｕ２）が０〜２のときに用いられるリーチ無しハズレ用の特図２変動パターン判定テーブルと、特図２保留数（Ｕ２）が３〜４のときに用いられるリーチ無しハズレ用の特図２変動パターン判定テーブルと、がある。
【０１３２】
そして、各特図変動パターン判定で決定された特図変動パターンに応じた特図変動時間の特図の変動表示が、特図表示器８１で行われる。そして、特図の変動表示の後に、特図可変表示の表示結果（特別図柄抽選の結果）として、大当たり図柄が停止表示されると、即座に次の特図の可変表示が行われず、引き続いて、大当たり遊技が実行される。
【０１３３】
また、各特図変動パターンに、図１１〜図１２の表の右から３番目の欄に示すような特図変動演出の演出フローを関連付けることが可能である。ここで、特図変動パターンに関連づけられた特図変動演出の演出フローを構成する代表的な演出について説明する。
【０１３４】
特図変動演出の演出フローを構成する演出として、通常変動、リーチ、ノーマルリーチ（Ｎリーチ）、ロングリーチ（Ｌリーチ）、スペシャルリーチ（ＳＰリーチ）、バトル演出、がある。
【０１３５】
通常変動は、停止表示していた演出図柄が変動を開始し、各演出図柄を構成する１つ１つが認識困難な程度に高速で変動表示して特図の可変表示が開始されたことを示唆する演出である。そして、リーチ無しハズレ変動に係る特図変動演出（演出図柄の変動開始から変動停止までの部分）、および、リーチが発生する特図変動演出におけるリーチが成立（確定）するまでの部分が通常変動で構成されることがある。
【０１３６】
Ｎリーチは、通常変動を経てリーチが成立（確定）した直後に、例えば当該リーチを構成する演出図柄が仮停止したその位置で所定時間（例えば、１０秒）維持された状態で、残り１つの演出図柄が減速していき、通常変動より低速で変動する演出である。Ｎリーチが示唆する大当たりの期待度は、通常変動より高く、後述するＬリーチ、およびＳＰリーチよりも低い。Ｎリーチで特図変動演出が終了する場合、その低速で変動する残りの１つの演出図柄が停止する。ハズレの場合、残りの１つの演出図柄は、リーチを構成する演出図柄とは異なる演出図柄で停止する。Ｎリーチで特図変動演出が終了しない場合、残りの１つの演出図柄が再び高速で変動し、リーチが維持されたままＮリーチからＬリーチ、ＳＰリーチに発展する（切り替わる）。
【０１３７】
Ｌリーチは、大当たりのときもハズレのときも実行可能であり、大当たり遊技状態になるか否かを示唆する演出であり、大当たり遊技状態になる可能性があることを示唆する。さらに、Ｌリーチは、例えばＮリーチの後に実行可能な演出であり、Ｎリーチよりも長時間行われ、Ｎリーチよりも大当たり期待度が高いことを示唆する。Ｌリーチでも、成立したリーチが維持されるが、当該リーチを構成する演出図柄が縮小されると共に、Ｎリーチのときよりも背景画像の支障にならない所定位置（例えば、後述する左演出図柄ＥＺ１が表示部５０ａの左上で、右演出図柄ＥＺ３が表示部５０ａの右上）に移動した状態で、Ｌリーチ専用の背景画像に切り替わる（Ｌリーチ専用の映像が流れる）。なお、Ｌリーチでは、主に表示部５０ａにおいて２ＤＣＧによるアニメーション画像が表示される。Ｌリーチの演出内容としては、主人公キャラクターが必殺技を習得するために特訓を行うなど後述のＳＰリーチに係る試合とは異なるシーンの映像が表示される。
【０１３８】
ＳＰリーチは、大当たりのときもハズレのときも実行可能であり、大当たり遊技状態になるか否かを示唆する演出であり、大当たり遊技状態になる可能性があることを示唆する。さらに、ＳＰリーチは、例えばＮリーチの後に実行可能な演出であり、Ｌリーチよりも長時間行われ、Ｌリーチよりも大当たり期待度が高いことを示唆する。ＳＰリーチでも、成立したリーチが維持されるが、当該リーチを構成する演出図柄が縮小されると共に、Ｎリーチのときよりも背景画像の支障にならない所定位置（例えば、後述する左演出図柄ＥＺ１が表示部５０ａの左上で、右演出図柄ＥＺ３が表示部５０ａの右上）に移動した状態で、ＳＰリーチ専用の背景画像に切り替わる（ＳＰリーチ専用の映像が流れる）。なお、ＳＰリーチでは、主に表示部５０ａにおいて３ＤＣＧ画像が表示される。そして、ＳＰリーチの演出内容としては、主人公キャラクターが所属するチームと、主人公キャラクターのライバルが所属するチームとが試合を行うシーンの映像が表示される。
【０１３９】
バトル演出は、例えば時短状態においてリーチ後に実行可能な演出であり、通常変動よりも大当たり期待度が高いことを示唆する演出である。バトル演出でも、成立したリーチが維持されるが、当該リーチを構成する演出図柄が縮小されると共に所定位置（例えば、左演出図柄ＥＺ１が表示部５０ａの左上で、右演出図柄ＥＺ３が表示部５０ａの右上）に移動した状態で、バトル演出専用の背景画像に切り替わる（バトル演出専用の映像が流れる）。また、バトル演出では、主に表示部５０ａにおいて３ＤＣＧ画像が表示される。
【０１４０】
なお、Ｎリーチ、Ｌリーチ、ＳＰリーチ、およびバトル演出における「リーチが維持された状態」には、当該Ｎリーチ、Ｌリーチ、ＳＰリーチ、およびバトル演出においてリーチを構成する演出図柄が表示部５０ａで視認可能である状態だけではなく、例えば、専用の背景画像との関係で所定期間、当該リーチを構成する演出図柄が表示部５０ａから視認困難または視認不可能な状態も含むものとする。また、通常変動、Ｎリーチ、Ｌリーチ、ＳＰリーチ、およびバトル演出の演出内容は適宜に変更可能である。さらに、特図変動演出を構成する演出は、これらに限られず、適宜に加え、あるいは減らすことが可能である。
【０１４１】
また、図１１〜図１２の表の右から２番目の欄に示すように、特図変動パターンに、大当たり判定結果および特図変動演出の演出内容などを関連付けて名称を付すことが可能である。そして、大当たりに係る特図変動パターンのことを「大当たり変動」、ハズレに係る特図変動パターンのことを「ハズレ変動」と総称することもある。
【０１４２】
さらに、大当たり判定結果に関わらずＳＰリーチが行われる特図変動パターンのことを「ＳＰリーチ変動」、Ｌリーチが行われる特図変動パターンのことを「Ｌリーチ変動」、Ｎリーチで特図変動演出が終わる特図変動パターンのことを「Ｎリーチ変動」と総称することもある。また、リーチ有りのハズレ変動のことを「リーチ有りハズレ変動」といい、リーチ無しのハズレ変動のことを「通常ハズレ変動」と総称することもある。
【０１４３】
３−２−５．先読み判定
パチンコ遊技機ＰＹは、大当たり判定を行う前に、取得した特図関連判定情報に基づいて、例えば図１３〜図１４に示すような先読み判定テーブルを用いて先読み判定を行うことが可能である。先読み判定テーブルは、その始動入賞に係る始動口の種別（第１始動口１１／第２始動口１２）、言い換えると、その始動入賞によって可変表示される特図の種類（特図１／特図２）に関連付けることが可能である。すなわち、先読み判定テーブルには、第１始動口１１に入賞し、特図１の可変表示が行われる場合の第１先読み判定テーブル（図１３）と、第２始動口１２に入賞し、特図２の可変表示が行われる場合の第２先読み判定テーブル（図１４）と、がある。なお、第１先読み判定テーブルに基づいて行う先読み判定を「第１先読み判定」、第２先読み判定テーブルに基づいて行う先読み判定を「第２先読み判定」ともいう。
【０１４４】
また、先読み判定テーブルは、後述する遊技状態（通常遊技状態／高確率高ベース遊技状態／低確率高ベース遊技状態）にも関連付けることが可能である。すなわち、先読み判定テーブルには、通常遊技状態のときに用いられる先読み判定テーブル（通常遊技状態用先読み判定テーブル）と、高確率高ベース遊技状態のときに用いられる先読み判定テーブル（高確率高ベース遊技状態用先読み判定テーブル）と、低確率高ベース遊技状態のときに用いられる先読み判定テーブル（低確率高ベース遊技状態用先読み判定テーブル）と、がある。
【０１４５】
つまり、先読み判定テーブルには、通常遊技状態のときに用いられる第１先読み判定テーブルと、高確率高ベース遊技状態のときに用いられる第１先読み判定テーブルと、低確率高ベース遊技状態のときに用いられる第１先読み判定テーブルと、通常遊技状態のときに用いられる第２先読み判定テーブルと、高確率高ベース遊技状態のときに用いられる第２先読み判定テーブルと、低確率高ベース遊技状態のときに用いられる第２先読み判定テーブルと、がある。
【０１４６】
なお、図１３〜図１４に示す先読み判定テーブルを用いる先読み判定によって、当該始動口１１、１２への入賞によって行われる特図の可変表示に係る特図変動パターンが特定される。すなわち、当該入賞に基づく特図の可変表示が行われるよりも前にその特図の可変表示に係る特図変動パターンが先読み判定結果として特定される。特図変動パターンを特定する過程で、大当たりの当否も先読み判定結果として特定される。
【０１４７】
そして、特図変動パターンなどに関する情報が含まれる先読み判定結果は始動入賞コマンドに対応付けられている。後述するように、始動入賞コマンドは、その生成に伴って先読み判定結果として演出制御基板１２０に送信される。なお、先読み判定結果としてどのような情報を特定させるかは適宜に変更可能である。例えば、大当たり図柄種別に関する情報も先読み判定結果に含ませることができる。
【０１４８】
以上のように、大当たり判定、大当たり図柄種別判定、リーチ判定、および特図変動パターン判定が行われることによって、特図表示器８１において特図の可変表示が行われる。そして、特図の可変表示で、表示結果（特別図柄抽選の結果）として、大当たり図柄が停止表示されると、次の特図の可変表示が行われず、引き続いて、大当たり遊技が実行される。次に、大当たり遊技について説明する。
【０１４９】
３−３．大当たり遊技
大当たり遊技は、大入賞口１４の開閉を伴う複数回のラウンド遊技と、大当たり遊技が開始してから初回のラウンド遊技が開始されるまでのオープニング（ＯＰとも表記する）と、最終回のラウンド遊技が終了してから大当たり遊技が終了するまでのエンディング（ＥＤとも表記する）とを含んでいる。各ラウンド遊技は、オープニングの終了又は前のラウンド遊技の終了によって開始し、次のラウンド遊技の開始又はエンディングの開始によって終了する。
【０１５０】
なお、ＯＰやＥＤを設けないようすることが可能である。また、以下において、所定回数目（所定の順番）のラウンド遊技を、単に「ラウンド」という。例えば、初回（１回目）のラウンド遊技のことを「１ラウンド（１Ｒ）」ともいい、１０回目のラウンド遊技のことを「１０ラウンド（１０Ｒ）」ともいう。
【０１５１】
そして、パチンコ遊技機ＰＹは、大当たり遊技制御テーブルを用いて大当たり遊技を制御する。大当たり遊技制御テーブルは大当たり図柄の種別毎に設定することが可能である。すなわち、大当たり遊技を大当たり図柄の種別に対応付けることが可能である。そして、大当たり遊技は１種類、または複数種類設定可能である。
【０１５２】
大当たり遊技制御テーブルには、大当たり遊技を構成する要素（大当たり遊技構成要素）が格納されている。大当たり遊技構成要素には、ラウンド遊技の回数、各回のラウンド遊技における大入賞口１４の開放回数、各開放が行われる大入賞口の種別および開放時間（開放パターン）、次回の開放まで閉鎖させる時間（閉鎖時間）、オープニングの時間（オープニング時間）、およびエンディングの時間（エンディング時間）などが含まれている。
【０１５３】
そして、パチンコ遊技機ＰＹは、例えば図１５（Ａ）に示すような大当たり遊技制御テーブルを用いて大当たり遊技を制御することが可能である。すなわち、図１５（Ａ）に示すような大当たり遊技の種別および各大当たり遊技に対する大当たり遊技構成要素を設定することが可能である。ここで、図１５（Ａ）で設定されている大当たり遊技について説明する。
【０１５４】
大当たり図柄Ａに対応付けられた大当たり遊技（以下、「第１大当たり遊技」ともいう）では、ラウンド遊技が１０回行われる。そして、１Ｒから１０Ｒまでの各ラウンド遊技では、１回のラウンド遊技あたり最大で２９．５秒にわたって大入賞口１４が開放する。また、第１大当たり遊技が開始されてから最初のラウンド遊技が開始されるまでの間、１０．０秒間にわたり大入賞口１４の閉鎖状態が保持されたオープニングがある。さらに、最後のラウンド遊技が終了してから第１大当たり遊技が終了するまでの間、１５．０秒間にわたり大入賞口１４の閉鎖状態が保持されたエンディングがある。
【０１５５】
大当たり図柄Ｂに対応付けられた大当たり遊技（以下、「第２大当たり遊技」ともいう）では、ラウンド遊技が５回行われる。そして、１Ｒから５Ｒまでの各ラウンド遊技では、１回のラウンド遊技あたり最大で２９．５秒にわたって大入賞口１４が開放する。また、第２大当たり遊技が開始されてから最初のラウンド遊技が開始されるまでの間、１０．０秒間にわたり大入賞口１４の閉鎖状態が保持されたオープニングがある。さらに、最後のラウンド遊技が終了してから第２大当たり遊技が終了するまでの間、１５．０秒間にわたり大入賞口１４の閉鎖状態が保持されたエンディングがある。
【０１５６】
大当たり図柄Ｃに対応付けられた大当たり遊技（以下、「第３大当たり遊技」ともいう）では、ラウンド遊技が５回行われる。そして、１Ｒから５Ｒまでの各ラウンド遊技では、１回のラウンド遊技あたり最大で２９．５秒にわたって大入賞口１４が開放する。また、第３大当たり遊技が開始されてから最初のラウンド遊技が開始されるまでの間、１０．０秒間にわたり大入賞口１４の閉鎖状態が保持されたオープニングがある。さらに、最後のラウンド遊技が終了してから第３大当たり遊技が終了するまでの間、１５．０秒間にわたり大入賞口１４の閉鎖状態が保持されたエンディングがある。
【０１５７】
大当たり図柄Ｄに対応付けられた大当たり遊技（以下、「第４大当たり遊技」ともいう）では、ラウンド遊技が１０回行われる。そして、１Ｒから１０Ｒまでの各ラウンド遊技では、１回のラウンド遊技あたり最大で２９．５秒にわたって大入賞口１４が開放する。また、第４大当たり遊技が開始されてから最初のラウンド遊技が開始されるまでの間、１０．０秒間にわたり大入賞口１４の閉鎖状態が保持されたオープニングがある。さらに、最後のラウンド遊技が終了してから第４大当たり遊技が終了するまでの間、１５．０秒間にわたり大入賞口１４の閉鎖状態が保持されたエンディングがある。
【０１５８】
大当たり図柄Ｅに対応付けられた大当たり遊技（以下、「第５大当たり遊技」ともいう）では、ラウンド遊技が６回行われる。そして、１Ｒから６Ｒまでの各ラウンド遊技では、１回のラウンド遊技あたり最大で２９．５秒にわたって大入賞口１４が開放する。また、第５大当たり遊技が開始されてから最初のラウンド遊技が開始されるまでの間、１０．０秒間にわたり大入賞口１４の閉鎖状態が保持されたオープニングがある。さらに、最後のラウンド遊技が終了してから第５大当たり遊技が終了するまでの間、１５．０秒間にわたり大入賞口１４の閉鎖状態が保持されたエンディングがある。
【０１５９】
大当たり図柄Ｆに対応付けられた大当たり遊技（以下、「第６大当たり遊技」ともいう）では、ラウンド遊技が６回行われる。そして、１Ｒから６Ｒまでの各ラウンド遊技では、１回のラウンド遊技あたり最大で２９．５秒にわたって大入賞口１４が開放する。また、第６大当たり遊技が開始されてから最初のラウンド遊技が開始されるまでの間、１０．０秒間にわたり大入賞口１４の閉鎖状態が保持されたオープニングがある。さらに、最後のラウンド遊技が終了してから第５大当たり遊技が終了するまでの間、１５．０秒間にわたり大入賞口１４の閉鎖状態が保持されたエンディングがある。
【０１６０】
なお、各ラウンド遊技では、予め定めた所定個数（例えば１０個）の遊技球が大入賞口センサ１４ａによって検知されると、大入賞口１４の最大開放時間が経過する前であっても、大入賞口１４を閉鎖してラウンド遊技が終了する。また、大当たり遊技構成要素の種類や具体的な内容については、適宜に変更することが可能である。
【０１６１】
また、図１５（Ａ）に示す大当たり遊技制御テーブルでは、何れの種類の大当たり遊技が実行されるかは、大当たり図柄の種類によって決定されているが、これとは異なる方法で大当たり遊技が実行されるようにしても良い。例えば、遊技領域６に２つの入賞口に振分け可能な装置を設け、一方の入賞口に入賞すると所定数のラウンド遊技からなる大当たり遊技のみが実行される一方、他方の入賞口に入賞すると、所定数より多いラウンド遊技からなる大当たり遊技と所定数より少ないラウンド遊技からなる大当たり遊技の何れかが抽選などによって所定の確率で実行されるようにしても良い。
【０１６２】
３−４．遊技状態
次に、パチンコ遊技機ＰＹが制御可能な遊技状態について説明する。パチンコ遊技機ＰＹは、大当たり遊技が実行されている状態である大当たり遊技状態と、大当たり遊技が実行されていない非大当たり遊技状態がある。非大当たり遊技状態には、基本的なベースとなる遊技状態である通常遊技状態と、通常遊技状態よりも遊技者に有利な特定遊技状態と、がある。この特定遊技状態に係る「遊技者に有利」となる要素には大当たり確率と、第２始動口１２の開放の容易性とがある。すなわち、特定遊技状態に大当たり確率と、第２始動口１２の開放の容易性を関連付けることができる。
【０１６３】
大当たり確率について遊技者に有利とは、通常遊技状態よりも大当たり確率が高くなり、大当たり当選し易くなるということである。また、第２始動口１２の開放の容易性について遊技者に有利とは、通常遊技状態よりも第２始動口１２の開放の容易性が高くなり、単位時間あたりの第２始動口１２の開放時間が長くなるということである。
【０１６４】
そして、特定遊技状態としては、大当たり確率および第２始動口１２の単位時間あたりの開放時間の何れもが遊技者に有利な第１特定遊技状態と、大当たり確率のみが遊技者に有利な第２特定遊技状態と、第２始動口１２の単位時間あたりの開放時間のみが遊技者に有利な第３特定遊技状態の３種類を設定可能である。なお、これらの３種類の特定遊技状態の全てをパチンコ遊技機ＰＹに搭載せずに、３種類の特定遊技状態の中の一部を搭載することもできる。
【０１６５】
ここで、大当たり確率に注目した部分的な遊技状態として、大当たり確率が通常遊技状態よりも高くなり、大当たり確率について遊技者に有利な状態を「高確率状態」という。これに対して、大当たり確率が通常遊技状態での通常確率であり、大当たり確率について遊技者に有利ではない状態を「通常確率状態」という。
【０１６６】
また、単位時間あたりの第２始動口１２の開放時間に注目した部分的な遊技状態として、単位時間あたりの第２始動口１２の開放時間が通常遊技状態よりも長く、第２始動口１２の開放の容易性が遊技者に有利な状態を「時短状態」という。これに対して、単位時間あたりの第２始動口１２の開放時間が通常遊技状態での開放時間であり、第２始動口１２の開放の容易性が遊技者に有利ではない状態を「非時短状態」という。
【０１６７】
ここで、非時短状態と時短状態について詳細に説明する。前述のように、時短状態は、非時短状態に比べて、単位時間当たりの電チュー１２Ｄの開放時間が長くなる。すなわち、時短状態は非時短状態よりも第２始動口１２に入賞させ易い状態である。ここで、非時短状態よりも時短状態で第２始動口１２に入賞させ易くするための具体的な方法について説明する。
【０１６８】
例えば、時短状態を、非時短状態に比べて普図変動時間が短くなり易い状態にすることで、時短状態では第２始動口１２に入賞させ易くすることができる。例えば、前述の通り、当たり判定の結果に関わらず、時短状態においては、非時短状態において決定される普図変動時間（３０．０秒）よりも短い普図変動時間（５．０秒）が決定されるようにする。その結果、時短状態の方が、単位時間当たりにおける普図抽選の実行回数が多くなる。この場合、非時短状態と時短状態の違いに関わらず、当たり判定で当たりに当選する確率と１回の補助遊技における電チュー１２Ｄの開放時間が同一であると、単位時間あたりにおける普図抽選の実行回数が多い分、単位時間あたりの電チュー１２Ｄの開放時間が長くなる。
【０１６９】
また、時短状態を、非時短状態に比べて１回の補助遊技における電チュー１２Ｄの開放時間が長くなり易い状態にすることで、時短状態では第２始動口１２に入賞させ易くすることができる。例えば、前述の通り、非時短状態では、１回の補助遊技で電チュー１２Ｄが０．２秒開放するのに対し、時短状態では、１回の補助遊技で電チュー１２Ｄが合計で５．０秒開放するようにする。この場合、非時短状態と時短状態の違いに関わらず、当たり判定で当たりに当選する確率と普図変動時間が同一であると、単位時間あたりの補助遊技の実行回数が等しくなるため、１回の補助遊技での電チュー１２Ｄの開放時間が長い分、単位時間あたりの電チュー１２Ｄの開放時間が長くなる。
【０１７０】
さらに、時短状態を、非時短状態に比べて当たり判定で当たりと判定され易い状態にすることで、時短状態では第２始動口１２に入賞させ易くすることができる。例えば、前述の通り、非時短状態では、当たり判定において６６００／６５５３６の確率で当たりと判定されるのに対し、時短状態では、当たり判定において５９９３６／６５５３６の確率で当たりと判定されるようにする。この場合、非時短状態と時短状態の違いに関わらず、１回の補助遊技における電チュー１２Ｄの開放時間と普図変動時間が同一であると、当たり判定で当たりと判定される確率が高い分、単位時間あたりの当たり判定の回数が多くなるため、単位時間あたりの電チュー１２Ｄの開放時間が長くなる。
【０１７１】
このように、時短状態においては非時短状態よりも当たりに当選し易いこと、普図変動時間が短くなり易いこと、および１回の補助遊技における電チュー１２Ｄの開放時間が長くなり易いことからなる３つの条件が成立することによって、時短状態では、非時短状態に比べて、単位時間あたりの電チュー１２Ｄの開放時間が長くなり、第２始動口１２への入賞を容易にすることができる。この結果、発射球数に対する賞球数の割合である所謂「ベース」が高くなる。そのため、ベースの高い時短状態では、通常遊技状態に比べて所持する遊技球を大きく減らすことなく大当たり当選を狙うことができる。すなわち、時短状態の方が非時短状態よりも遊技者にとって有利であるといえる。
【０１７２】
なお、時短状態においては、第２始動口１２の単位時間あたりの開放時間が長くなるための３つの条件が全て揃わずに一部の条件のみが揃うようにしても良い。最終的に、時短状態では、非時短状態に比べて、単位時間当たりの電チュー１２Ｄの開放時間が長くなり、第２始動口１２への入賞が容易になればよい。
【０１７３】
また、時短状態では、非時短状態に比べて特図変動時間の短い特図変動パターンが選択され易くなるようにするなどして、単位時間あたりにおける特図可変表示の実行回数が少ない、または特図変動時間の平均が低くなるようにしても良い。その結果、時短状態では、特図保留が消化されるペースが速くなり、始動口への有効な入賞（特図保留として記憶され得る入賞）が発生しやすくなる。そのため、スムーズな遊技の進行のもとで大当たりを狙うことができる。
【０１７４】
なお、以下において、各特定遊技状態について遊技者に対する有利性の内容に関連付けて、第１特定遊技状態のことを「高確率高ベース遊技状態」、第２特定遊技状態のことを「高確率低ベース遊技状態」、および第３特定遊技状態のことを「低確率高ベース遊技状態」ともいう。さらに、通常遊技状態のことを「低確率低ベース遊技状態」ともいう。
【０１７５】
よって、低確率低ベース遊技状態は、通常確率状態且つ非時短状態で制御されている遊技状態といえる。同様に、低確率高ベース遊技状態は通常確率状態且つ時短状態、高確率低ベース遊技状態は高確率状態且つ非時短状態、および高確率高ベース遊技状態は高確率状態且つ時短状態で制御されている遊技状態といえる。
【０１７６】
このように、パチンコ遊技機ＰＹは、低確率低ベース遊技状態、低確率高ベース遊技状態、高確率低ベース遊技状態、高確率高ベース遊技状態、および大当たり遊技状態で制御可能である。なお、大当たり遊技状態では、大入賞口１４が長時間開放し、遊技球を多量に獲得することができるので、大当たり遊技状態も遊技者に有利な遊技状態ということができる。よって、大当たり遊技状態と、特定遊技状態は、通常遊技状態よりも遊技者に有利な「有利遊技状態」ということもできる。
【０１７７】
なお、高確率高ベース遊技状態、および高確率低ベース遊技状態は、大当たり確率が通常確率状態よりも高確率となっている点で低確率低ベース遊技状態よりも遊技者に有利な遊技状態である。また、高確率高ベース遊技状態、および低確率高ベース遊技状態は、第２始動口１２への入賞容易性が非時短状態よりも高い点で低確率低ベース遊技状態よりも遊技者に有利な遊技状態である。さらには、大当たり遊技状態では、１回の入賞による賞球数が第１始動口１１、および第２始動口１２よりも多い大入賞口１４が開放するので、大当たり遊技状態は低確率低ベース遊技状態よりも遊技者に有利な遊技状態である。
【０１７８】
また、パチンコ遊技機ＰＹの電源が投入されると最初に通常遊技状態が設定される。また、大当たり遊技状態は、大当たり図柄の停止表示が行われることによって設定される。一方、特定遊技状態は、大当たり当選して大当たり遊技が実行されることによって設定される。次に、特定遊技状態の設定について説明する。
【０１７９】
３−５．特定遊技状態の設定
パチンコ遊技機ＰＹは、大当たり遊技の終了に伴って、新たに特定遊技状態を設定することができる。すなわち、大当たり遊技の後に、特定遊技状態にて遊技を制御・進行させることができる。この特定遊技状態の継続期間は適宜に設定可能である。例えば、特定遊技状態を次回大当たり当選するまで継続させることができる。また、特定遊技状態が継続できる期間を制限することもできる。
【０１８０】
特定遊技状態の継続期間を制限させる場合は、継続期間に対する終了条件が成立することを契機に特定遊技状態を終了させることができる。そして、特定遊技状態が終了すると通常遊技状態が設定されるようにすることができる。また、高確率高ベース遊技状態については、終了条件が成立すると、低確率高ベース遊技状態または高確率低ベース遊技状態が設定されるようにすることもできる。この場合、新たに設定された低確率高ベース遊技状態または高確率低ベース遊技状態は次回大当たり当選するまで継続するようにしても良い。また、新たに設定された低確率高ベース遊技状態または高確率低ベース遊技状態についても同一または異なる終了条件を設け、当該終了条件が成立すると通常遊技状態が設定されるようにしても良い。
【０１８１】
また、特定遊技状態の継続期間に対する終了条件は適宜に設定することができる。終了条件として、例えば特図可変表示の実行回数を設定することができる。また、特図可変表示の実行回数に限られず、大当たり遊技後の経過時間、大当たり遊技後の遊技球の発射球数、大当たり遊技後のゲート１３への通過回数、または特定遊技状態を終了させるか否かの抽選（所謂、「転落抽選」）において終了させるという結果の導出などを終了条件に設定することができる。さらには、これらの要素を単独で終了条件に設定しても良く、また複合的に設定しても良い。
【０１８２】
なお、これらの終了条件は、大当たり遊技後に設定可能な全ての特定遊技状態に対して同一に設定しても良く、また設定可能な特定遊技状態の中の一部の特定遊技状態に対して設定しても良い。さらに、特定遊技状態毎に終了条件を異ならせても良い。
【０１８３】
さらに、大当たり遊技の後に制御される特定遊技状態、終了条件の有無、および終了条件の内容は、その大当たり遊技に係る大当たり図柄種別に対応付けることが可能である。例えば、前述のように大当たり図柄種別が設定されている場合、図１５（Ｂ）に示すように、大当たり図柄Ａ、大当たり図柄Ｂ、および大当たり図柄Ｄに係る大当たり遊技の終了後に高確率高ベース遊技状態で遊技が制御されるようにしても良い。ここで、この高確率高ベース遊技状態については終了条件を設けずに、大当たり当選するまで継続可能にすることができる。さらに、大当たり図柄Ｃ、および大当たり図柄Ｅに係る大当たり遊技の終了後に低確率高ベース遊技状態で遊技が制御されるようにしても良い。ここで、この低確率高ベース遊技状態については終了条件を設け、終了条件として１００回の特図可変表示に設定することができる。なお、この大当たり種別図柄と大当たり遊技の後に制御される特定遊技状態、終了条件の有無、および終了条件の内容との関係は一例であって、これに限られない。
【０１８４】
また、大当たりの遊技利益に着目し、大当たり遊技後に高確率状態で遊技が進行する大当たりのことを「高確率大当たり」ともいう。さらに、大当たり遊技後に高確率状態且つ時短状態で遊技が進行する大当たりのことを「確変大当たり」ともいう。加えて、大当たり遊技後に通常確率状態且つ時短状態で遊技が進行する大当たりのことを「時短大当たり」ともいう。
【０１８５】
４．遊技機による主な演出
次に、パチンコ遊技機ＰＹにより行われる主な演出について、図１６〜図３２を用いて説明する。
【０１８６】
４−１．演出モード
最初に、演出モードについて説明する。演出モードは、演出の区分（あるいは、上位概念的な属性）のことである。パチンコ遊技機ＰＹは、演出モードとして、客待ち演出モード、通常演出モードと、確変演出モード、時短演出モードおよび大当たり演出モードを設定することが可能である。
【０１８７】
客待ち演出モードは、「低確率低ベース遊技状態」、「低確率高ベース遊技状態」、「高確率低ベース遊技状態」および「高確率高ベース遊技状態」において特図可変表示が行われていないときに設定可能であり、特図可変表示が行われていない待機状態であることを示す演出モードである。客待ち演出モードが設定されているときに客待ち演出が行われる。客待ち演出では、例えば、図１６（Ａ）に示すように、表示部５０ａにおいてパチンコ遊技機ＰＹを紹介する客待ちデモ動画Ｇ１００が表示される。また、客待ちデモ動画Ｇ１００が表示されているときに第１演出ボタン４０ｋが操作されると、図１６（Ｂ）に示すように、パチンコ遊技機ＰＹの演出に関する設定を行うための設定画面Ｇ１０１が表示される。演出に関する設定には、スピーカー５２から出力される音の音量設定、表示部５０ａの輝度設定、および実行される演出の頻度設定などがある。なお、演出に関する設定の項目は適宜に設定することができる。また、客待ちデモ動画Ｇ１００から遊技者の操作によって設定画面Ｇ１０１が表示されないようにすることもできる。
【０１８８】
通常演出モードは、「低確率低ベース遊技状態」において設定可能であり、通常遊技状態であることを示す演出モードである。そして、さらに通常演出モードに属する下位の演出モードを複数設けることができる。例えば、通常演出モードに属する下位の階層の演出モードとして、第１通常演出モード、第２通常演出モード、および第３通常演出モードなどを設けることができる。
【０１８９】
なお、以下において、演出モードに属する下位の階層の演出モードを「演出ステージ」ともいう。それに伴って、第１通常演出モードを「第１通常演出ステージ」ともいい、第２通常演出モードを「第２通常演出ステージ」ともいい、第３通常演出モードを「第３通常演出ステージ」ともいう。なお、特段の事情がない場合以外、基本的にはパチンコ遊技機ＰＹの電源が投入された後、最初に特図変動表示が開始されたときに設定される演出モードは第１通常演出ステージ（第１通常演出モード）であるとする。ただし、当該最初に設定される演出モードの種類は特に限定されずに適宜変更しても良い。
【０１９０】
このように通常演出モードに属する複数の演出ステージを設けた場合、所定の切替条件が成立すると演出ステージを順番に繰り返して切り替えていくことができる。切替条件は適宜に設定可能であるが、例えば、切替条件として、大当たりに当選することなく所定回数の特図可変演出が行われることに設定することができる。さらに、切替条件として、ＳＰリーチハズレ変動に基づく特図変動演出など、特定の演出が実行されることに設定することもできる。
【０１９１】
また、後述するように特図変動演出においてリーチが発生することがあるが、特図変動演出を、リーチが発生しない場合の特図変動演出の全区間、およびリーチが発生する場合のリーチが成立する前の前段部分と、リーチが発生する場合のリーチが成立した後の後段部分と、に分けることができる。なお、前段部分は、前述の「通常変動」で構成される。
【０１９２】
そして、第１通常演出ステージの前段部分では、表示部５０ａにおいて、主に街の景色を表す背景画像（図１７（Ａ）：第１通常用背景画像Ｇ１１１）が表示される。第２通常演出ステージの前段部分では、表示部５０ａにおいて、主に野球場のグラウンドを表す背景画像（図１７（Ｂ）：第２通常用背景画像Ｇ１１２）が表示される。第３通常演出ステージの前段部分では、表示部５０ａにおいて、主に飲食店内を表す背景画像（図１７（Ｃ）：第３通常用背景画像Ｇ１１３）が表示される。一方、第１通常演出ステージ〜第３通常演出ステージの後段部分では、第１通常用背景画像Ｇ１１１、第２通常用背景画像Ｇ１１２および第３通常用背景画像Ｇ１１３が表示されず、通常演出モードにおけるリーチの種類に応じた専用の背景画像が表示される。
【０１９３】
なお、通常演出モードにおけるリーチの種類に応じた専用の背景画像は、演出ステージの種別に関係なく通常演出モードに共通の背景画像としても良く、また、演出ステージ毎に異なる背景画像としても良い。
【０１９４】
また、「高確率低ベース遊技状態」においても通常演出モードを設定可能にし、通常演出モードは非時短状態であることを示す演出モードにしても良い。あるいは「高確率低ベース遊技状態」においてのみ設定され、通常演出モードとは異なる所定の演出モードを設けても良い。さらに、ある条件で発生した低確率低ベース遊技状態、および高確率低ベース遊技状態において、通常演出モードと異なる所定の演出モードを設定しても良い。
【０１９５】
確変演出モードは、「高確率高ベース遊技状態」において設定可能であり、高確率高ベース遊技状態であることを示す演出モードである。確変演出モードの前段部分では、例えば、図１７（Ｄ）に示すように、表示部５０ａにおいて宇宙を表す背景画像（確変用背景画像Ｇ１２０）が表示され、確変用ＢＧＭがスピーカー５２から出力される。また、確変演出モードの後段部分では、確変演出モードにおけるリーチの種類に応じた専用の背景画像が表示される。
【０１９６】
時短演出モードは、「低確率高ベース遊技状態」または「高確率高ベース遊技状態」において設定可能であり、低確率高ベース遊技状態、または高確率高ベース遊技状態の何れかであり、少なくとも時短状態であることを示す演出モードである。時短演出モードの前段部分では、例えば、図１７（Ｅ）に示すように、表示部５０ａにおいて空を表す背景画像（時短用背景画像Ｇ１３０）が表示され、時短用ＢＧＭがスピーカー５２から出力される。また、時短演出モードの後段部分では、時短演出モードにおけるリーチの種類に応じた専用の背景画像が表示される。
【０１９７】
なお、時短演出モードは、低確率高ベース遊技状態においてのみ設定され、低確率高ベース遊技状態であることを示す演出モードにすることもできる。
【０１９８】
また、確変演出モードおよび時短演出モードの何れもまたは何れか一方について、通常演出モードと同様に、さらにその演出モード用の演出ステージを複数設け、所定の切替条件が成立すると、演出ステージが切り替わるようにしても良い。
【０１９９】
大当たり演出モードは、「大当たり遊技状態」において大当たり遊技が行われているときに設定可能な演出モードであり、大当たり遊技が行われていることを示す演出モードである。大当たり演出モードでは、例えば、大当たり遊技におけるオープニング中に、図１８（Ａ）に示すように、表示部５０ａにおいて、大当たり遊技の開始を示唆するオープニング画像Ｇ１や「右打ち」を促す右打ち画像Ｇ２が表示される大当たりオープニング演出が行われる。加えて、オープニング中には、大当たりオープニング演出として、表示部５０ａにおいて、オープニング画像Ｇ１や右打ち画像Ｇ２の背景で、大当たり遊技の種別に応じた背景画像（オープニング用背景画像Ｇ２００）が表示される。
【０２００】
また、大当たり演出モードでは、大当たり遊技におけるラウンド遊技中に、図１８（Ｂ）に示すように、表示部５０ａにおいて、右打ち画像Ｇ２がオープニングから引き続いて表示されると共に、ラウンド数を示すラウンド画像Ｇ３や払い出された賞球数を示唆する賞球数画像Ｇ４が表示されるラウンド演出が行われる。加えて、ラウンド遊技中には、ラウンド演出として、表示部５０ａにおいて、右打ち画像Ｇ２、ラウンド画像Ｇ３、および賞球数画像Ｇ４の背景で、大当たり遊技の種別に応じた背景画像（ラウンド用背景画像Ｇ２０１）が表示されると共に、スピーカー５２から大当たり遊技の種別に応じたＢＧＭが出力される。
【０２０１】
さらに、大当たり遊技におけるエンディング中には、図１８（Ｃ）に示すように、表示部５０ａにおいて、大当たり遊技後に設定される演出モードを示唆するエンディング画像Ｇ５や払い出された総賞球数を示唆する総賞球数画像Ｇ６が表示される大当たりエンディング演出が行われる。加えて、エンディング中には、大当たりエンディング演出として、表示部５０ａにおいて、エンディング画像Ｇ５や総賞球数画像Ｇ６の背景で、大当たり遊技の種別に応じた背景画像（エンディング用背景画像Ｇ２０２）が表示される。
【０２０２】
なお、以下において、大当たりオープニング演出、ラウンド演出、および大当たりエンディング演出を合わせて、大当たり遊技において実行される演出として「大当たり遊技演出」ともいう。すなわち、大当たり演出モードにおいて大当たり遊技演出が行われる。
【０２０３】
４−２．特図変動演出
次に、特図変動演出について説明する。パチンコ遊技機ＰＹは、特図の可変表示が開始されると、特図の可変表示に係る特図変動パターンおよび特図抽選結果（大当たり判定結果、大当たり図柄種別判定結果、リーチ判定結果、および、特図変動パターン判定結果）などに基づいて、特図変動演出を実行する。
【０２０４】
特図変動演出では、表示部５０ａにおいて、所定の背景画像に重畳的に、演出図柄の変動表示が行われる。演出図柄の変動表示では、演出図柄が変動した後に停止する。すなわち、特図変動時間、演出図柄の変動表示が行われた後に、当該変動が停止して、演出図柄の停止表示が行われる。そして、基本的には、演出図柄の停止表示によって特図抽選の結果が報知される。
【０２０５】
なお、表示部５０ａで行われる特図変動演出では、演出図柄の変動表示以外の画像を用いることも可能である。さらに、表示部５０ａを含む画像表示装置５０以外に、スピーカー５２、枠ランプ５３、盤可動装置５５、第１演出ボタン装置４０、および第２演出ボタン装置４１などの様々な演出装置を用いた特図変動演出を行うことが可能である。
【０２０６】
次に、特図可変表示に応じて実行される特図変動演出において、表示部５０ａに表示される演出図柄について説明する。演出図柄は、特図抽選結果を示すための識別情報でもあり、複数種類設けられている。詳細には、演出図柄の構成要素の１つが、特図抽選結果を示すための識別情報を構成し、その識別情報の違いによって演出図柄が複数種類設けられている。
【０２０７】
例えば、図１９（Ａ）に示すように、演出図柄を１〜９の数字で構成させ、９つの演出図柄を設けることができる。そして、数字「１」を含む演出図柄を演出図柄Ｇ１０ａとする。同様に、数字「２」〜数字「９」を含む演出図柄を演出図柄Ｇ１０ｂ〜演出図柄Ｇ１０ｅとする。なお、便宜上、個々の演出図柄を区別なく取り扱う場合は、「演出図柄Ｇ１０」と総称する。
【０２０８】
また、「３」、および「７」に係る演出図柄Ｇ１０ｃ、Ｇ１０ｇの数字部分は赤色であり、「１」、「２」、「４」、「５」、「６」、「８」、および「９」の演出図柄Ｇ１０ａ、Ｇ１０ｂ、Ｇ１０ｄ、Ｇ１０ｅ、Ｇ１０ｆ、Ｇ１０ｈ、Ｇ１０ｉの数字部分は青色である。すなわち、演出図柄Ｇ１０の構成要素に、色が含まれている。なお、演出図柄Ｇ１０の構成や識別情報を何に設定するかは適宜に変更しても良い。例えば、演出図柄Ｇ１０に、各数字に対応付けられたキャラクターなどの他の構成要素を加えても良い。
【０２０９】
続いて、演出図柄Ｇ１０を表示するための演出図柄表示領域について説明する。例えば、図１９（Ｂ）に示すように、表示部５０ａを水平方向に略均等に３つに分けた左側、中央および右側を、左演出図柄領域５０ｂ１、中演出図柄領域５０ｂ２、および右演出図柄領域５０ｂ３とすることができる。左演出図柄領域５０ｂ１、中演出図柄領域５０ｂ２、および右演出図柄領域５０ｂ３の何れにも演出図柄Ｇ１０が表示される。
【０２１０】
そして、主に、特図変動演出の前段部分において、左演出図柄領域５０ｂ１に表示される演出図柄Ｇ１０を「左演出図柄ＥＺ１」と総称し、中演出図柄領域５０ｂ２に表示される演出図柄Ｇ１０を「中演出図柄ＥＺ２」と総称し、および右演出図柄領域５０ｂ３に表示される演出図柄Ｇ１０を「右演出図柄ＥＺ３」と総称する。すなわち、左演出図柄領域５０ｂ１、中演出図柄領域５０ｂ２、および右演出図柄領域５０ｂ３において、共通して、数字の１〜９からなる演出図柄Ｇ１０が表示されるが、相対的な表示位置で演出図柄Ｇ１０を区別する場合には、左演出図柄ＥＺ１、中演出図柄ＥＺ２、および右演出図柄ＥＺ３と表記する。
【０２１１】
なお、後述するように、特図変動演出において、演出図柄ＥＺ１〜ＥＺ３の変動表示が行われるが、最終的には、特図抽選結果（大当たり判定結果、大当たり図柄種別、リーチ判定結果）を示す態様で演出図柄ＥＺ１〜ＥＺ３の停止表示が行われる。そして、特図抽選結果として大当たりを報知する場合には、同じ数字の演出図柄Ｇ１０が３つ横に並ぶように（所謂「ゾロ目」で）、演出図柄ＥＺ１〜ＥＺ３が停止表示する。そこで、以下において、大当たりを報知する場合に停止表示している演出図柄ＥＺ１〜ＥＺ３を構成する同一の数字からなる演出図柄Ｇ１０のことを「大当たり演出図柄」と称する。例えば、演出図柄ＥＺ１〜ＥＺ３が「７・７・７」と停止表示する場合、大当たり演出図柄は「演出図柄Ｇ１０ｇ」となり、「９・９・９」と停止表示する場合、大当たり演出図柄は「演出図柄Ｇ１０ｉ」となる。また、さらに、大当たり演出図柄について、演出図柄に含まれる数字で略称することもある。例えば、大当たり演出図柄が「演出図柄Ｇ１０ｇ」であれば大当たり演出図柄は「７」となり、大当たり演出図柄が「演出図柄Ｇ１０ｉ」であれば大当たり演出図柄は「９」となる。また、後述するように、特図変動演出において、特図抽選結果が完全に示されるのは、演出図柄ＥＺ１〜ＥＺ３が確定的に停止表示するときである。しかしながら、基本的には、特図変動演出の途中で、演出図柄ＥＺ１〜ＥＺ３が確定的に停止表示する前に、演出図柄ＥＺ１〜ＥＺ３が暫定的に停止表示（仮停止表示）する。これは、一度暫定的に停止表示された演出図柄ＥＺ１〜ＥＺ３の内容が変更することもあるからである。例えば、ある（相対的に遊技者に不利な）大当たりを示す態様で演出図柄ＥＺ１〜ＥＺ３が暫定的に停止表示した後に、別の（相対的に遊技者に有利な）大当たりを示す態様に変更されることがある。そこで、このように最初に大当たりを示す態様で演出図柄ＥＺ１〜ＥＺ３が暫定的に停止表示する場合（変更される前）の演出図柄ＥＺ１〜ＥＺ３を構成する同一の数字からなる演出図柄Ｇ１０のことについても「大当たり演出図柄」と称する。
【０２１２】
また、特図変動演出において、演出図柄ＥＺ１〜ＥＺ３の変動表示が行われるが、演出図柄ＥＺ１〜ＥＺ３の変動表示の途中で、左演出図柄ＥＺ１および右演出図柄ＥＺ３が同じ数字の演出図柄Ｇ１０で暫定的に停止表示（仮停止表示）するリーチを行うことがある。後述するように、リーチは、大当たり遊技状態になる可能性があることを示唆する演出であり、リーチが行われたことによって大当たりに対してチャンスアップしたことになる。そこで、リーチに係る左演出図柄ＥＺ１および右演出図柄ＥＺ３を構成する同一の数字からなる演出図柄Ｇ１０のことを「リーチ演出図柄」と称する。例えば、左演出図柄ＥＺ１および右演出図柄ＥＺ３が「１」の演出図柄Ｇ１０ａで仮停止表示する場合、リーチ演出図柄は「演出図柄Ｇ１０ａ」となり、「３」の演出図柄Ｇ１０ａで仮停止表示する場合、リーチ演出図柄は「演出図柄Ｇ１０ｃ」となる。また、さらに、リーチ演出図柄について、演出図柄に含まれる数字で略称することもある。例えば、リーチ演出図柄が「演出図柄Ｇ１０ａ」であればリーチ演出図柄を「１」と略称し、リーチ演出図柄が「演出図柄Ｇ１０ｃ」であればリーチ演出図柄を「３」と略称する。
【０２１３】
また、図１９（Ｂ）に示すように、表示部５０ａの下端部の左端（左下隅）の一区画に、小図柄を可変表示する小図柄領域５０ｃを設けることが可能である。小図柄領域５０ｃにおいて、特図の可変表示に応じて小図柄を可変表示させることができる。なお、小図柄のデザインは適宜に設定可能であるが、例えば、演出図柄Ｇ１０の数字部分をそのまま縮小させて構成させることができる。
【０２１４】
なお、図１９（Ｂ）において、左演出図柄領域５０ｂ１、中演出図柄領域５０ｂ２、右演出図柄領域５０ｂ３、および小図柄領域５０ｃは一点鎖線で明示されているが、これは左演出図柄領域５０ｂ１、中演出図柄領域５０ｂ２、右演出図柄領域５０ｂ３、および小図柄領域５０ｃの範囲を表すために記載したものであり、実際には表示されていない。
【０２１５】
また、前述したように、特図変動演出の演出フローを構成する演出として、通常変動、Ｎリーチ、Ｌリーチ、ＳＰリーチ、およびバトル演出がある。ここで、これらの一部について説明する。
【０２１６】
４−２−１．通常変動
パチンコ遊技機ＰＹは、特図変動演出において、先ず通常変動を行うことが可能である。通常変動は、特図の可変表示が開始されたことを示唆する演出として機能する。次に、通常変動を具体的に説明する。なお、小図柄として、左演出図柄ＥＺ１、中演出図柄ＥＺ２、および右演出図柄ＥＺ３に対応する左小図柄ＫＺ１、中小図柄ＫＺ２、および右小図柄ＫＺ３が小図柄領域５０ｃで可変表示する。
【０２１７】
例えば、図２０（Ａ）に示すように、表示部５０ａにおいて、左演出図柄ＥＺ１、中演出図柄ＥＺ２および右演出図柄ＥＺ３が停止表示されていると共に、左小図柄ＫＺ１、中小図柄ＫＺ２および右小図柄ＫＺ３が停止表示されており、特図の可変表示が行われておらず、特図の可変表示を待機している状態から、特図の可変表示が開始されると、図２０（Ｂ）に示すように、その開始に伴って特図変動演出が開始される。具体的には、演出図柄ＥＺ１〜ＥＺ３の変動表示が開始されると共に、左小図柄ＫＺ１、中小図柄ＫＺ２および右小図柄ＫＺ３の変動表示が開始される。
【０２１８】
演出図柄ＥＺ１〜ＥＺ３の変動表示の表示態様と、小図柄ＫＺ１〜ＫＺ３の変動表示の表示態様とを異ならせることができる。例えば、演出図柄ＥＺ１〜ＥＺ３の変動表示は、各演出図柄ＥＺ１〜ＥＺ３が表示部５０ａの上から下にスクロール表示して行い、小図柄ＫＺ１〜ＫＺ３の変動表示は、各小図柄ＫＺ１〜ＫＺ３を定位置で次々に入れ替えて行うようにしても良い。なお、演出図柄ＥＺ１〜ＥＺ３の変動表示の表示態様と、小図柄ＫＺ１〜ＫＺ３の変動表示の表示態様とを同一にしても良い。
【０２１９】
また、演出図柄ＥＺ１〜ＥＺ３および小図柄ＫＺ１〜ＫＺ３は変動表示の開始直後から高速で変動表示する。演出図柄ＥＺ１〜ＥＺ３および小図柄ＫＺ１〜ＫＺ３が高速で変動表示されている間は、演出図柄ＥＺ１〜ＥＺ３および小図柄ＫＺ１〜ＫＺ３は、基本的に背景画像Ｇ１１１〜Ｇ１１５などのその背景側の画像が視認容易な透明性を持って表示される。
【０２２０】
そして、この特図の可変表示の特図変動パターンがリーチ無しハズレの特図変動パターン（例えば、通常ハズレ変動）であると、リーチが発生することなく、特図の可変表示の終了（特図の停止表示）に伴って、リーチ無しハズレに特有なハズレ目（所謂「バラケ目」）で演出図柄ＥＺ１〜ＥＺ３および小図柄ＫＺ１〜ＫＺ３の停止表示が行われる。
【０２２１】
演出図柄ＥＺ１〜ＥＺ３の停止表示に向けて、例えば、最初に図２０（Ｃ）に示すように、左演出図柄ＥＺ１が上下方向略中央位置で暫定的に停止（仮停止）し、次に図２０（Ｄ）に示すように、右演出図柄ＥＺ３が上下方向略中央位置で暫定的に停止（仮停止）し、さらに、図２０（Ｅ）に示すように、中演出図柄ＥＺ２が上下方向略中央位置で暫定的に停止（仮停止）する。
【０２２２】
そして、最後に、上下方向略中央位置で水平方向に並んだ状態で暫定的に停止（仮停止）している演出図柄ＥＺ１〜ＥＺ３が、図２０（Ｆ）に示すように、そのまま一斉に完全に停止し、停止が確定する（演出図柄ＥＺ１〜ＥＺ３の停止表示が行われる）。暫定的に停止（仮停止）していた演出図柄ＥＺ１〜ＥＺ３がバラケ目で完全に停止するとき、すなわち、演出図柄ＥＺ１〜ＥＺ３の確定的な停止表示が行われるとき、３つの小図柄ＫＺ１〜ＫＺ３が、演出図柄ＥＺ１〜ＥＺ３と同一のバラケ目で一斉に停止し、小図柄ＫＺ１〜ＫＺ３の停止表示も行われる。
【０２２３】
なお、演出図柄ＥＺ１〜ＥＺ３が暫定的に停止するとは、演出図柄ＥＺ１〜ＥＺ３がスクロール表示のように場所を大きく移動することはなく、その場で微かに揺れたり小さく往復運動することをいう。よって、厳密には、演出図柄ＥＺ１〜ＥＺ３が暫定的に停止表示している状態と、演出図柄ＥＺ１〜ＥＺ３が確定的に停止表示している状態とは異なるが、この暫定的な停止表示と確定的な停止表示を広義に「停止表示」と称することもある。また、図２０の例では、演出図柄ＥＺ１〜ＥＺ３の停止表示が行われる際に、左演出図柄ＥＺ１→右演出図柄ＥＺ３→中演出図柄ＥＺ２の順で演出図柄が停止したが、停止する順序（方法）はこれに限られず、適宜に設定することができる。
【０２２４】
４−２−２．リーチ
次に、リーチの成立について説明する。特図の可変表示の特図変動パターンがリーチ有りハズレの特図変動パターン（例えば、Ｎハズレ変動）である場合も、基本的には前述のリーチ無しの場合と同様に、表示部５０ａにおいて、図２１（Ａ）に示すように、演出図柄ＥＺ１〜ＥＺ３が確定的に停止表示されていると共に、小図柄ＫＺ１〜ＫＺ３が停止表示されている状態から、特図の可変表示が開始されて、図２１（Ｂ）に示すように、演出図柄ＥＺ１〜ＥＺ３の変動表示が開始すると共に、小図柄ＫＺ１〜ＫＺ３の変動表示が開始する。
【０２２５】
その後、所定時間が経過した後に、図２１（Ｃ）に示すように、数字「５」に係る左演出図柄ＥＺ１が上下方向略中央位置で暫定的に停止（仮停止）し、次に、図２１（Ｄ）に示すように、同一の数字「５」に係る右演出図柄ＥＺ３が上下方向略中央位置で水平方向に並んで暫定的に停止（仮停止）して、リーチが成立する。リーチが成立したときには、リーチが成立したことを示す画像（リーチ成立示唆画像）Ｇ１１が表示される。なお、左演出図柄ＥＺ１、および右演出図柄ＥＺ３でリーチが成立しても、小図柄ＫＺ１〜ＫＺ３の変動表示は継続して行われている。
【０２２６】
さらに、図２１の例では、リーチが成立する際に、左演出図柄ＥＺ１→右演出図柄ＥＺ３の順で演出図柄が暫定的に停止（仮停止）したが、仮停止する順序（方法）はこれに限られず、適宜に設定することができる。また、リーチを構成する演出図柄の数字も「５」に限られない。また、暫定的に停止（仮停止）する位置も上下方向略中央位置に限られない。また、リーチを構成する演出図柄が並ぶ方向も水平方向に限られず斜め方向など他の方向であってもよい。
【０２２７】
このように、リーチ無しハズレである場合の特図変動演出の全期間と、リーチが発生する場合の特図変動演出の開始時からリーチ成立時までの区間を通常変動とすることができる。ただし、リーチが成立するまでの時間は、特図変動パターンなどに基づいて適宜に設定することができる。さらに、リーチが成立するまでの間に、所謂「疑似連」や、カットイン予告、台詞予告などの種々の予告演出を実行することも可能である。あるいは、リーチが成立するまでの間に、所謂「ゾーン」に突入するようにすることも可能である。
【０２２８】
４−２−３．Ｎリーチ
パチンコ遊技機ＰＹは、通常変動の後にリーチが成立するとＮリーチを行うことが可能である。Ｎリーチは、特図抽選の抽選結果が「大当たり」であった可能性があることを示唆する演出であり、遊技者に大当たりを期待させるための演出として機能する。次に、Ｎリーチを具体的に説明する。
【０２２９】
リーチが成立すると、例えば、図２１（Ｄ）に示すように、その時点からＮリーチが行われる。Ｎリーチでは、図２２（Ａ）に示すように、リーチが成立したときの状態が所定時間（例えば、１０秒）維持される。Ｎリーチが開始されると、図２２（Ｂ）に示すように、通常態様の高速で変動表示（スクロール）をしている中演出図柄ＥＺ２が徐々に減速していく。
【０２３０】
特図の可変表示の特図変動パターンがリーチ有りハズレの特図変動パターン（例えば、Ｎハズレ変動）であると、リーチが成立した状態から、中演出図柄ＥＺ２が上下方向略中央位置で暫定的に停止（仮停止）してハズレを示す演出図柄の停止表示が行われる。このとき、リーチが成立しているので、図２２（Ｃ−１）に示すように、リーチを構成する数字とは異なる数字（図２２（Ｃ−１）において「４」）からなる中演出図柄ＥＺ２が仮停止する。そして、特図の可変表示の終了（特図の停止表示）に伴って、図２２（Ｄ）に示すように、仮停止状態が完全な停止状態になり、リーチ有りハズレに特有なハズレ目で左演出図柄ＥＺ１、中演出図柄ＥＺ２および右演出図柄ＥＺ３の停止表示が行われる。
【０２３１】
また、暫定的に停止（仮停止）していた演出図柄ＥＺ１〜ＥＺ３がリーチ有りハズレに特有なハズレ目で完全に停止するとき、すなわち、演出図柄ＥＺ１〜ＥＺ３の停止表示が行われるとき、３つの小図柄ＫＺ１〜ＫＺ３が、演出図柄ＥＺ１〜ＥＺ３と同一のリーチ有りハズレに特有なハズレ目で一斉に停止し、小図柄ＫＺ１〜ＫＺ３の停止表示も行われる。なお、Ｎリーチの内容は、適宜に変更または追加することが可能である。
【０２３２】
Ｎリーチで特図変動演出が終了しない場合、図２２（Ｃ−２）に示すように、停止していない残りの１つの中演出図柄ＥＺ２が再び高速で変動し、リーチが維持されたままＮリーチからＬリーチまたはＳＰリーチに発展する（切り替わる）ことがある。
【０２３３】
４−２−４．Ｌリーチ
パチンコ遊技機ＰＹは、Ｎリーチの後にＬリーチを行うことが可能である。Ｌリーチは、特図抽選の結果が「大当たり」である可能性が、Ｎリーチよりも高いことを示唆する演出であり、遊技者に大当たりを期待させるための演出として機能する。なお、Ｌリーチでも、成立したリーチが維持されるが、例えば、図２３（Ａ）に示すように、Ｌリーチの開始時に、当該リーチを構成する演出図柄ＥＺ１、ＥＺ３が縮小されると共に、表示部５０ａにおける小図柄領域５０ｃに重複しない所定位置（例えば、左演出図柄ＥＺ１は表示部５０ａの左上で、右演出図柄ＥＺ３は表示部５０ａの右上）に移動する。
【０２３４】
また、Ｌリーチの開始時に、例えば、図２３（Ａ）に示すように、表示部５０ａにＬリーチ専用の背景画像（Ｌリーチ用背景画像Ｇ１１４）が表示される。Ｌリーチ用背景画像Ｇ１１４は、所定のスーリーが展開する動画で構成されている。Ｌリーチ用背景画像Ｇ１１４に係る動画のストーリーの内容は適宜に設定可能であるが、基本的な実施形態では、主人公キャラクターが女の子に告白するという内容で構成されている。
【０２３５】
Ｌリーチ用背景画像Ｇ１１４が表示されると、最初に、図２３（Ａ）に示すように、主人公キャラクターがある待ち合わせ場所で女の子を待っているシーンから開始される。続いて、図２３（Ｂ）に示すように、待ち合わせ場所に女の子が現れる。このとき、表示部５０ａの略中央にて、中演出図柄ＥＺ２として、リーチを構成している数字「５」の演出図柄と、リーチを構成していない数字「４」の演出図柄と、が現れて、奥側から手前側に出てきてはまた奥側へ戻るようにゆっくりと回転する。
【０２３６】
数字「４」の演出図柄と数字「５」の演出図柄の回転が継続して行われている中、Ｌリーチ用背景画像Ｇ１１４に係るスーリーが進展する。そして、図２３（Ｃ）に示すように、主人公キャラクターが女の子に告白するシーンを迎える。このとき、表示部５０ａの略中央にて、リーチを構成している数字「５」の演出図柄と、リーチを構成していない数字「４」の演出図柄と、が相互に相手を弾き飛ばそうとぶつかり合う。数字「５」の演出図柄はリーチを構成し、数字「４」の演出図柄はリーチを構成していないことから、数字「４」の演出図柄が弾き飛ばされて数字「５」の演出図柄が残ると、大当たりを示す態様の演出図柄ＥＺ１〜ＥＺ３の停止表示が成立する一方、数字「５」の演出図柄が弾き飛ばされて数字「４」の演出図柄が残ると、リーチハズレを示す態様の演出図柄ＥＺ１〜ＥＺ３の停止表示が成立する。よって、この図２３（Ｃ）の場面は、当該Ｌリーチの最終局面であり、大当たりを示唆する演出（大当たり示唆演出）が実行されるかハズレを示唆する演出（ハズレ示唆演出）が実行されるかに分岐する分岐点（所謂「当落分岐点」）を構成している。
【０２３７】
当落分岐点において、特図の可変表示の特図変動パターンが大当たり変動（Ｌ大当たり変動）であると、図２４（Ａ−１）に示すように、表示部５０ａに、笑顔の女の子がアップで表示された後、図２４（Ｂ−１）に示すように、告白に成功して喜んでいる主人公キャラクターが表示される笑顔の女の子がアップで表示された後、図２４（Ｂ−１）に示すように、告白に成功して喜んでいる主人公キャラクターが表示されると共に、スピーカー５２から所定の効果音が出力される。このとき、リーチを構成している数字「５」の左演出図柄ＥＺ１および右演出図柄ＥＺ３と共に、そのリーチを構成している数字「５」の中演出図柄ＥＺ２が表示部５０ａの中央に仮停止態様で表示される。すなわち、演出図柄ＥＺ１〜ＥＺ３が大当たりを示す態様で仮停止表示している。
【０２３８】
告白に成功して喜んでいる主人公キャラクターの表示と、所定の効果音の出力とは、大当たり示唆演出を構成する。大当たり示唆演出の後は、図２４（Ｃ−１）に示すように、大当たりを示す態様で演出図柄ＥＺ１〜ＥＺ３および小図柄ＫＺ１〜ＫＺ３の停止表示が行われる。
【０２３９】
一方、当落分岐点後、特図の可変表示の特図変動パターンがリーチ有りハズレ変動（Ｌハズレ変動）であると、大当たり示唆演出が行われることなく、Ｌリーチ用背景画像Ｇ１１４にて、図２４（Ａ−２）に示すように、表示部５０ａに、悲しい表情をした女の子がアップで表示された後、図２４（Ｂ−２）に示すように、告白に失敗して落胆している主人公キャラクターが表示される。このとき、リーチを構成している数字「５」の左演出図柄ＥＺ１および右演出図柄ＥＺ３と共に、リーチを構成していない数字「５」の中演出図柄ＥＺ２が表示部５０ａの中央に仮停止態様で表示される。すなわち、演出図柄ＥＺ１〜ＥＺ３がリーチハズレを示す態様で仮停止表示している。
【０２４０】
告白に失敗して落胆している主人公キャラクターの表示は、ハズレ示唆演出を構成する。ハズレ示唆演出の後は、図２４（Ｃ−２）に示すように、リーチ用のハズレ目で演出図柄ＥＺ１〜ＥＺ３および小図柄ＫＺ１〜ＫＺ３の停止表示が行われる。
【０２４１】
４−２−５．ＳＰリーチ
また、パチンコ遊技機ＰＹは、Ｎリーチの後にＳＰリーチを行うことが可能である。ＳＰリーチは、特図抽選の結果が「大当たり」である可能性が、Ｌリーチよりも高いことを示唆する演出であり、遊技者に大当たりを期待させるための演出として機能する。なお、ＳＰリーチでも、成立したリーチが維持されるが、例えば、図２５（Ａ）に示すように、ＳＰリーチの開始時に、当該リーチを構成する演出図柄ＥＺ１、ＥＺ３が縮小されると共に、表示部５０ａにおける小図柄領域５０ｃに重複しない所定位置（例えば、左演出図柄ＥＺ１は表示部５０ａの左上で、右演出図柄ＥＺ３は表示部５０ａの右上）に移動する。
【０２４２】
また、ＳＰリーチの開始時に、例えば、図２５（Ａ）に示すように、表示部５０ａにＳＰリーチ専用の背景画像（ＳＰリーチ用背景画像Ｇ１１５）が表示される。ＳＰリーチ用背景画像Ｇ１１５は、所定のスーリーが展開する動画で構成されている。ＳＰリーチ用背景画像Ｇ１１５に係る動画のストーリーの内容は適宜に設定可能であるが、基本的な実施形態では、主人公キャラクターと、主人公キャラクターのライバルである敵キャラクターとが対決するという内容で構成されている。なお、主人公キャラクターは野球のピッチャーであり、敵キャラクターは野球のバッターであり、両者は野球の試合においてピッチャーとバッターの立場で対決する。
【０２４３】
ＳＰリーチ用背景画像Ｇ１１５が表示されると、最初に、図２５（Ａ）に示すように、敵キャラクターが出現し、続いて、図２５（Ｂ）に示すように、表示部５０ａの中央にＳＰリーチが開始されたことを表す画像（ＳＰリーチ開始タイトル画像）Ｇ１１が表示される。ＳＰリーチ開始タイトル画像Ｇ１１は、ＳＰリーチのタイトルを表すタイトル画像Ｇ１１ａ「図２５（Ｂ）において「敵バッター○○を打ち取れ！！」」と、タイトル画像Ｇ１１ａを引き立てるエフェクト画像Ｇ１１ｂとで構成される。
【０２４４】
次に、図２５（Ｃ）に示すように、主人公キャラクターと敵キャラクターが対峙しているシーンが表示される。その後、ＳＰリーチ用背景画像Ｇ１１５にて、図２６（Ａ）に示すように、主人公キャラクターがボールを投げ、図２６（Ｂ）に示すように、ボールが敵キャラクターに向かって進み、図２６（Ｃ）に示すように、敵キャラクターがバットを振り始める。続いて、図２６（Ｄ）に示すように、ボールとバットとが接近し、主人公キャラクターと敵キャラクターとの対決に決着がつこうとする場面を迎える。この場面は、ピッチャーとバッターの対決で主人公キャラクターが勝利して大当たりが示唆されるか敗北してハズレが示唆されるかの分岐点（当落分岐点）を構成する。
【０２４５】
この当落分岐点後、特図の可変表示の特図変動パターンが大当たり変動（ＳＰ大当たり変動）であると、図２７（Ａ−１）に示すように、表示部５０ａに、敵キャラクターが空振りをして対決に勝利した後、図２７（Ｂ−１）に示すように、敵キャラクターを三振に取ってマウンド上で雄叫びを上げる主人公キャラクターが表示されると共に、スピーカー５２から所定の効果音が出力される。このとき、演出図柄ＥＺ１〜ＥＺ３は大当たりを示す態様で仮停止表示している。
【０２４６】
対決に勝利して雄叫びを上げている主人公キャラクターの表示と、所定の効果音の出力とが、大当たり示唆演出を構成する。大当たり示唆演出の後は、図２７（Ｃ−１）に示すように、大当たりを示す態様で演出図柄ＥＺ１〜ＥＺ３および小図柄ＫＺ１〜ＫＺ３の停止表示が行われる。
【０２４７】
一方、当落分岐点後、特図の可変表示の特図変動パターンがリーチハズレ変動（ＳＰハズレ変動）であると、大当たり示唆演出が行われることなく、ＳＰリーチ用背景画像Ｇ１１５にて、図２７（Ａ−２）に示すように、敵キャラクターがホームランを打って対決に敗北し、図２７（Ｂ−２）に示すように、主人公キャラクターがマウンド上で落胆する。このとき、演出図柄ＥＺ１〜ＥＺ３はリーチハズレを示す態様で仮停止表示している。
【０２４８】
対決に敗北して落胆している主人公キャラクターの表示が、ハズレ示唆演出を構成する。ハズレ示唆演出の後は、図２７（Ｃ−２）に示すように、リーチ用のハズレ目で演出図柄ＥＺ１〜ＥＺ３および小図柄ＫＺ１〜ＫＺ３の停止表示が行われる。
【０２４９】
次に、特図変動演出において行われる可動体演出と操作演出について説明する。可動体演出と操作演出は、前述のＳＰリーチ、Ｌリーチ、およびＮリーチ、さらには大当たり遊技演出などに組み込まれる形でこれらの演出の一部として行われる場合と、これらの演出とは独立して行われる場合とがある。最初に可動体演出について説明する。
【０２５０】
４−３．可動体演出
パチンコ遊技機ＰＹは、特図変動演出や大当たり遊技演出などの所定の演出における所定のタイミングで可動体の動作を伴う可動体演出を行うことが可能である。可動体演出は、例えば盤可動装置５５などの可動装置を用いた演出であり、大当たり期待度やＳＰリーチへの発展を示唆する演出として機能する。
【０２５１】
例えば、可動体演出がＳＰリーチへの発展を示唆する演出として機能する場合、図２８（Ａ）に示すように、特図変動演出において、ＮリーチからＳＰリーチに発展する際に、まずは図２８（Ｂ）に示すように、盤可動装置５５が作動し、盤可動体５５ｋが正面視で作動位置まで下降し、所定時間その位置で保持される。さらに、このとき、表示部５０ａの全体に、盤可動体５５ｋの動作に伴うエフェクト画像Ｇ１３も表示される。そして、図２８（Ｃ）に示すように、エフェクト画像Ｇ１３が消去され、盤可動体５５ｋが待機位置まで上昇して、盤可動装置５５が通常の待機状態に戻る。盤可動装置５５が通常の待機状態に戻ると、ＳＰリーチに発展する。なお、可動体演出における可動装置の作動内容は、適宜に変更または追加することが可能である。
【０２５２】
４−４．操作演出
次に操作演出について説明する。パチンコ遊技機ＰＹは、特図変動演出や大当たり遊技演出などの所定の演出における所定のタイミングで、操作促進演出、および第１演出ボタン４０ｋや第２演出ボタン４１ｋ等の操作に応じた操作結果演出を含む操作演出を行うことが可能である。操作促進演出は、遊技者に操作手段の操作を促す演出であり、操作結果演出は、操作促進演出における操作手段の操作に応じて行われる演出であり、それぞれ遊技者に大当たりを期待させるための演出として機能する。
【０２５３】
例えば、前述のように、ＬリーチやＳＰリーチにおいて当落分岐点に達すると、第１演出ボタン４０ｋの押下操作が有効な期間（操作有効期間）が発生し、この操作有効期間の発生に伴って、図２９（Ａ）に示すように、第１演出ボタン４０ｋの操作を促す演出（操作促進演出）が行われる。
【０２５４】
操作促進演出において、表示部５０ａに、第１演出ボタン操作促進演出画像Ｇ１２が表示される。第１演出ボタン操作促進演出画像Ｇ１２は、操作対象である第１演出ボタン４０ｋを表す画像（操作対象画像）Ｇ１２ａと、第１演出ボタン４０ｋの操作態様（すなわち、押下操作）を表す画像（押下操作画像）Ｇ１２ｂと、第１演出ボタン４０ｋの操作に係る操作有効期間（操作有効期間）の残り時間を表す画像（操作有効期間残り時間画像）Ｇ１２ｃと、を含む。
【０２５５】
なお、操作有効期間残り時間画像Ｇ１２ｃは、おおむね曲線状のプログレスバーからなり、時間の経過に伴って、遊技者が操作有効期間の残り時間を容易に理解できるように変化する。なお、図２９（Ｂ）は、操作有効期間が発生して、操作有効時間の１／３の時間が経過した様子を表している。
【０２５６】
そして、特図の可変表示の特図変動パターンが大当たり変動（ＳＰ大当たり変動）であると、操作有効期間において第１演出ボタン４０ｋが押下操作された後、または、操作有効期間において第１演出ボタン４０ｋが操作されることなく操作有効期間の残り時間がなくなった後、操作結果演出が行われる。
【０２５７】
操作結果演出としては、例えば図２９（Ｃ）に示すように、盤可動装置５５が作動して、盤可動体５５ｋが作動位置まで下降し、所定時間その位置で保持されると共に、回転部材５５ｋ１が所定時間回転する。このように、操作結果演出に可動体演出も含まれている。さらに、このとき、操作結果演出として、表示部５０ａの全体に、盤可動体５５ｋの動作に伴うエフェクト画像Ｇ１３が表示される。そして、図２９（Ｄ）に示すように、エフェクト画像Ｇ１３が消去され、回転部材５５ｋ１の回転が止まり、盤可動体５５ｋが上昇することによって操作結果演出が終了する。操作結果演出が終了すると大当たり示唆演出が行われる。
【０２５８】
一方、特図の可変表示の特図変動パターンがリーチハズレ変動（ＳＰハズレ変動）であると、操作有効期間において第１演出ボタン４０ｋが押下操作されても、または、第１演出ボタン４０ｋが押下操作されることなく演出ボタン操作有効期間の残り時間がなくなっても、操作結果演出が行われることがなく、ハズレ示唆演出が行われる。
【０２５９】
なお、操作結果演出は、盤可動装置５５の作動やエフェクト画像Ｇ１３の表示に限られず、適宜に変更または追加することが可能である。また、操作演出は特図変動演出に限られず大当たり演出においても実行可能である。
【０２６０】
４−５．先読み演出
次に、特図保留の対象となる特図可変表示が実行される前に実行可能な先読み演出について説明する。パチンコ遊技機ＰＹは、特図変動演出の任意のタイミングで、先読み判定の結果に基づいて、大当たり判定が行われていない特図１保留または特図２保留に対する先読み演出を行うことが可能である。先読み演出は、特図１保留または特図２保留に対する大当たり期待度を示唆する演出であり、その保留に対応する特図の可変表示の前から大当たりを期待させる演出として機能する。先読み演出の一例として、特図保留を表す保留演出を用いた保留変化予告がある。ここで、通常演出モードにおいて行われる保留演出、および保留変化予告について説明する。
【０２６１】
保留演出は、図３０（Ａ）に示すように、表示部５０ａの下端部における略中央の一区画において横長矩形状に形成された保留表示領域５０ｄにおいて行われる。保留表示領域５０ｄは、保留表示領域５０ｄを左右方向に略均等に４つに分割した第１領域５０ｄ１、第２領域５０ｄ２、第３領域５０ｄ３、および、第４領域５０ｄ４で構成されている。すなわち、保留表示領域５０ｄにおいて、第１領域５０ｄ１〜第４領域５０ｄ４が左端から右端に向けて順に並んで設けられている。
【０２６２】
第１領域５０ｄ１には、保留されている特図１保留の中で最も先に発生し、その特図１保留に対応する特図１関係乱数に基づいて最も先に特図１可変表示が行われる特図１保留を表す保留アイコンが表示される。同様に、第２領域５０ｄ２〜第４領域５０ｄ４には、保留されている特図１保留の中で２〜４番目に発生し、その特図１保留に対応する特図１関係乱数に基づいて２〜４番目に特図１可変表示が行われる特図１保留を表す保留アイコンが表示される。
【０２６３】
なお、以下において、第１領域５０ｄ１に表示される保留アイコンに対応する特図１保留のことを「保留順１の特図１保留」と称する。同様に、第２領域５０ｄ２、第３領域５０ｄ３、および第４領域５０ｄ４に表示される保留アイコンに対応する特図１保留のことを「保留順２の特図１保留」、「保留順３の特図１保留」、および「保留順４の特図１保留」と称する。すなわち、存在している特図１保留について、発生した順に「保留順１」〜「保留順４」と称する。
【０２６４】
また、保留表示領域５０ｄの左隣には、当該変動表示領域５０ｅが形成されている。当該変動表示領域５０ｅには、現在実行中の特図１変動表示を表す当該アイコンが表示される。よって、当該変動表示領域５０ｅに表示される当該アイコンが示す対象は、保留表示領域５０ｄに表示される保留アイコンが示す対象と異なり、厳密には、特図１保留に応じた「保留演出」には含まれないが、保留アイコンの表示と当該アイコンの表示とは関連性を有しているので、以下においては、保留アイコンの表示と当該アイコンの表示とをまとめて、「保留演出」とする。また、保留アイコンと当該アイコンとをまとめて、「アイコン」と称する。さらに、当該アイコンが示す実行中の特図１変動表示を「当該変動」とも称する。
【０２６５】
なお、図３０（Ａ）において保留表示領域５０ｄおよび当該変動表示領域５０ｅは一点鎖線で明示され、第１領域５０ｄ１〜第４領域５０ｄ４は破線で明示されているが、これは保留表示領域５０ｄ、第１領域５０ｄ１〜第４領域５０ｄ４、および当該変動表示領域５０ｅの範囲を表すために記載したものであり、実際には表示されていない。
【０２６６】
次に、保留演出の具体例について説明する。なお、以降の説明では、小図柄ＫＺ１〜ＫＺ３の可変表示は省略する。前提として、特図１変動表示中（特図変動演出中）であり、特図１保留数（Ｕ１）が「２」であるとする。この状況下において、図３０（Ｂ）に示すように、前述した不図示の第１領域５０ｄ１において、現在保留されている特図１保留の中で最も先に発生した特図１保留（保留順１の特図１保留）を表した保留アイコンＨＡ２が表示され、前述した不図示の第２領域５０ｄ２において、保留アイコンＨＡ２が表す特図１保留の次に発生した特図１保留（保留順２の特図１保留）を表した保留アイコンＨＡ３が表示されている。また、前述した不図示の当該変動表示領域５０ｅには、現在実行中の特図１変動表示を表す当該アイコンＨＡ１が表示されている。なお、図３０（Ｂ）で表示されているアイコンＨＡ１〜ＨＡ３の表示態様は通常態様である。
【０２６７】
このように、保留演出においては、特図１保留が発生した順に保留表示領域５０ｄの左端から右に並んで表示される。すなわち、保留されている特別図柄の可変表示、言い換えれば、特図保留記憶部１０５に記憶されている特図関連判定情報に基づく未実行の特別図柄の可変表示は、個別に保留アイコンで表示される。
【０２６８】
そして、図３０（Ｃ）に示すように、演出図柄ＥＺ１〜ＥＺ３の停止表示が行われると、その直前まで実行中の特図変動表示を表していた当該アイコンＨＡ１が消去される。続けて、保留アイコンＨＡ２を表す特図１保留に基づいて特別図柄の可変表示（特図変動演出）が開始されると、保留アイコンＨＡ２と保留アイコンＨＡ３がシフトする。具体的には、不図示の第１領域５０ｄ１に表示されていた保留アイコンＨＡ２は不図示の当該変動表示領域５０ｅに移動し、不図示の第２領域５０ｄ２に表示されていた保留アイコンＨＡ３は不図示の第１領域５０ｄ１に移動する。すなわち、表示されていた保留アイコンＨＡ２および保留アイコンＨＡ３がそれぞれ１つずつ左にシフトする。これは、保留アイコンＨＡ２に対応する特別図柄の可変表示が開始され、保留アイコンＨＡ３が表す特図１保留が、現在保留されている特図１保留の中で最も先に発生した特図１保留になり、次に開始される特図可変表示になったことに応じて、保留アイコンＨＡ２および保留アイコンＨＡ３をその状況に適応させるためである。
【０２６９】
また、当該変動表示領域５０ｅに表示されている保留アイコンＨＡ２は、実行中の特図１変動表示を表しているので、当該変動表示領域５０ｅに表示される際に当該アイコンＨＡ２となる。すなわち、「アイコン」の前に付く言葉として、保留表示領域５０ｄに表示されているアイコンについては「保留」とし、当該変動表示領域５０ｅに表示されているアイコンについては「当該」とする。換言すれば、保留アイコンが表示されているときに、該保留アイコンが示す特図保留に対して特別図柄の変動表示の開始条件が成立すると、該開始条件の成立に係る特別図柄の変動表示に対応する保留アイコンが当該アイコンとして表示される。
【０２７０】
なお、保留アイコンから当該アイコンになる際に、言い換えると、アイコンは保留表示領域５０ｄから当該変動表示領域５０ｅに移動する際に、アイコンの大きさが同一のままでも拡大されても良い。図３０（Ｃ）では、アイコンは保留表示領域５０ｄから当該変動表示領域５０ｅに移動する際に約２倍に拡大している。
【０２７１】
そして、この状況から第１始動口１１に遊技球が入賞して、特図１保留が発生すると、図３０（Ｅ）に示すように、当該特図１保留の発生に応じて、新たな保留アイコンＨＡ４が前述した不図示の第２領域５０ｄ２に表示される。
【０２７２】
このように、第１始動口１１に入賞して特図１関係乱数が取得されると、１つの共通したアイコンが表示される。このアイコンは、当該入賞に基づく特図１可変表示が終了すると消去されるが、表示されている間は、当該特図１可変表示の置かれている状態（保留の状態および実行中の状態）に応じて、異なる名称（保留アイコンおよび当該アイコン）で存在していることになる。
【０２７３】
ところで、前述のとおり、始動入賞コマンドには当否情報および特図変動パターン情報が含まれている。そして、パチンコ遊技機ＰＹは、この当否情報および特図変動パターン情報に基づいて、保留アイコンを通常態様、または特別態様で表示することができる。この保留アイコンを特別態様で表示することを「保留予告」という。
【０２７４】
保留アイコンの表示態様が特別態様である、すなわち保留予告が行われると、遊技者は、その保留アイコンに対応した特別図柄の可変表示で大当たりに当選できるかもしれないという期待を持つことができる。次に、保留予告の具体例について説明する。保留予告の具体例として、図３０（Ｅ）に示す保留アイコンＨＡ４の表示態様が特別態様になるとする。
【０２７５】
保留予告の１つの種別として、保留アイコンが表示された直後に特別態様になる、言い換えれば、特図１保留の発生時（第１始動口１１への入賞時）に保留予告が行われる保留予告種別がある。例えば、図３１（Ａ）に示すように、保留アイコンＨＡ４が表示される前の状況（図３０（Ｄ）の状況）から、第１始動口１１に遊技球が入賞して、特図１保留が発生すると、図３０（Ｅ）の場合と同様に、当該特図１保留の発生に応じて、通常態様の保留アイコンＨＡ４が前述した不図示の第２領域５０ｄ２に表示される。なお、図面においては、通常態様の保留アイコンは完全に静止しているように見えるが、実際には、基本的には、完全に静止状態にするようにしても、表示位置は移動しないがその場で軽く揺れたりするように構成しても良い。
【０２７６】
そして、その直後に、図３１（Ｂ）に示すように、保留アイコンＨＡ４の表示態様が通常態様から特別態様（図３１（Ｂ）において灰色）に変化する（保留予告が行われる）。なお、図３１の例では保留アイコンＨＡ４は表示直後に一瞬通常態様で表示されるが、特別態様で表示されるようにし、通常態様で表示される期間をなくしてもよい。
【０２７７】
別の保留予告の種別として、保留アイコンが移動する際に特別態様になる、言い換えれば、特図１保留のシフト時に保留アイコン変化予告が行われる保留予告種別がある。例えば、図３２（Ａ）に示すように、保留アイコンＨＡ４が表示される前の状況（図３０（Ｄ）の状況）から、第１始動口１１に遊技球が入賞して、特図１保留が発生すると、図３２（Ｂ）に示すように、当該特図１保留の発生に応じて、通常態様（図３２（Ｂ）において白色）の保留アイコンＨＡ４が前述した不図示の第２領域５０ｄ２に表示される。
【０２７８】
そして、図３２（Ｃ）に示すように、演出図柄ＥＺ１〜ＥＺ３の停止表示が行われると、その直前まで実行中の特図変動表示を表していた当該アイコンＨＡ２が消去される。続けて、保留アイコンＨＡ３が表す特図１保留に基づいて特別図柄の可変表示（特図変動演出）が開始されると、図３２（Ｄ）に示すように、第１領域５０ｄ１に表示されていた保留アイコンＨＡ３は不図示の当該変動表示領域５０ｅに移動し、第２領域５０ｄ２に表示されていた保留アイコンＨＡ４は不図示の第１領域５０ｄ１に移動する。ここで、保留アイコンＨＡ４が第２領域５０ｄ２から第１領域５０ｄ１に移動する際に、その表示態様が通常態様から特別態様（図３２（Ｄ）において灰色）に変化する（保留予告が行われる）。
【０２７９】
また、保留予告に係る特別態様を複数種類設けて、特別態様の種類によって大当たり期待度が異なるようにすることができる。例えば、保留アイコンの表示態様を、保留アイコンの色に関連付け、保留アイコンの表示態様として白色、緑色、赤色、および金色が設定されているとする。ここで、白色が通常態様であり、緑色、赤色、および金色が特別態様とする。そして、保留アイコンの表示態様が示す大当たり期待度は、白色＜緑色＜赤色＜金色の順で高くなるように設定することができる。
【０２８０】
なお、先読み演出は、特図１保留および特図２保留の両方または一方に対して行うことが可能である。また、先読み演出は、保留アイコンＨＡの表示態様に限られず、例えば背景画像などの表示部５０ａにおける保留アイコンＨＡ以外の画像や、スピーカー５２から出力される音、枠ランプ５３による発光、および盤可動装置５５による動作などの画像表示装置５０以外の演出装置を用いて実行することが可能である。さらには、先読み演出の演出態様として、保留アイコンＨＡによる保留アイコン変化予告などのように実行されてから特図変動表示が開始されるまで途切れることなく継続する演出態様の他に、演出図柄の停止表示が行われる度または演出図柄の変動表示が開始される度など、断続的且つ連続的に実行する演出態様にしても良い。
【０２８１】
５．遊技制御用マイコン１０１による遊技の制御
［遊技制御メイン処理］
次に図３３〜図４２に基づいて遊技制御用マイコン１０１による遊技の制御について説明する。なお、以下に説明する遊技を制御するためのフローチャートは、一例である。そして、フローチャートにおける複数の処理については、処理内容に矛盾が生じない範囲で、適宜に実行順序を変更し、または並列に実行することができる。
【０２８２】
また、以下において説明する遊技制御用マイコン１０１による遊技の制御において登場するカウンタ、タイマ、フラグ、ステータス、バッファ等は、遊技用ＲＡＭ１０４に設けられている。また、カウンタの初期値は「０」であり、フラグの初期値は「０」つまり「ＯＦＦ」であり、ステータスの初期値は「１」である。
【０２８３】
遊技制御基板１００に備えられた遊技制御用マイコン１０１は、パチンコ遊技機ＰＹが電源投入されると、遊技用ＲＯＭ１０３から図３３に示した遊技制御メイン処理のプログラムを読み出して実行する。同図に示すように、遊技制御メイン処理では、まず、電源投入時処理（Ｓ００１）を行う。電源投入時処理では、遊技用ＲＡＭ１０４へのアクセスの許可設定、遊技用ＣＰＵ１０２の設定、ＳＩＯ（ＳｙＳｔｅｍ  Ｉｎｐｕｔ／Ｏｕｔｐｕｔ）、ＰＩＯ（Ｐａｒａｌｌｅｌ  Ｉｎｐｕｔ／Ｏｕｔｐｕｔ）、ＣＴＣ（Ｃｏｕｎｔｅｒ／Ｔｉｍｅｒ  Ｃｉｒｃｕｉｔ：割り込み時間の管理のための回路）の設定等が行われる。
【０２８４】
電源投入時処理に次いで、割り込みを禁止し（Ｓ００２）、普通図柄・特別図柄主要乱数更新処理（Ｓ００３）を実行する。この普通図柄・特別図柄主要乱数更新処理（Ｓ００３）では、普図関連判定情報および特図関連判定情報に係る種々の乱数のカウンタ値を１加算して更新する。各乱数のカウンタ値は上限値に達すると「０」に戻って再び加算される。なお各乱数のカウンタの初期値は「０」以外の値であってもよく、ランダムに変更されるものであってもよい。また各乱数のうちの少なくとも一部は、カウンタＩＣ等からなる公知の乱数生成回路を利用して生成される所謂ハードウェア乱数であってもよい。
【０２８５】
普通図柄・特別図柄主要乱数更新処理（Ｓ００３）が終了すると、割り込みを許可する（Ｓ００４）。割り込み許可中は、遊技制御側タイマ割り込み処理（Ｓ００５）の実行が可能となる。遊技制御側タイマ割り込み処理（Ｓ００５）は、例えば４ｍｓｅｃ周期で遊技用ＣＰＵ１０２に繰り返し入力される割り込みパルスに基づいて実行される。すなわち、遊技制御側タイマ割り込み処理（Ｓ００５）は４ｍｓｅｃ周期で実行される。そして、遊技制御側タイマ割り込み処理（Ｓ００５）が終了してから、次に遊技制御側タイマ割り込み処理（Ｓ００５）が開始されるまでの間に、普通図柄・特別図柄主要乱数更新処理（Ｓ００３）による種々の乱数のカウンタ値の更新処理が繰り返し実行される。なお、割り込み禁止状態のときに遊技用ＣＰＵ１０２に割り込みパルスが入力された場合は、遊技制御側タイマ割り込み処理（Ｓ００５）はすぐには開始されず、割り込み許可（Ｓ００４）がされてから開始される。
【０２８６】
［遊技制御側タイマ割り込み処理］
次に、遊技制御側タイマ割り込み処理（Ｓ００５）について説明する。図３４に示すように、遊技制御側タイマ割り込み処理（Ｓ００５）では、まず出力処理（Ｓ１０１）を実行する。出力処理（Ｓ１０１）では、以下に説明する各処理において遊技制御基板１００の遊技用ＲＡＭ１０４に設けられた出力バッファにセットされたコマンド等を、演出制御基板１２０や払出制御基板１７０等に出力する。
【０２８７】
出力処理（Ｓ１０１）に次いで行われる入力処理（Ｓ１０２）では、遊技制御用マイコン１０１は、余剰球貯留穴３５Ａの満杯を検出する下皿満杯スイッチからの検出信号を取り込み、下皿満杯データとして遊技用ＲＡＭ１０４の出力バッファに記憶する。
【０２８８】
次に行われる普通図柄・特別図柄主要乱数更新処理（Ｓ１０３）は、図３３の遊技制御メイン処理で行う普通図柄・特別図柄主要乱数更新処理（Ｓ００３）と同じである。即ち、普図関連判定情報および特図関連判定情報に係る各種乱数のカウンタ値の更新処理は、遊技制御側タイマ割り込み処理（Ｓ００５）の実行期間と、それ以外の期間（メイン側タイマ割り込み処理（Ｓ００５）の終了後、次の遊技制御側タイマ割り込み処理（Ｓ００５）が開始されるまでの期間）との両方で行われている。
【０２８９】
普通図柄・特別図柄主要乱数更新処理（Ｓ１０３）に次いで、遊技制御用マイコン１０１は、センサ検知処理（Ｓ１０４）を行い、続いて普通動作処理（Ｓ１０５）を行い、さらに特別動作処理（Ｓ１０６）を行う。センサ検知処理、普通動作処理および特別動作処理については後述する。
【０２９０】
次に、遊技制御用マイコン１０１は、その他の処理（Ｓ１０７）を実行して、遊技制御側タイマ割り込み処理（Ｓ００５）を終了する。その他の処理（Ｓ１０７）としては、電源が断たれる際の電源断監視処理、遊技用ＲＡＭ１０４に設けられているタイマの更新などが行われる。また、その他の処理（Ｓ１０７）として、遊技者に賞球を払い出す払出制御処理が行われる。払出制御処理では、第１始動口１１用の賞球カウンタ、第２始動口１２用の賞球カウンタ、大入賞口１４用の賞球カウンタ、及び、一般入賞口１０用の賞球カウンタが「０」を超えているか否かのチェックを行い、「０」を超えていると、賞球要求信号を払出制御基板１７０に送信する。そして、賞球信号を送信するとき、その信号に係る賞球カウンタを「１」減算する更新処理を行う。
【０２９１】
そして、遊技制御用マイコン１０１は、次に遊技用ＣＰＵ１０２に割り込みパルスが入力されるまでは遊技制御メイン処理のステップＳ００２〜Ｓ００４の処理を繰り返し実行し、割り込みパルスが入力されると（約４ｍｓｅｃ後）、再び遊技制御側タイマ割り込み処理（Ｓ００５）を実行する。遊技制御用マイコン１０１は、再び実行された遊技制御側タイマ割り込み処理（Ｓ００５）の出力処理（Ｓ１０１）において、前回の遊技制御側タイマ割り込み処理（Ｓ００５）にて遊技用ＲＡＭ１０４の出力バッファにセットされたコマンド等を出力する。
【０２９２】
［センサ検知処理］
次に、図３５〜図３６を用いてセンサ検知処理について説明する。センサ検知処理（Ｓ１０４）ではまず、一般入賞口１０に遊技球が入賞したか否か、即ち、一般入賞口センサ１０ａによって遊技球が検出されたか否か判定する（Ｓ２０１）。一般入賞口１０に遊技球が入賞していない場合（Ｓ２０１でＮＯ）にはステップＳ２０３に進み、一般入賞口１０に遊技球が入賞した場合には（Ｓ２０１でＹＥＳ）、遊技球に所定個数の賞球を払い出すための一般入賞口賞球処理を行う（Ｓ２０２）。一般入賞口賞球処理では、一般入賞口１０用の賞球カウンタに、一般入賞口１０への入賞に応じた賞球個数（基本的な実施形態において「３」）を加算する。
【０２９３】
ステップＳ２０３では、遊技球がゲート１３を通過したか否か、即ち、ゲートセンサ１３ａによって遊技球が検出されたか否か判定する。遊技球がゲート１３を通過していなければ（Ｓ２０３でＮＯ）、ステップＳ２０７に進む。一方、遊技球がゲート１３を通過していれば（Ｓ２０３でＹＥＳ）、後述する普通動作ステータス＝１であるか否か、言い換えれば、普図可変表示または補助遊技の何れも行われていないか否かを判定する（Ｓ２０４）。普通動作ステータス＝１でない場合には（Ｓ２０４でＮＯ）、ステップＳ２０７に進み、普通動作ステータス＝１である場合（Ｓ２０４でＹＥＳ）には、普通図柄乱数カウンタ（ラベル−ＴＲＮＤ−Ｆ）のカウンタ値が示す普通図柄乱数を普図関連判定情報として取得し（Ｓ２０５）、取得した普図関連判定情報を、遊技用ＲＡＭ１０４に設けられた普図保留記憶部８６に記憶して（Ｓ２０６）、ステップＳ２０７に進む。
【０２９４】
ステップＳ２０７では、第２始動口１２に遊技球が入賞したか否か、即ち、第２始動口センサ１２ａによって遊技球が検出されたか否か判定する。第２始動口１２に遊技球が入賞していない場合（Ｓ２０７でＮＯ）にはステップＳ２１４に進み、第２始動口１２に遊技球が入賞した場合には（Ｓ２０７でＹＥＳ）、遊技球に所定個数の賞球を払い出すための第２始動口賞球処理を行う（Ｓ２０８）。第２始動口賞球処理では、第２始動口１２用の賞球カウンタに、第２始動口１２への入賞に応じた賞球個数（第１実施形態において「２」）を加算する。
【０２９５】
次に、特図２保留数（具体的には遊技用ＲＡＭ１０４に設けた特図２保留数をカウントするカウンタ（特図２保留数カウンタ）の数値）が「４」（上限記憶数）以上であるか否か判定する（Ｓ２０９）。特図２保留数が「４」以上である場合（Ｓ２０９でＹＥＳ）には、ステップＳ２１４に進むが、特図２保留数が「４」以上でない（「４」未満である）場合には（Ｓ２０９でＮＯ）、特図２保留数加算処理を行う（Ｓ２１０）。特図２保留数加算処理では、特図２保留数カウンタを「１」加算し、特図２保留表示器８３ｂが示す特図２保留数を「１」増加させる。
【０２９６】
続いて、特別図柄乱数カウンタ（ラベル−ＴＲＮＤ−Ｔ）、大当たり図柄種別乱数カウンタ（ラベル−ＴＲＮＤ−ＯＳ）、リーチ乱数カウンタ（ラベル−ＴＲＮＤ−ＲＣ）及び特図変動パターン乱数カウンタ（ラベル−ＴＲＮＤ−ＨＰ）からなる特図２関連判定情報を取得し、遊技用ＲＡＭ１０４に設けられた特図関連判定情報用バッファに記憶する（Ｓ２１１）。
【０２９７】
次に、第２先読み判定処理を行う（Ｓ２１２）。第２先読み判定処理では、図１４に示す第２先読み判定テーブルに、現在の遊技状態とステップＳ２１１で取得した特図２関連判定情報とを照合して第２始動入賞コマンドを特定し、特定した第２始動入賞コマンドを遊技用ＲＡＭ１０４の出力バッファにセットする。
【０２９８】
続いて、遊技制御用マイコン１０１は、ステップＳ２１１で取得した特図２関連判定情報を特図２保留記憶部１０５ｂに記憶する（Ｓ２１３）。
【０２９９】
続いて、ステップＳ２１４では、第１始動口１１に遊技球が入賞したか否か、即ち、第１始動口センサ１１ａによって遊技球が検出されたか否か判定する。第１始動口１１に遊技球が入賞していない場合（Ｓ２１４でＮＯ）にはステップＳ２２１に進み、第１始動口１１に遊技球が入賞した場合には（Ｓ２１４でＹＥＳ）、遊技球に所定個数の賞球を払い出すための第１始動口賞球処理を行う（Ｓ２１５）。第１始動口賞球処理では、第１始動口１１用の賞球カウンタに、第１始動口１１への入賞に応じた賞球個数（第１実施形態において「４」）を加算する。
【０３００】
次に、特図１保留数（具体的には遊技用ＲＡＭ１０４に設けた特図１保留の数をカウントするカウンタ（特図１保留数カウンタ）の数値）が「４」（上限記憶数）以上であるか否か判定する（Ｓ２１６）。特図１保留数が「４」以上である場合（Ｓ２１６でＹＥＳ）には、ステップＳ２２１に進むが、特図１保留数が「４」以上でない（未満である）場合には（Ｓ２１６でＮＯ）、特図１保留数加算処理を行う（Ｓ２１７）。特図１保留数加算処理では、特図１保留数カウンタを「１」加算し、特図１保留表示器８３ａが示す特図１保留数を「１」増加させる。
【０３０１】
続いて、特別図柄乱数カウンタ（ラベル−ＴＲＮＤ−Ｔ）、大当たり図柄種別乱数カウンタ（ラベル−ＴＲＮＤ−ＯＳ）、リーチ乱数カウンタ（ラベル−ＴＲＮＤ−ＲＣ）及び特図変動パターン乱数カウンタ（ラベル−ＴＲＮＤ−ＨＰ）からなる特図１関連判定情報を取得し、遊技用ＲＡＭ１０４に設けられた特図関連判定情報用バッファに記憶する（Ｓ２１８）。
【０３０２】
次に、第１先読み判定処理を行う（Ｓ２１９）。第１先読み判定処理では、図１３に示す第１先読み判定テーブルに、現在の遊技状態とステップＳ２１８で取得した特図１関連判定情報とを照合して第１始動入賞コマンドを特定し、特定した第１始動入賞コマンドを遊技用ＲＡＭ１０４の出力バッファにセットする。
【０３０３】
続いて、遊技制御用マイコン１０１は、ステップＳ２１８で取得した特図１関連判定情報を特図１保留記憶部１０５ａのうち現在の特図１保留数に応じた記憶領域に記憶する（Ｓ２２０）。
【０３０４】
ステップＳ２２１では、大入賞口１４に遊技球が入賞したか否か、即ち、大入賞口センサ１４ａによって遊技球が検出されたか否か判定する。大入賞口１４に遊技球が入賞していない場合（Ｓ２２１でＮＯ）にはセンサ検知処理を終了し、大入賞口１４に遊技球が入賞した場合には（Ｓ２２１でＹＥＳ）、遊技用ＲＡＭ１０４に設けられた大入賞口入賞カウンタのカウンタ値が「９」以上であるか否かを判定する（Ｓ２２２）。大入賞口入賞カウンタは、大当たり遊技の１回のラウンド遊技において大入賞口１４に入賞した個数を計数するためのカウンタである。なお、大入賞口入賞カウンタは各ラウンド遊技が終了するたびにクリアされる。第１実施形態では、入賞規定個数は「１０」に設定されている。よって、ステップＳ２２２の処理が行われる。
【０３０５】
大入賞口入賞カウンタのカウンタ値が「１１」以上であると（Ｓ２２２でＹＥＳ）、センサ検知処理を終了し、大入賞口入賞カウンタのカウンタ値が「１１」以上でない、すなわち、「１１」未満であると（Ｓ２２２でＮＯ）、大入賞口入賞カウンタのカウンタ値を「１」加算し（Ｓ２２３）、遊技者に所定個数の賞球を払い出すための大入賞口賞球処理を行い（Ｓ２２４）、センサ検知処理を終了する。なお、大入賞口賞球処理では、大入賞口１４用の賞球カウンタに、大入賞口１４への入賞に応じた賞球個数（第１実施形態において「９」）を加算する。
【０３０６】
なお、遊技球を検知可能なセンサとして、センサ１０ａ〜１４ａ以外のセンサを設け、そのセンサが遊技球を検知したことに基づいて、図３５〜図３６に示す処理以外の処理を行うようにしても良い。
【０３０７】
［普通動作処理］
次に、普図表示器８２および電チュー１２Ｄの制御に関する普通動作処理について説明する。図３７に示すように、普図表示器８２および電チュー１２Ｄに関する処理が４つのステータス（段階）に分けられている。そして、それらの各ステータスに「普通動作ステータス＝１，２，３，４」が割り当てられている。遊技制御用マイコン１０１は、普通動作処理（Ｓ１０５）において、最初に、「普通動作ステータス」を確認する（Ｓ１１０１）。「普通動作ステータス」が「１」である場合には、普通図柄待機処理（Ｓ１１０２）を行い、「普通動作ステータス」が「２」である場合には、普通図柄変動処理（Ｓ１１０３）を行い、「普通動作ステータス」が「３」である場合には、普通図柄確定処理（Ｓ１１０４）を行い、「普通動作ステータス」が「４」である場合には、補助遊技制御処理（Ｓ１１０５）を行う。なお「普通動作ステータス」は初期設定で「１」に設定される。
【０３０８】
普通図柄待機処理（Ｓ１１０２）は、普図の可変表示および補助遊技が行われていない待機中に行われる処理である。普通図柄待機処理（Ｓ１１０２）では、普図保留記憶部８６に記憶された普通図柄乱数に基づいて当たり判定を行う。さらに、現在の遊技状態に基づいて普図変動パターン判定を行って普図変動パターンを決定し、決定した普図変動パターンに応じた普図変動時間の普図の変動表示を普図表示器８２に開始させて、普通動作ステータスを「２」に変更する。また、遊技制御用マイコン１０１は、普図の変動表示の開始時に、普図変動パターン判定結果に応じた普図変動開始コマンドを遊技用ＲＡＭ１０４の出力バッファにセットする。
【０３０９】
普通図柄変動処理（Ｓ１１０３）は、普図が変動表示しているときに行われる処理である。普通図柄変動処理（Ｓ１１０３）では、実行中の普図の変動表示が開始してから普図変動時間が経過したか否か（普図の変動表示を終了させるか否か）を判定し、普図変動時間が経過したと判定されれば、当たり判定結果に基づいて普図の停止表示を行って、普通動作ステータスを「３」に変更する。また、遊技制御用マイコン１０１は、普図の変動表示の開始時に、普図変動停止コマンドを遊技用ＲＡＭ１０４の出力バッファにセットする。
【０３１０】
普通図柄確定処理（Ｓ１１０４）は、普図が停止表示しているときに行われる処理である。普通図柄確定処理（Ｓ１１０４）では、実行中の普図の停止表示が開始してから所定の停止時間（例えば、０．８秒）が経過したか否か（普図の停止表示を終了させるか否か）を判定し、所定の停止時間が経過したと判定されれば、停止表示している普図が当たり図柄であるか否かを判定する。当たり図柄でなければ（停止表示している普図がハズレ図柄であれば）、普通動作ステータスを「１」に変更する。一方、当たり図柄が停止表示していれば、普通動作ステータスを「４」に変更して、現在の遊技状態および補助遊技制御テーブルに基づいて補助遊技を開始させる。さらに、遊技制御用マイコン１０１は、補助遊技の開始時に、補助遊技開始コマンドを遊技用ＲＡＭ１０４の出力バッファにセットする。
【０３１１】
補助遊技制御処理（Ｓ１１０５）は、補助遊技が行われているときに行われる処理である。補助遊技制御処理（Ｓ１１０５）では、現在の遊技状態および補助遊技制御テーブルに基づいて補助遊技を制御する。そして、補助遊技が終了すれば、普通動作ステータスを「１」に変更する。
【０３１２】
［特別動作処理］
次に、特図表示器８１、特図保留表示器８３および大入賞装置１４Ｄの制御に関する特別動作処理について説明する。図３８に示すように、特図表示器８１、特図保留表示器８３および大入賞装置１４Ｄに関する処理は、５つのステータス（段階）に分けられている。そして、それらの各ステータスに「特別動作ステータス＝１，２，３，４，５」が割り当てられている。遊技制御用マイコン１０１は、最初に「特別動作ステータス」を確認する（Ｓ１５０１）。
【０３１３】
遊技制御用マイコン１０１は、「特別動作ステータス」が「１」である場合には、特別図柄待機処理（Ｓ１５０２）を行い、「特別動作ステータス」が「２」である場合には、特別図柄変動処理（Ｓ１５０３）を行い、「特別動作ステータス」が「３」である場合には、特別図柄確定処理（Ｓ１５０４）を行い、「特別動作ステータス」が「４」である場合には、大当たり遊技制御処理（Ｓ１５０５）を行い、「特別動作ステータス」が「５」である場合には、遊技状態設定処理（Ｓ１５０６）を行う。なお「特別動作ステータス」は初期設定で「１」に設定される。
【０３１４】
特別図柄待機処理（Ｓ１５０２）は、特別図柄の可変表示、大当たり遊技が行われていない待機中に行われる処理である。特別図柄待機処理については後に詳述する。
【０３１５】
特別図柄変動処理（Ｓ１５０３）は、特別図柄が変動表示しているときに行われる処理である。特別図柄変動処理については後に詳述する。
【０３１６】
特別図柄確定処理（Ｓ１５０４）は、特別図柄が停止表示しているときに行われる処理である。特別図柄確定処理については後に詳述する。
【０３１７】
大当たり遊技制御処理（Ｓ１５０５）は、大当たり遊技において行われる処理である。遊技制御用マイコン１０１が、大当たり遊技制御処理を行うことによって、大当たり遊技制御テーブルに応じた大当たり遊技を行う。大当たり遊技が終了する際に特別動作ステータスを「５」に変更する。なお、各ラウンド遊技が開始される際には、そのラウンド数を示すラウンド数指定コマンドを遊技用ＲＡＭ１０４の出力バッファにセットする。また、全てのラウンド遊技が終了してエンディングが開始される際には、当該大当たり遊技に係る大当たり図柄に応じたエンディングを示すエンディングコマンドを遊技用ＲＡＭ１０４の出力バッファにセットする。なお、遊技制御用マイコン１０１が、特別動作ステータス「４」を設定し、大当たり遊技を制御する状態が、「大当たり遊技状態」であり、特別動作ステータス「４」が設定されていることを「大当たり遊技状態」と称する。
【０３１８】
遊技状態設定処理（Ｓ１５０６）は、大当たり遊技が終了する際に、大当たり遊技後に制御する遊技状態を設定する処理である。例えば、大当たり遊技後に高確率状態で制御する場合は、高確率フラグを遊技用ＲＡＭ１０４の高確率フラグ領域にＯＮして高確率状態を設定する。さらにこのときに、高確率状態の継続期間を制限する場合、継続期間も併せて設定する。例えば、高確率状態の終了条件が特図可変表示の実行回数である場合、その回数（以下において、「高確率規定回数」という）を遊技用ＲＡＭ１０４に設けられた高確率残り回数カウンタにセットする。また、大当たり遊技後に時短状態で制御する場合は、時短フラグを遊技用ＲＡＭ１０４の時短フラグ領域にＯＮして時短状態を設定する。さらにこのときに、時短状態の継続期間を制限する場合、継続期間も併せて設定する。例えば、時短状態の終了条件が特図可変表示の実行回数である場合、その回数（以下において、「時短規定回数」という）を遊技用ＲＡＭ１０４に設けられた時短残り回数カウンタにセットする。
【０３１９】
また、遊技制御用マイコン１０１は、遊技状態設定処理において、大当たり遊技後の遊技状態を示す遊技状態コマンドを遊技用ＲＡＭ１０４の出力バッファにセットする。
【０３２０】
［特別図柄待機処理］
次に図３９を用いて特別図柄待機処理について説明する。特別図柄待機処理（Ｓ１５０２）ではまず、特図２保留数が「０」であるか否かを判定する（Ｓ１６０１）。特図２保留数が「０」である場合（Ｓ１６０１でＹＥＳ）、即ち、第２始動口１２への入賞に起因して取得した特図２関連判定情報の記憶がない場合には、特図１保留数が「０」であるか否かを判定する（Ｓ１６０８）。そして、特図１保留数も「０」である場合（Ｓ１６０８でＹＥＳ）、即ち、第１始動口１１への入賞に起因して取得した特図１関連判定情報の記憶もない場合には、客待ちフラグがＯＮか否かを判定する（Ｓ１６１８）。ここで、客待ちフラグがＯＮであれば（Ｓ１６１８でＹＥＳ）、特別図柄待機処理を終え、客待ちフラグがＯＮでなければ（Ｓ１６１８でＮＯ）、客待ちコマンドを出力バッファにセットし（Ｓ１６１９）、客待ちフラグをＯＮにし（Ｓ１６２０）、特別図柄待機処理を終える。
【０３２１】
また、特図２保留数が「０」であるが特図１保留数が「０」でない場合（Ｓ１６０１でＹＥＳ且つＳ１６０８でＮＯ）、即ち、特図２関連判定情報はないが、第１始動口１１への入賞に起因して取得した特図１関連判定情報の記憶が１つ以上ある場合には、特図１判定処理（Ｓ１６０９）及び特図１変動パターン判定処理（Ｓ１６１０）を行う。
【０３２２】
特図１判定処理（Ｓ１６０９）では、特図１保留記憶部１０５ａに記憶されている特別図柄乱数の中で最も先に記憶されたものを読み出して、遊技状態に関連付けられた大当たり判定テーブルに基づいて、大当たり、またはハズレの何れであるかの判定（大当たり判定）を行う。
【０３２３】
ここで、大当たり判定の結果が大当たりであれば、大当たり図柄種別乱数を読み出して第１大当たり図柄種別判定テーブルに基づいて大当たり図柄種別の判定（大当たり図柄種別判定）を行う。そして、大当たり図柄種別を表す大当たり図柄データを遊技用ＲＡＭ１０４に設けられた特図バッファにセットすると共に、大当たり図柄種別を表す図柄指定コマンドを遊技用ＲＡＭ１０４に設けられた出力バッファにセットする。
【０３２４】
また、大当たり判定の結果が「ハズレ」であれば、ハズレを表すハズレ図柄データを特図バッファにセットすると共に、ハズレを表す図柄指定コマンドを出力バッファにセットする。
【０３２５】
次に、特図１変動パターン判定処理（Ｓ１６１０）について図４０を用いて説明する。特図１変動パターン判定処理では、まず、現在非時短状態であるか否かを判定する（Ｓ１６５１）。非時短状態であれば（Ｓ１６５１でＹＥＳ）、非時短状態用の特図１変動パターン判定テーブルを選択（Ｓ１６５２）してからステップＳ１６５４に進み、非時短状態でなければ（Ｓ１６５１でＮＯ）、時短状態用の特図１変動パターン判定テーブルを選択（Ｓ１６５３）してからステップＳ１６５４に進む。
【０３２６】
ステップＳ１６５４において、遊技制御用マイコン１０１は、大当たり判定結果が「大当たり」であるか否かを判定する。大当たりでなければ（Ｓ１６５４でＮＯ）、ステップＳ１６５５に進み、大当たりであれば（Ｓ１６５４でＹＥＳ）、ステップＳ１６５２またはステップＳ１６５３の何れかで選択した特図１変動パターン判定テーブルの中から大当たり図柄用の特図１変動パターン判定テーブルを選択（Ｓ１６５９）してからステップＳ１６６０に進む。
【０３２７】
ステップＳ１６５５において、遊技制御用マイコン１０１は、リーチ判定を行う。リーチ判定では、リーチ乱数を読み出して、そのリーチ乱数を現在の遊技状態（非時短状態／時短状態）に応じたリーチ判定テーブルに照合して、リーチ有りかリーチ無しかを判定する。
【０３２８】
遊技制御用マイコン１０１は、次に、ステップＳ１６５５のリーチ判定の結果が「リーチ有り」であるか否かを判定する（Ｓ１６５６）。リーチ有りであれば（Ｓ１６５６でＹＥＳ）、ステップＳ１６５２またはステップＳ１６５３の何れかで選択した特図１変動パターン判定テーブルの中からリーチ有りハズレ用の特図１変動パターン判定テーブルを選択（Ｓ１６５８）してからステップＳ１６６０に進み、リーチ有りでなければ（Ｓ１６５６でＮＯ）、現在の特図１保留数を確認して、ステップＳ１６５２またはステップＳ１６５３の何れかで選択した特図１変動パターン判定テーブルの中から特図１保留数に応じたリーチ無しハズレ用の特図１変動パターン判定テーブルを選択（Ｓ１６５７）してからステップＳ１６６０に進む。
【０３２９】
遊技制御用マイコン１０１は、ステップＳ１６６０において、特図変動パターン乱数を読み出して、その特図変動パターン乱数をステップＳ１６５７〜ステップＳ１６５９の何れかで選択した特図１変動パターン判定テーブルに照合して、特図１変動パターンを判定する特図１変動パターン判定を行う。続けて、遊技制御用マイコン１０１は、決定された特図１変動パターンを示す特図１変動開始コマンドを出力バッファにセットし（Ｓ１６６１）、決定された特図１変動パターンに応じた特図変動時間を特別動作用タイマにセットし（Ｓ１６６２）、特図１変動パターン判定処理を終了して、特別図柄待機処理に処理を戻す。
【０３３０】
なお、特別動作用タイマは、遊技制御側タイマ割り込み処理におけるその他の処理において、４ｍｓ分、更新される。また、セットされる特図１変動開始コマンドには、特別図柄の種別（特図１であるということ）に関する情報や特図１変動パターン判定処理（Ｓ１６１０）で行われた特図変動パターン判定の結果に関する情報（リーチの有無や特図変動時間の情報を含む特図変動パターンの情報）が含まれている。
【０３３１】
続いて、遊技制御用マイコン１０１は、ステップＳ１６１０で決定された特図１変動パターンに応じた特図変動時間に基づいて特図１表示器８１ａに特図１の変動表示を開始させる（Ｓ１６１１）。
【０３３２】
次に、遊技制御用マイコン１０１は、特図１保留記憶部１０５ａにおける各種カウンタ値の格納場所（記憶領域）を現在の位置から読み出される側に一つシフトするとともに、特図１保留記憶部１０５ａにおける保留１個目に対応する記憶領域（読み出される側から最も遠い記憶領域）をクリアする特図１保留記憶部シフト処理を行う（Ｓ１６１２）。このようにして、特図１保留が保留された順に消化される。
【０３３３】
次に、遊技制御用マイコン１０１は、特図１保留数カウンタを「１」減算し（Ｓ１６１３）、特図１保留表示器８３ａが示す特図１保留数を「１」減少させて変更し（Ｓ１６１４）、特別動作ステータスを「２」に変更する（Ｓ１６１５）。
【０３３４】
遊技制御用マイコン１０１は、続いて、客待ちフラグがＯＮか否かを判定し（Ｓ１６１６）、ＯＮであれば（Ｓ１６１６でＹＥＳ）、客待ちフラグをＯＦＦして（Ｓ１６１７）、特別図柄待機処理を終え、ＯＮでなければ（Ｓ１６１６でＮＯ）、ステップＳ１６１７を実行することなく特別図柄待機処理を終える。
【０３３５】
また、ステップＳ１６０１において特図２保留数が「０」でない場合（Ｓ１６０１でＮＯ）、即ち、第２始動口１２への入賞に起因して取得した特図２関連判定情報の記憶が１つ以上ある場合には、特図２判定処理（Ｓ１６０２）及び特図２変動パターン判定処理（Ｓ１６０３）を行う。特図２判定処理（Ｓ１６０２）及び特図２変動パターン判定処理（Ｓ１６０３）は、特図１判定処理（Ｓ１６０９）および特図１変動パターン判定処理（Ｓ１６１０）と基本的には同じ処理内容である。
【０３３６】
特図２判定処理（Ｓ１６０２）は、大当たり判定で用いるテーブルが第２大当たり判定テーブルであること、および大当たり図柄種別判定で用いるテーブルが第２大当たり図柄種別判定テーブルであることを除いて、基本的には特図１判定処理（Ｓ１６０９）と同様の処理であるため説明を省略する。また、特図２変動パターン判定処理（Ｓ１６０３）も、基本的には、特図２変動パターン判定で用いるテーブルが特図２変動パターン判定テーブルであることを除いて特図１変動パターン判定処理（Ｓ１６１０）と同様の処理であるため説明を省略する。
【０３３７】
次に、遊技制御用マイコン１０１は、ステップＳ１６０３で決定された特図変動パターンに応じた特図変動時間に基づいて特図２表示器８１ｂに特図２の変動表示を開始させる（Ｓ１６０４）。
【０３３８】
次に、遊技制御用マイコン１０１は、特図２保留記憶部１０５ｂにおける各種カウンタ値の格納場所（記憶領域）を現在の位置から読み出される側に一つシフトするとともに、特図２保留記憶部１０５ｂにおける保留４個目に対応する記憶領域（読み出される側から最も遠い記憶領域）をクリアする特図２保留記憶部シフト処理を行う（Ｓ１６０５）。このようにして、特図２保留が保留された順に消化される。
【０３３９】
続いて遊技制御用マイコン１０１は、特図２保留数カウンタを「１」減算し（Ｓ１６０６）、特図２保留表示器８３ｂが示す特図２保留数を「１」減少させて変更し（Ｓ１６０７）、特別動作ステータスを「２」に変更し（Ｓ１６１５）、ステップＳ１６１６に進む。
【０３４０】
上記のように第１実施形態では、特図１保留に基づく特別図柄の変動表示は、特図２保留が「０」の場合（Ｓ１６０１でＹＥＳの場合）に限って行われる。すなわち特図２保留の消化は、特図１保留の消化に優先して実行される。そして第１実施形態では、特図２保留に基づく抽選の方が、特図１保留に基づく抽選よりも、遊技者にとって利益の大きい大当たり図柄に当選しやすくなっている。なお、特図１保留の消化を特図２保留の消化に優先して実行されるようにしても良い。また、特図１保留の消化と特図２保留の消化を、特図の種別に関わらず保留が発生した順に行っても良い。
【０３４１】
［特別図柄変動処理］
次に図４１を用いて特別図柄変動処理について説明する。遊技制御用マイコン１０１は、特別図柄変動処理ではまず、特別図柄の変動表示を終了させるか否か、即ち、ステップＳ１６０３又はステップＳ１６１０で特別動作用タイマにセットした特図変動時間が経過した（特別動作カウンタ＝０）か否かを判定する（Ｓ１７０１）。特別図柄の変動表示を終了させない場合（Ｓ１７０１でＮＯ）、特別図柄変動処理を終了し、特別図柄の変動表示を終了させる場合（Ｓ１７０１でＹＥＳ）、特図表示器８１に、特別図柄の変動表示を終了させるとともに、ステップＳ１６０２又はステップＳ１６０９で特図バッファにセットした図柄データ（大当たり図柄データ、またはハズレ特図データ）に応じた特別図柄の停止表示をさせる（Ｓ１７０２）。
【０３４２】
続いて、予め設定された特図確定時間（例えば、０．８秒）を特別動作用タイマにセットし（Ｓ１７０３）、特別図柄の変動表示が終了することを示す特図変動停止コマンドを出力バッファにセットし（Ｓ１７０４）、特別動作ステータスを「３」に変更し（Ｓ１７０５）、特別図柄変動処理を終了する。
【０３４３】
［特別図柄確定処理］
次に図４２を用いて特別図柄確定処理について説明する。遊技制御用マイコン１０１は、特別図柄確定処理（Ｓ１５０４）ではまず、特別図柄の停止表示を終了させるか否か、即ち、ステップＳ１７０３で特別動作用タイマにセットした特図確定時間が経過した（特別動作カウンタ＝０）か否かを判定する（Ｓ１７５１）。特別図柄の停止表示を終了させない場合（Ｓ１７５１でＮＯ）、特別図柄確定処理を終了し、特別図柄の停止表示を終了させる場合（Ｓ１７５１でＹＥＳ）、現在、通常確率状態（高確率フラグがＯＦＦ）であるか否かを判定する（Ｓ１７５２）。
【０３４４】
遊技制御用マイコン１０１は、現在、通常確率状態でなければ（Ｓ１７５２でＮＯ）、ステップＳ１７５７に進み、現在、通常確率状態であれば（Ｓ１７５２でＹＥＳ）、時短状態（時短フラグがＯＮ）であるか否かを判定する（Ｓ１７５３）。遊技制御用マイコン１０１は、時短状態でなければ（Ｓ１７５３でＮＯ）、ステップＳ１７５７に進み、現在、時短状態であれば（Ｓ１７５３でＹＥＳ）、時短状態で実行可能な特別図柄の可変表示の残りの回数（時短残り回数）を計測する時短残り回数カウンタの値を「１」減算し（Ｓ１７５４）、時短残り回数カウンタの値が「０」であるか否かを判定する（Ｓ１７５５）。時短残り回数カウンタの値（時短残り回数）が「０」でなければ（Ｓ１７５５でＮＯ）、ステップＳ１７５７に進み、時短残り回数カウンタの値（時短残り回数）が「０」であれば（Ｓ１７５５でＹＥＳ）、時短状態から非時短状態に移行させて（時短フラグをＯＦＦする）（Ｓ１７５６）、ステップＳ１７５７に進む。
【０３４５】
次に、遊技制御用マイコン１０１は、現在の遊技状態を確認し、その遊技状態を示した遊技状態コマンドを出力バッファにセットし（Ｓ１７５７）、現在停止表示している特別図柄が大当たり図柄か否かを判定する（Ｓ１７５８）。大当たり図柄でなければ（Ｓ１７５８でＮＯ）、特別動作ステータスを「１」に変更して（Ｓ１７６２）、特別図柄確定処理を終え、大当たり図柄であれば（Ｓ１７５８でＹＥＳ）、遊技状態をリセットする（通常遊技状態を設定する。具体的には、高確率フラグおよび時短フラグをＯＦＦし、高確率残り回数カウンタおよび時短残り回数カウンタの値を「０」にする）（Ｓ１７５９）。
【０３４６】
続いて、遊技制御用マイコン１０１は、大当たり遊技準備処理を行い（Ｓ１７６０）、特別動作ステータスを「４」に変更し（Ｓ１７６１）、特別図柄確定処理を終了する。遊技制御用マイコン１０１は、大当たり遊技準備処理において、大当たり図柄の種別に応じた大当たり遊技制御テーブルを遊技用ＲＡＭ１０４の所定領域にセットする。また、停止表示している大当たり図柄に応じたオープニング中であることを示す大当たりオープニングフラグを遊技用ＲＡＭ１０４の所定領域にＯＮし、大当たり図柄の種別に応じて、所定のオープニング時間（大当たり遊技が開始されてから１ラウンドを開始するまでの時間）を特別動作用タイマにセットする。さらには、大当たり図柄の種別に応じ、大当たり図柄の種別を示すオープニングコマンドを遊技用ＲＡＭ１０４の出力バッファにセットする。大当たり図柄の種別に応じたオープニングコマンドは、その停止表示した大当たり図柄の種別に応じた大当たり遊技（大当たり遊技のオープニング）が開始されることを表す。
【０３４７】
６．演出制御基板１２０による演出の制御
［演出制御メイン処理］
次に図４３〜図４７のフローチャートを用いて、演出制御基板１２０による演出の制御について説明する。なお、以下に説明する演出を制御するためのフローチャートは、一例である。そして、フローチャートにおける複数の処理については、処理内容に矛盾が生じない範囲で、適宜に実行順序を変更し、または並列に実行することができる。
【０３４８】
また、以下の演出制御基板１２０による演出の制御の説明において登場するカウンタ、タイマ、フラグ、バッファ等は、演出用ＲＡＭ１２４に設けられている。演出制御基板１２０に備えられた演出制御用マイコン１２１は、パチンコ遊技機ＰＹが電源投入されると、図４３に示したサブ制御メイン処理のプログラムを演出用ＲＯＭ１２３から読み出して実行する。
【０３４９】
同図に示すように、演出制御メイン処理では、最初に、電源投入に応じた電源投入時処理を行う（Ｓ４００１）。電源投入時処理では、例えば、演出用ＣＰＵ１２２の設定、ＳＩＯ、ＰＩＯ、ＣＴＣ（割り込み時間の管理のための回路）等の設定等を行う。
【０３５０】
次に、割り込みを禁止し（Ｓ４００２）、乱数シード更新処理を実行する（Ｓ４００３）。乱数シード更新処理（Ｓ４００３）では、種々の演出に関する判定を行うための種々の演出判定用乱数カウンタの値を更新する。なお、演出判定用乱数には、後述する停止図柄パターン判定用乱数、および特図変動演出パターン判定用乱数等の演出内容を決定するための様々な乱数がある。
【０３５１】
種々の演出についての判定用乱数カウンタの更新方法は、一例として、前述の遊技制御基板１００が行う乱数更新処理と同様の方法をとることができる。更新に際して乱数値を１ずつ加算するのではなく、２ずつ加算するなどしてもよい。これは、前述の遊技制御基板１００が行う乱数更新処理においても同様である。
【０３５２】
乱数シード更新処理が終了すると、コマンド送信処理を実行する（Ｓ４００４）。コマンド送信処理では、演出制御基板１２０の演出用ＲＡＭ１２４内の出力バッファに格納されている各種のコマンド（例えば、後述する特図変動演出開始コマンド、客待ち開始コマンド、オープニング演出開始コマンド、ラウンド演出開始コマンド、およびエンディング演出開始コマンドなど）を、画像制御基板１４０に送信する。
【０３５３】
コマンドを受信した画像制御基板１４０は、受信したコマンドに従って、表示部５０ａに画像を表示する（画像による種々の演出を実行する）。また、演出制御基板１２０は、画像制御基板１４０によって行われる種々の演出とともに、音声制御回路１６１を介してスピーカー５２から音声を出力させたり（音声による種々の演出を実行したり）、サブドライブ基板１６２を介して枠ランプ５３を発光させたり（発光による種々の演出を実行したり）、盤可動体５５ｋを作動させたり（動作による種々の演出を実行したり）する。なお、種々の演出としては、特図変動演出、大当たり遊技演出（大当たりオープニング演出、ラウンド演出、大当たりエンディング演出）、客待ち演出、操作演出、および先読み演出等がある。
【０３５４】
演出制御用マイコン１２１は続いて、割り込みを許可する（Ｓ４００５）。以降、ステップＳ４００２〜ステップＳ４００５をループさせる。割り込み許可中においては、受信割り込み処理（Ｓ４０１０）、１ｍｓタイマ割り込み処理（Ｓ４０１１）、および１０ｍｓタイマ割り込み処理（Ｓ４０１２）の実行が可能となる。１ｍｓタイマ割り込み処理（Ｓ４０１１）、および１０ｍｓタイマ割り込み処理（Ｓ４０１２）については後述する。
【０３５５】
受信割り込み処理（Ｓ４０１０）は、ストローブ信号、すなわち、遊技制御基板１００から送られた各種のコマンドが演出制御用マイコン１２１の外部ＩＮＴ入力部に入力される度に実行される。受信割り込み処理（Ｓ４０１０）では、演出制御用マイコン１２１は遊技制御基板１００の出力処理（Ｓ１０１）により送信されてきて受信した各種のコマンドを演出用ＲＡＭ１２４の受信バッファに格納する。この受信割り込み処理は、他の割り込み処理（Ｓ４０１１、Ｓ４０１２）に優先して実行される。
【０３５６】
［１ｍｓタイマ割り込み処理］
次に図４４を用いて１ｍｓタイマ割り込み処理について説明する。１ｍｓタイマ割り込み処理（Ｓ４０１１）は、演出制御基板１２０に１ｍｓｅｃ周期の割り込みパルスが入力される度に実行される。演出制御用マイコン１２１は、１ｍｓタイマ割り込み処理（Ｓ４０１１）ではまず、入力処理を行う（Ｓ４１０１）。入力処理では、演出制御用マイコン１２１は、第１演出ボタンセンサ４０ａからの検出信号に基づいて第１演出ボタンスイッチデータを作成する。演出制御用マイコン１２１は、第２演出ボタンセンサ４１ａからの検出信号に基づいて第２演出ボタンスイッチデータを作成する。
【０３５７】
続いて、演出制御用マイコン１２１は、発光データ出力処理を行う（Ｓ４１０２）。発光データ出力処理では、演出制御用マイコン１２１は、画像による演出等に合うタイミングなどで枠ランプ５３を発光させるべく、後述の１０ｍｓタイマ割り込み処理における発光データ作成処理（Ｓ４２０３）で作成された発光データをサブドライブ基板１６２に出力する。つまり、演出制御用マイコン１２１は、発光データに従って枠ランプ５３を所定の発光態様で発光させる。
【０３５８】
次いで、演出制御用マイコン１２１は、可動装置制御処理を行う（Ｓ４１０３）。可動装置制御処理では、演出制御用マイコン１２１は、所定のタイミングで盤可動体５５ｋを駆動させるべく、駆動データ（盤可動体５５ｋの駆動のためのデータ）を作成し、または、出力する。つまり、演出制御用マイコン１２１は、駆動データに従って、盤可動体５５ｋを所定の動作態様で駆動させる。
【０３５９】
次に、演出制御用マイコン１２１は、タイマ更新処理を行う（Ｓ４１０４）。タイマ更新処理では、各種所定の演出に関する時間の管理・制御を行うために、後述する演出用ＲＡＭ１２４に設けられた各種タイマの更新が行われる。当該処理では、演出用ＲＡＭ１２４に設けられたタイマが１ｍｓｅｃ分、更新される。
【０３６０】
そして、演出制御用マイコン１２１は、ウォッチドッグタイマのリセット設定を行うウォッチドッグタイマ処理を行って（Ｓ４１０５）、１ｍｓタイマ割り込み処理を終える。
【０３６１】
［１０ｍｓタイマ割り込み処理］
次に図４５を用いて１０ｍｓタイマ割り込み処理について説明する。１０ｍｓタイマ割り込み処理（Ｓ４０１２）は、演出制御基板１２０に１０ｍｓｅｃ周期の割り込みパルスが入力される度に実行される。演出制御用マイコン１２１は、１０ｍｓタイマ割り込み処理ではまず、ステップＳ４０１０で受信バッファに格納したコマンドなどを解析する受信コマンド解析処理を行う（Ｓ４２０１）。受信コマンド解析処理については後述の第１実施形態で詳細に説明する。
【０３６２】
次いで、演出制御用マイコン１２１は、音声制御処理を行う（Ｓ４２０２）。音声制御処理では、演出用ＲＡＭ１２４にセットされる特図変動演出データなどが示す演出内容などに基づいて、音声データ（スピーカー５２からの音声の出力を制御するデータ）の作成と音声制御回路１６１への出力が行われる。
【０３６３】
次いで、演出制御用マイコン１２１は、発光データ作成処理を行う（Ｓ４２０３）。発光データ作成処理では、演出用ＲＡＭ１２４にセットされる特図変動演出データなどが示す演出内容などに基づいて、発光データの作成が行われる。
【０３６４】
［受信コマンド解析処理］
次に図４６〜図４７を用いて受信コマンド解析処理について説明する。演出制御用マイコン１２１は、受信コマンド解析処理ではまず、遊技制御基板１００から始動入賞コマンド（第１始動入賞コマンド又は第２始動入賞コマンド）を受信したか否か、言い換えれば、始動入賞コマンドを受信バッファに格納したか否かを判定する（Ｓ４３０１）。演出制御用マイコン１２１は、始動入賞コマンドを受信していれば（Ｓ４３０１でＹＥＳ）、ステップＳ４３０２に進む一方、始動入賞コマンドを受信していなければ（Ｓ４３０１でＮＯ）、ステップＳ４３０３に進む。
【０３６５】
ステップＳ４３０２において、演出制御用マイコン１２１は、第１始動口１１や第２始動口１２に遊技球が入賞することに応じた始動入賞時処理を行う。始動入賞時処理では、受信した始動入賞コマンドを演出用ＲＡＭ１２４にある始動入賞コマンド保留記憶部１２５に記憶する。次に、演出制御用マイコン１２１は、その記憶した始動入賞コマンドを解析して、大当たり期待度を示す先読み演出を実行するか否かの判定を行う。先読み演出には、保留アイコンを特別態様で表示する保留予告の他に、連続する複数回の特別図柄の変動表示にわたって行われる連続予告演出等がある。これらの先読み演出を実行すると決定した場合には、決定した演出を実行するための先読み演出開始コマンドを演出用ＲＡＭ１２４の出力バッファにセットする。
【０３６６】
演出用ＲＡＭ１２４の出力バッファにセットされた先読み演出開始コマンドが、コマンド送信処理（Ｓ４００４）により画像制御基板１４０に送信されると、画像制御基板１４０の画像用ＣＰＵ１４１は、画像用ＲＯＭ１４２から所定の演出画像を読み出して、画像表示装置５０の表示部５０ａにて画像による先読み演出を行う。また、演出制御用マイコン１２１は、画像制御基板１４０によって行われる画像による先読み演出が行われている間、画像制御基板１４０に送信された先読み演出開始コマンドが示す先読み演出内容に応じて、音声制御回路１６１を介してスピーカー５２から音声を出力させ（音声による先読み演出を実行し）、また、サブドライブ基板１６２を介して枠ランプ５３を発光させ（発光による先読み演出を実行し）、盤可動体５５ｋを作動させる（動作による先読み演出を実行する）ことが可能である。
【０３６７】
ステップＳ４３０３において、演出制御用マイコン１２１は、遊技制御基板１００から図柄指定コマンドを受信したか否か、言い換えれば、図柄指定コマンドを受信バッファに格納したか否かを判定する。演出制御用マイコン１２１は、図柄指定コマンドを受信していなければ（Ｓ４３０３でＮＯ）、ステップＳ４３０５に進む一方、図柄指定コマンドを受信していれば（Ｓ４３０３でＹＥＳ）、図柄指定コマンドを演出用ＲＡＭ１２４にある図柄指定コマンド記憶部１２６に記憶する（Ｓ４３０４）。
【０３６８】
ステップＳ４３０５において、演出制御用マイコン１２１は、遊技制御基板１００から特図変動開始コマンドを受信したか否か、言い換えれば、特図変動開始コマンドを受信バッファに格納したか否かを判定する。特図変動開始コマンドを受信していなければ（Ｓ４３０５でＮＯ）、ステップＳ４３０７に進む一方、特図変動開始コマンドを受信していれば（Ｓ４３０５でＹＥＳ）、特図変動演出の演出内容を決定し、特図変動演出を開始させるための特図変動演出開始処理（Ｓ４３０６）を行う。
【０３６９】
演出制御用マイコン１２１は、特図変動演出開始処理では、まず、特図変動開始コマンドを演出用ＲＡＭ１２４にある特図変動開始コマンド記憶部１２７に記憶する。次いで、ステップＳ４３０４で既に記憶した図柄指定コマンドが示す停止特図の内容（大当たり図柄の種別、ハズレ特図）と特図変動開始コマンドが示す特図変動パターンに基づいて、停止表示させる演出図柄ＥＺ１〜ＥＺ３、および小図柄ＫＺ１〜ＫＺ３を判定する停止図柄判定を行うための停止図柄パターン判定テーブルを選択する。停止図柄パターン判定テーブルは、特図および特図変動パターンに関連づけられて複数設けられている。よって、演出制御用マイコン１２１は、停止特図および特図変動パターンに対応付けられた停止図柄パターン判定テーブルを１つ選択する。各停止図柄パターン判定テーブルには、所定の振分率（％）となるように、複数の演出図柄ＥＺ１〜ＥＺ３、および小図柄ＫＺ１〜ＫＺ３に停止図柄パターン判定用乱数の値（停止図柄パターン判定値）が振り分けられている。次に、演出制御用マイコン１２１は、停止図柄パターン判定用乱数カウンタが示す値を停止図柄パターン判定用乱数として取得し、取得した停止図柄パターン判定用乱数に基づいて停止図柄パターン判定を行う。
【０３７０】
演出制御用マイコン１２１は、停止図柄パターン判定において、選択した停止図柄パターンテーブルに、取得した停止図柄パターン判定用乱数を照合し、停止表示させる演出図柄ＥＺ１〜ＥＺ３、および小図柄ＫＺ１〜ＫＺ３を決定して、決定した演出図柄ＥＺ１〜ＥＺ３、および小図柄ＫＺ１〜ＫＺ３を表すデータを演出用ＲＡＭ１２４の所定領域にセットする。例えば、特図変動パターンがリーチ無しハズレ変動であれば所謂「バラケ目」となるように演出図柄ＥＺ１〜ＥＺ３、および小図柄ＫＺ１〜ＫＺ３の組み合わせが選択される。また、特図変動パターンがリーチ有りハズレ変動であれば、左演出図柄ＥＺ１と右演出図柄ＥＺ３とが同一で、中演出図柄ＥＺ２がそれらと異なるように演出図柄ＥＺ１〜ＥＺ３、および小図柄ＫＺ１〜ＫＺ３の組み合わせが選択される。さらに、特図変動パターンが大当たり変動であれば、演出モードおよび大当たり図柄の種別に応じて所謂「ゾロ目」となるように演出図柄ＥＺ１〜ＥＺ３、および小図柄ＫＺ１〜ＫＺ３の組み合わせが選択される。
【０３７１】
次に、演出制御用マイコン１２１は、滞在している演出モードと特図変動開始コマンドが示す特図変動パターンに基づいて、特図変動演出の演出内容が対応付けられた特図変動演出パターンを判定する特図変動演出パターン判定を行うための特図変動演出パターン判定テーブルを選択する。特図変動演出パターン判定テーブルは、演出モードおよび特図変動パターンに関連づけられて複数設けられている。よって、演出制御用マイコン１２１は、特図変動パターンに対応付けられた特図変動演出パターン判定テーブルを１つ選択する。各特図変動演出パターン判定テーブルには、所定の振分率（％）となるように、１又は複数の特図変動演出パターンに特図変動演出パターン判定用乱数の値（特図変動演出パターン判定値）が振り分けられている。続いて、演出制御用マイコン１２１は、特図変動演出パターン判定用乱数カウンタが示す値を特図変動演出パターン判定用乱数として取得し、取得した特図変動演出パターン判定用乱数に基づいて特図変動演出パターン判定を行う。
【０３７２】
演出制御用マイコン１２１は、特図変動演出パターン判定において、選択した特図変動演出パターンテーブルに、取得した特図変動演出パターン判定用乱数を照合し、特図変動演出パターンを決定して、決定した特図変動演出パターンを表すデータを演出用ＲＡＭ１２４の所定領域にセットすると共に、特図変動演出パターンを示す特図変動演出開始コマンドを演出用ＲＡＭ１２４の出力バッファにセットする。
【０３７３】
演出用ＲＡＭ１２４の出力バッファにセットされた特図変動演出開始コマンドが、コマンド送信処理（Ｓ４００４）により画像制御基板１４０に送信されると、画像制御基板１４０の画像用ＣＰＵ１４１は、画像用ＲＯＭ１４２から所定の演出画像を読み出して、画像表示装置５０の表示部５０ａにて画像による特図変動演出を行う。
【０３７４】
また、特図変動演出開始コマンドには、特図変動開始コマンドが示す特図変動パターンに関連付けられた演出フローに関する情報が含まれている。また、特図変動演出開始コマンドには、画像表示装置５０で行われる画像による特図変動演出の他に、スピーカー５２から出力される音声による特図変動演出、枠ランプ５３で行われる発光による特図変動演出の演出内容、および、盤可動体５５ｋで行われる動作による特図変動演出の演出内容が含まれている。
【０３７５】
また、演出制御用マイコン１２１は、画像制御基板１４０によって行われる画像による特図変動演出が行われている間、画像制御基板１４０に送信された特図変動演出開始コマンドが示す特図変動演出内容に応じて、音声制御回路１６１を介してスピーカー５２から音声を出力させ（音声による特図変動演出を実行し）、また、サブドライブ基板１６２を介して枠ランプ５３を発光させ（発光による特図変動演出を実行し）、盤可動体５５ｋを作動させる（動作による特図変動演出を実行する）。
【０３７６】
ステップＳ４３０７において、演出制御用マイコン１２１は、遊技制御基板１００から特図変動停止コマンドを受信したか否か、言い換えれば、特図変動停止コマンドを受信バッファに格納したか否かを判定する。演出制御用マイコン１２１は、特図変動停止コマンドを受信していなければ（Ｓ４３０７でＮＯ）、ステップＳ４３０９に進む一方、特図変動停止コマンドを受信していれば（Ｓ４３０７でＹＥＳ）、特図変動演出を終了させる（演出図柄ＥＺ１〜ＥＺ３および小図柄ＫＺ１〜ＫＺ３の変動表示を停止し、停止表示を行う）ための特図変動演出終了処理（Ｓ４３０８）を行う。
【０３７７】
演出制御用マイコン１２１は、特図変動演出終了処理では、特図変動停止コマンドを解析し、その解析結果に基づいて、特図変動演出を適宜に終了（演出図柄ＥＺ１〜ＥＺ３、および小図柄ＫＺ１〜ＫＺ３の変動表示を停止）させるための特図変動演出終了コマンドを演出用ＲＡＭ１２４の出力バッファにセットする。画像制御基板１４０は、特図変動演出終了コマンドを受信すると、実行中の特図変動演出を終了（変動中の演出図柄ＥＺ１〜ＥＺ３、および小図柄ＫＺ１〜ＫＺ３を停止）する。
【０３７８】
ステップＳ４３０９において、演出制御用マイコン１２１は、遊技制御基板１００から遊技状態コマンドを受信したか否か、言い換えれば、遊技状態コマンドを受信バッファに格納したか否かを判定する。演出制御用マイコン１２１は、遊技状態コマンドを受信していなければ（Ｓ４３０９でＮＯ）、ステップＳ４３１１に進む一方、遊技状態コマンドを受信していれば（Ｓ４３０９でＹＥＳ）、遊技状態コマンドを解析して、遊技状態コマンドが表す遊技状態を特定し、遊技状態を設定するための遊技状態設定処理を行う（Ｓ４３１０）。
【０３７９】
演出制御用マイコン１２１は、遊技状態設定処理において、遊技状態コマンドが示す遊技状態に応じた遊技状態フラグを演出用ＲＡＭ１２４の遊技状態フラグ領域に設定する。例えば、演出制御用マイコン１２１は、遊技状態コマンドが示す遊技状態が通常遊技状態であれば遊技状態フラグ「００Ｈ」を演出用ＲＡＭ１２４の遊技状態フラグ領域に設定する。また、演出制御用マイコン１２１は、遊技状態コマンドが示す遊技状態が高確率高ベース遊技状態であれば遊技状態フラグ「０１Ｈ」を演出用ＲＡＭ１２４の遊技状態フラグ領域に設定する。さらに、演出制御用マイコン１２１は、遊技状態コマンドが示す遊技状態が低確率高ベース遊技状態であれば遊技状態フラグ「０２Ｈ」を演出用ＲＡＭ１２４の遊技状態フラグ領域に設定する。
【０３８０】
ステップＳ４３１１において、演出制御用マイコン１２１は、遊技制御基板１００から客待ちコマンドを受信したか否か、言い換えれば、客待ちコマンドを受信バッファに格納したか否かを判定する。演出制御用マイコン１２１は、客待ちコマンドを受信していなければ（Ｓ４３１１でＮＯ）、ステップＳ４３１３に進む一方、客待ちコマンドを受信していれば（Ｓ４３１１でＹＥＳ）、客待ち演出待機処理を行い（Ｓ４３１２）、受信コマンド解析処理を終える。
【０３８１】
演出制御用マイコン１２１は、客待ち演出待機処理では、演出図柄の停止表示が行われてから客待ち演出を開始させるまでの待機時間（客待ち演出待機時間：例えば、２０秒）を客待ち演出タイマにセットする。なお、演出制御用マイコン１２１は、この待機時間が経過したか否かを判定可能であり、待機時間が経過したと判定すると、客待ち演出を開始させるための客待ち演出開始コマンドを演出用ＲＡＭ１２４の出力バッファにセットする。
【０３８２】
ステップＳ４３１３において、演出制御用マイコン１２１は、遊技制御基板１００からオープニングコマンドを受信したか否か、言い換えれば、オープニングコマンドを受信バッファに格納したか否かを判定する。演出制御用マイコン１２１は、オープニングコマンドを受信していなければ（Ｓ４３１３でＮＯ）、ステップＳ４３１５に進む一方、オープニングコマンドを受信していれば（Ｓ４３１３でＹＥＳ）、大当たり遊技のオープニングの開始に伴う大当たりオープニング演出開始処理を行う（Ｓ４３１４）。
【０３８３】
演出制御用マイコン１２１は、大当たりオープニング演出開始処理では、オープニングコマンドを解析して、その解析結果に基づいて、これから実行される大当たり遊技のオープニングに応じた大当たりオープニング演出を実行するか否かを判定し、実行するのであれば大当たりオープニング演出の演出内容（大当たりオープニング演出パターン）を選択し、選択した大当たりオープニング演出パターンにて大当たりオープニング演出を開始するための大当たりオープニング演出開始コマンドを演出用ＲＡＭ１２４の出力バッファにセットする。
【０３８４】
ステップＳ４３１５において、演出制御用マイコン１２１は、遊技制御基板１００からラウンド数指定コマンドを受信したか否か、言い換えれば、ラウンド数指定コマンドを受信バッファに格納したか否かを判定する。ラウンド数指定コマンドを受信していなければ（Ｓ４３１５でＮＯ）、ステップＳ４３１７に進む一方、ラウンド数指定コマンドを受信していれば（Ｓ４３１５でＹＥＳ）、ラウンド遊技の開始に伴うラウンド演出開始処理を行う（Ｓ４３１６）。
【０３８５】
演出制御用マイコン１２１は、ラウンド演出開始処理では、ラウンド数指定コマンドを解析して、これから開始されるラウンド遊技に応じたラウンド演出を実行するか否かを判定し、実行するのであればラウンド演出の演出内容（ラウンド演出パターン）を選択し、選択したラウンド演出パターンに応じたラウンド演出開始コマンドを演出用ＲＡＭ１２４の出力バッファにセットする。
【０３８６】
ステップＳ４３１７において、演出制御用マイコン１２１は、遊技制御基板１００からエンディングコマンドを受信したか否か、言い換えれば、エンディングコマンドを受信バッファに格納したか否かを判定する。エンディングコマンドを受信していなければ（Ｓ４３１７でＮＯ）、受信コマンド解析処理を終える一方、エンディングコマンドを受信していれば（Ｓ４３１７でＹＥＳ）、大当たり遊技のエンディングの開始に伴う大当たりエンディング演出開始処理（Ｓ４３１８）、および演出モード設定処理（Ｓ４３１９）を行ってから受信コマンド解析処理を終える。
【０３８７】
演出制御用マイコン１２１は、大当たりエンディング演出開始処理において、エンディングコマンドを解析して、これから実行される大当たり遊技のエンディングに応じた大当たりエンディング演出を実行するか否かを判定し、実行するのであれば大当たりエンディング演出の演出内容（大当たりエンディング演出パターン）を選択し、選択した大当たりエンディング演出パターンに応じた大当たりエンディング演出開始コマンドを演出用ＲＡＭ１２４の出力バッファにセットする。
【０３８８】
また、演出制御用マイコン１２１は、演出モード設定処理において、エンディングコマンドの解析結果、具体的には、エンディングコマンドが示す大当たり図柄に基づいて、大当たり遊技後の演出モードを設定する処理（演出モードを制御するための処理）を行う。
【０３８９】
例えば、演出制御用マイコン１２１は、大当たりエンディングコマンドが示す大当たり図柄が、大当たり図柄Ａ、または大当たり図柄Ｄであると、高確率高ベース遊技状態を示唆する確変演出モードに設定する。そして、確変演出モードを示す演出モードフラグを演出用ＲＡＭ１２４の所定領域にＯＮすると共に、確変演出モードを設定することを示す確変演出モード開始コマンドを演出用ＲＡＭ１２４の出力バッファにセットする。演出用ＲＡＭ１２４の出力バッファにセットされた確変演出モード開始コマンドが、コマンド送信処理（Ｓ４００４）により画像制御基板１４０に送信されると、画像制御基板１４０の画像用ＣＰＵ１４１は、エンディングが終了するタイミングで、背景画像として確変用背景画像Ｇ１２０を表示し、ＢＧＭとして確変用ＢＧＭを出力する。
【０３９０】
また、演出制御用マイコン１２１は、大当たりエンディングコマンドが示す大当たり図柄が、大当たり図柄Ｂ、大当たり図柄Ｃ、または大当たり図柄Ｅであると、高確率高ベース遊技状態、または低確率高ベース遊技状態の何れであるか判別困難、または判別不可能な時短演出モードを設定する。そして、演出制御用マイコン１２１は、時短演出モードを示す演出モードフラグを演出用ＲＡＭ１２４の所定領域にＯＮすると共に、時短演出モードを設定することを示す時短演出モード開始コマンドを演出用ＲＡＭ１２４の出力バッファにセットする。演出用ＲＡＭ１２４の出力バッファにセットされた時短演出モード開始コマンドが、コマンド送信処理（Ｓ４００４）により画像制御基板１４０に送信されると、画像制御基板１４０の画像用ＣＰＵ１４１は、エンディングが終了するタイミングで、背景画像として時短用背景画像Ｇ１３０を表示し、ＢＧＭとして時短用ＢＧＭを出力する。
【０３９１】
＜第１実施形態＞
次に、前述の本発明に係る基本的な実施形態に基づいて、本発明に係る第１実施形態について説明する。以下においては、主に、第１実施形態として、基本的な実施形態と異なる点について説明する。また、基本的な実施形態と同一の構成、または同様に対応する構成については同一の符号、および用語を用いる。
【０３９２】
基本的な実施形態では、特図変動パターンに基づく特図変動演出の演出フローを構成する演出（以下において、「フロー構成演出」という）として、通常変動、Ｎリーチ、ＬリーチおよびＳＰリーチが実行可能であった。Ｎリーチ、Ｌリーチ、およびＳＰリーチなどのリーチ演出は、特図変動演出が開始したことを示唆する通常変動よりも、遊技者に有利な遊技状態（大当たり）になる可能性が高いことを示唆する演出として、通常変動から発展的に実行される。第１実施形態では、これらの通常変動やリーチ演出とは別に、実行されない場合よりも実行された場合の方が遊技者に有利な遊技状態（大当たり）になる可能性が高いことを示唆する予告演出が実行されることがある。言い換えると、予告演出が実行されること自体が、遊技者に有利な遊技状態（大当たり）になることに対するチャンスアップとなる。予告演出は、フロー構成演出が実行されているときに、フロー構成演出に重畳的に、あるいは並行して実行される。
【０３９３】
パチンコ遊技機ＰＹ１では、予告演出として、第１予告演出、第２予告演出、第３予告演出、および第４予告演出が実行される。各予告演出の具体的な演出内容は後述するが、第１予告演出、および第２予告演出は、Ｎリーチにおいて実行され、第３予告演出、および第４予告演出は、ＳＰリーチにおいて実行される。ＳＰリーチは、Ｎリーチの後に発展的に実行されるので、第１予告演出、および第２予告演出が実行されるタイミングは、第３予告演出、および第４予告演出が実行されるタイミングよりも早い。
【０３９４】
また、第１予告演出、第２予告演出、第３予告演出、および第４予告演出は表示部５０ａにおいて所定の画像を用いて実行される。そして、第２予告演出と第３予告演出は、共通する特定キャラクターおよび特定アイテムを表す画像を用いた演出、言い換えると共通のモチーフを題材とした演出である。また、第４予告演出は、特定キャラクターと異なるキャラクターを表す画像を用いた演出である。
【０３９５】
第２予告演出は、特定キャラクターが特定アイテムを用いて複数回の動作を行う動画を表示する演出である一方、第３予告演出は、第２予告演出に係る特定の１つの動作を切り取った一場面を表す静止画を表示する演出である。よって、第２予告演出では、特定キャラクターおよび特定アイテムという共通の題材（共通題材）が第１表示態様で表示され、第３予告演出では、共通題材が第１表示態様と異なる第２表示態様で表示されることになる。
【０３９６】
また、第４予告演出は、特定キャラクターと異なるキャラクターを表す静止画を表示する演出である。よって、第３予告演出と第４予告演出は、所定のオブジェクトを表す静止画を表示するという点で共通しているが、表示態様、詳細には表示内容の点で相違する。
【０３９７】
さらに、第１実施形態では、第１予告演出、および第２予告演出の何れかが実行される可能性があることを示唆する演出（展開先選択演出）が実行されることがある。展開先選択演出の具体的な演出内容は後述するが、展開先選択演出は、通常変動で実行される。よって、展開先選択演出が実行されるタイミングは、第１予告演出、第２予告演出、第３予告演出、および第４予告演出が実行されるタイミングよりも前である。また、展開先選択演出は、表示部５０ａにおいて所定の画像を用いて実行される。
【０３９８】
次に、各予告演出、および展開先選択演出の具体例について説明する。最初に、第１予告演出について説明する。図４８は、表示部５０ａにおいて第１予告演出が実行されている様子を表す図である。
【０３９９】
第１予告演出は、通称「ゾーン演出」で構成される。第１予告演出が実行される場合は、図４８（Ａ）に示すように、Ｎリーチが実行された直後に、第１予告演出が開始される。図４８（Ｂ）に示すように、第１予告演出の開始時には、第１予告演出が開始されたことを示唆する第１予告演出開始示唆画像Ｇ４０が、Ｎリーチが開始する直前まで表示されていた通常用背景画像（図４８（Ｂ）では第１通常用背景画像Ｇ１１１）にそのまま重畳的に表示される。そして、第１予告演出開始示唆画像Ｇ４０が所定時間（例えば、２秒）表示された後に、第１予告演出開始示唆画像Ｇ４０が消去されると共に、図４８（Ｃ）に示すように、第１予告演出が実行されていることを示唆する第１予告演出実行中示唆画像Ｇ４１が通常用背景画像（図４８（Ｂ）では第１通常用背景画像Ｇ１１１）に重畳的に表示される。
【０４００】
第１予告演出開始示唆画像Ｇ４０および第１予告演出実行中示唆画像Ｇ４１の具体的な表示内容は特に限定されないが、第１実施形態では、第１予告演出開始示唆画像Ｇ４０は、当該第１予告演出の名称（第１実施形態では「○×ゾーン」）を表す文字を含んでおり、タイトルのように表示され、第１予告演出実行中示唆画像Ｇ４１も当該第１予告演出の名称（第１実施形態では「○×ゾーン」）を表す文字を含んでおり、第１予告演出の名称を表す文字の部分が一定方向に（例えば、上から下に）スクロール表示される。
【０４０１】
そして、第１予告演出が実行された場合には、その後に必ずＬリーチまたはＳＰリーチが実行されるが、第１予告演出はＮリーチと共に終了し、Ｎリーチの終了に伴ってＬリーチおよびＳＰリーチが開始する。なお、第１予告演出が終了する際に、第１予告演出実行中示唆画像Ｇ４１は消去される。
【０４０２】
次に、図４９〜図５２を用いて第２予告演出について説明する。図４９〜図５２は、表示部５０ａにおいて第２予告演出が実行されている様子を表す図である。前述したように、第２予告演出は、特定キャラクターが特定アイテムを用いて複数回（第１実施形態では、３回）の動作を行う動画の表示で構成される。特定キャラクターおよび特定アイテムの具体的な内容は特に限定されないが、特定キャラクターが主人公キャラクターで構成され、特定アイテムがけん玉で構成されている。そして、動画からなる第２予告演出の演出内容として、主人公キャラクターがけん玉の技を複数回行うというストーリーが展開される。
【０４０３】
第２予告演出が実行される場合は、図４９（Ａ）に示すように、Ｎリーチが実行された直後に、第２予告演出が開始する。第２予告演出が開始すると、図４９（Ｂ）に示すように、それまで表示されていた通常用背景画像（図４９（Ａ）では第１通常用背景画像Ｇ１１１）から、第２予告演出専用の背景画像（第２予告演出用背景画像Ｇ１１６）に切り替わる。この第２予告演出用背景画像Ｇ１１６において、主人公キャラクターがけん玉の技を複数回行うというストーリーが動画で展開される。
【０４０４】
第２予告演出を構成する第２予告演出用背景画像Ｇ１１６では、最初に図４９（Ｂ）に示すように、けん玉を持った主人公キャラクターが登場する場面が表示される。
【０４０５】
次に、主人公キャラクターは、図５０（Ａ）〜図５０（Ｃ）に示すように、１回目の動作として技「大皿」を行って球を大皿に乗せ、続いて図５１（Ａ）〜図５１（Ｃ）に示すように、２回目の動作として技「中皿」を行って球を中皿に乗せる。そして、最後に主人公キャラクターは、図５２（Ａ）〜図５２（Ｄ）に示すように、３回目の動作として技「１回転飛行機」を行って、けんを一回転させてけん先を玉の穴に入れる。
【０４０６】
ここで、図５０〜図５２に示すように、１回目の動作を行っているとき、および２回目の動作を行っているときは、主人公キャラクターの全身が映るように同一の大きさで表示される。一方、３回目の動作の開始時は、１回目、および２回目と同様に主人公キャラクターは全身が映るように表示されているが（図５２（Ａ））、次には膝から上が映るように表示され（図５２（Ｂ））、続いて、腰下辺りから上が映るように表示され、最後には腰上辺りから上が映るように表示される。すなわち、３回目の動作では、主人公キャラクター、およびけん玉が徐々に拡大される。よって、１回目の動作に係る技のキメの場面（大皿が成功する場面）、および２回目の動作に係る技のキメの場面（中皿が成功する場面）に比べて、３回目の動作に係る技のキメの場面（１回転飛行機が成功する場面）での方が、主人公キャラクター、およびけん玉が大きく表示される。
【０４０７】
なお、図５０〜図５２には図示されていないが、第２予告演出における各動作に係る技のキメの場面（各技が成功する場面）では、技のキメに応じた効果音が出力される。具体的には、１回目の動作に係る技のキメの場面（大皿が成功する場面）では、玉が大皿に乗る第１特定音（コン）がスピーカー５２から出力される。２回目の動作に係る技のキメの場面（中皿が成功する場面）では、玉が中皿に乗る第２特定音（コツン）がスピーカー５２から出力される。そして、３回目の動作に係る技のキメの場面（１回転飛行機が成功する場面）では、けん先が玉の穴に入る第３特定音（グサ）がスピーカー５２から出力される。なお、３回目の動作は、１回目の動作および２回目の動作よりも勢いよく行われているので、第３特定音の音量は第１特定音および第２特定音の音量よりも大きい。また、第１特定音の音量と第２特定音の音量は同一である。
【０４０８】
このように、第２予告演出において、３回目の動作に係る技のキメがなされる（１回転飛行機が成功する）と、当該第２予告演出が終了すると共にＮリーチが終了し、ＬリーチまたはＳＰリーチに発展する。なお、ＬリーチまたはＳＰリーチに発展する際に、第２予告演出用背景画像Ｇ１１６からＬリーチ用背景画像Ｇ１１４またはＳＰリーチ用背景画像Ｇ１１５に切り替わる。
【０４０９】
次に、図５３を用いて第３予告演出について説明する。図５３は、表示部５０ａにおいて第３予告演出が実行されている様子を表す図である。前述したように、第３予告演出は、第２予告演出に係る特定の１つの動作を切り取った一場面を表す静止画の表示で構成される。具体的には、第３予告演出は、第２予告演出における３回目の動作に係る技のキメの場面（１回転飛行機が成功する場面）を表す静止画の表示で構成される。
【０４１０】
第３予告演出が実行される場合は、前述したようなＳＰリーチの当落分岐点を迎える直前で、通称「カットイン予告」として実行される。具体的には、図５３（Ａ）に示すように、ＳＰリーチ用背景画像Ｇ１１５において所定のストーリーが展開し、当落分岐点の直前まで進行したときに、図５３（Ｂ）に示すように、第３予告演出に対応付けられた画像（第３予告演出画像Ｇ４２）が一瞬、表示部５０ａの全体に表示（カットイン）される。そして、図５３（Ｃ）に示すように、第３予告演出画像Ｇ４２が直ぐに消えると共に、ＳＰリーチの当落分岐点が到来しているＳＰリーチ用背景画像Ｇ１１６が表示される。
【０４１１】
前述したように、第３予告演出画像Ｇ４２は静止画で構成されており、第２予告演出における３回目の動作に係る技のキメの場面（１回転飛行機が成功する場面）を表している。ここで、第２予告演出用背景画像Ｇ１１６は、白黒やカラーを含む多数（例えば、１０色以上）の色を用いて（多彩に、色とりどりに）表されているのに対して、第３予告演出画像Ｇ４２は、モノクロームの版画のように表されている。すなわち、第２予告演出用背景画像Ｇ１１６における３回目の動作に係る技のキメの場面の線画部分（主人公キャラクターおよびけん玉を区画する（縁取る））と第３予告演出画像Ｇ４２における線画部分（主人公キャラクターおよびけん玉を区画する（縁取る））とは略同一であり、第２予告演出用背景画像Ｇ１１６と第３予告演出画像Ｇ４２を重ね合わせると、線画部分は大体重なるが、その線画部分以外の部分に付される色彩が異なる。これと合わせて、第２予告演出は動画の表示で構成され、第３予告演出は静止画の表示で構成されていることから、第３予告演出に比べて、第２予告演出の方が派手、賑やか、もしくは華やか、言い換えると、演出度合いが高いということができる。また、第３予告演出画像Ｇ４２には、第２予告演出において主人公キャラクターが行う動作を表す文字も含まれている。第１実施形態では、この文字は「ＫＥＮＤＡＭＡ」で構成されている。
【０４１２】
なお、第３予告演出画像Ｇ４２は、第２予告演出における３回目の動作に係る技のキメの場面（１回転飛行機が成功する場面）を表しているが、第２予告演出で当該場面が表示されるときのように効果音（第３特定音）は出力されない。すなわち、第２予告演出は画像および音声の双方が含まれるように構成されているが、第３予告演出は画像が含まれるが音声は含まれないように構成されている。
【０４１３】
次に、図５４を用いて第４予告演出について説明する。図５４は、表示部５０ａにおいて第４予告演出が実行されている様子を表す図である。前述したように、第４予告演出は、第２予告演出に係る動画や第３予告演出に係る静止画で表される特定キャラクターと異なるキャラクターを表す静止画の表示で構成される。
【０４１４】
第４予告演出が実行される場合は、ＳＰリーチが開始した直後に、通称「カットイン予告」として実行される。具体的には、図５４（Ａ）に示すように、ＳＰリーチが開始されてＳＰリーチ用背景画像Ｇ１１５においてＳＰリーチが開始されたことを表すＳＰリーチ開始タイトル画像Ｇ１１が表示されたときに、図５４（Ｂ）に示すように、第４予告演出に対応付けられた画像（第４予告演出用画像Ｇ４３）が一瞬、表示部５０ａの全体に表示（カットイン）される。そして、図５４（Ｃ）に示すように、第４予告演出画像Ｇ４３が直ぐに消えると共に、ＳＰリーチ用背景画像Ｇ１１５に戻って、主人公キャラクターと敵キャラクターが対峙しているシーンが表示される。
【０４１５】
なお、第４予告演出用画像Ｇ４３には、第２予告演出に係る動画や第３予告演出に係る静止画で表される特定キャラクターと異なるキャラクター、具体的にはＳＰリーチに係る演出内容である野球の試合の実況者、および解説者が静的に表示されている。
【０４１６】
次に、図５５〜図５９を用いて展開先選択演出について説明する。図５５〜図５９は、表示部５０ａにおいて展開先選択演出が実行されている様子を表す図である。展開先選択演出は、当該演出の後に展開（実行）される可能性がある複数の演出の中から１つの演出を選択する演出である。展開先選択演出では、演出に対応付けられた複数の選択肢（展開先候補）が提示された後に、複数の選択肢（展開先候補）の中から１つの選択肢（展開先候補）が選択される。そして、展開先選択演出の後には、当該展開先選択演出で選択された選択肢（展開先候補）に対応付けられた演出が実行される。すなわち、展開先選択演出は、各選択肢に対応付けられた演出が実行される可能性があることを示唆する演出である。
【０４１７】
前述したとおり、展開先選択演出の選択肢として、第１予告演出、および第２予告演出が設けられているが、第１実施形態では、第１予告演出、および第２予告演出以外にも、リーチの成立とハズレを示す態様の演出図柄ＥＺ１〜ＥＺ３の停止表示（ハズレ）が選択肢に含まれている。すなわち、展開先選択演出は、第１予告演出が実行される可能性があること、第２予告演出が実行される可能性があること、リーチが成立する可能性があること、およびハズレを示す態様の演出図柄ＥＺ１〜ＥＺ３の停止表示が実行される可能性があることを示唆する演出である。そして、展開先選択演出では、最終的に、選択肢としての第１予告演出、第２予告演出、リーチの成立、およびハズレを示す態様の演出図柄ＥＺ１〜ＥＺ３の停止表示の中から１つの演出が選択され、当該展開先選択演出の後には選択された演出が実行される。
【０４１８】
また、後述するように、展開先選択演出は、ＳＰリーチ変動、Ｌリーチ変動、Ｎハズレ変動、および通常Ａハズレ変動に係る特図変動演出において実行可能である。そして、展開先選択演出が実行される場合は、これらの特図変動演出における通常変動で実行される。
【０４１９】
次に、展開先選択演出の具体例について説明する。図５５（Ａ）は、展開先選択演出が開始される前の様子を表す図であり、図５５（Ｂ）は、展開先選択演出が開始されたときの様子を表す図であり、図５５（Ｃ）〜図５５（Ｆ）は、展開先選択演出が実行されている途中の様子を表す図である。
【０４２０】
図５５（Ａ）に示すように、特図変動演出が開始されてから所定時間（例えば、５秒）が経過したときに、図５５（Ｂ）に示すように、展開先選択演出が開始される。展開先選択演出では、展開先選択演出に対応付けられた画像（展開先選択演出画像Ｇ４４）が表示される。展開先選択演出画像Ｇ４４は表示部５０ａの全体に表示される。よって、展開先選択演出が開始されるとそれまで表示されていた通常用背景画像（図５５（Ａ）では、第１通常用背景画像Ｇ１１１）から展開先選択演出画像Ｇ４４に切り替えられる。
【０４２１】
なお、通常変動においては第１通常用背景画像Ｇ１１１などの背景画像に重畳的に演出図柄ＥＺ１〜ＥＺ３が高速で変動表示されるように、展開先選択演出画像Ｇ４４が表示されているときにも、展開先選択演出画像Ｇ４４に重畳的に演出図柄ＥＺ１〜ＥＺ３が高速で変動表示されるが、図５５〜図５９においては、便宜上、演出図柄ＥＺ１〜ＥＺ３の図示を省略する。
【０４２２】
展開先選択演出画像Ｇ４４は、当該展開先選択演出の後に実行される可能性がある演出に対応付けられた選択肢を示唆する選択肢示唆画像Ｇ４４ａと、選択されている選択肢を表すカーソルＧ４４ｂとを含む。選択肢示唆画像Ｇ４４ａは、表示部５０ａの全体に表示され、上下および左右で略均等に４つの領域に分割される。そして、これらの各領域が各選択肢（展開先候補）を表している。具体的には、選択肢示唆画像Ｇ４４ａにおいて４つに分割された中の左上の領域がハズレを示す態様の演出図柄ＥＺ１〜ＥＺ３の停止表示を表し、右上の領域がリーチの成立を表し、右下の領域が第１予告演出を表し、左下の領域が第２予告演出を表している。そこで、以下において、選択肢示唆画像Ｇ４４ａに係る「左上の領域」を「ハズレ示唆領域Ｇ４４ａ１」と称し、「右上の領域」を「リーチ示唆領域Ｇ４４ａ２」と称し、「右下の領域」を「第１予告演出示唆領域Ｇ４４ａ３」と称し、「左下の領域」を「第２予告演出示唆領域Ｇ４４ａ４」と称する。また、カーソルＧ４４ｂは、展開先選択演出の選択肢を表す各示唆領域Ｇ４４ａ１〜Ｇ４４ａ４の縁部分に沿った矩形状の枠で構成されている。
【０４２３】
ハズレ示唆領域Ｇ４４ａ１には、ハズレを示す態様の演出図柄ＥＺ１〜ＥＺ３の停止表示を示唆する用語「ハズレ」が表示され、リーチ示唆領域Ｇ４４ａ２には、リーチの成立を示唆する用語「リーチ」が表示されている。さらに、第１予告演出示唆領域Ｇ４４ａ３には、第１予告演出が表示部５０ａで普通に行われるように第１予告演出開始示唆画像Ｇ４０が表示され、第２予告演出示唆領域Ｇ４４ａ４には、第２予告演出が表示部５０ａで普通に行われるように第２予告演出における１回目の動作に係る技のキメの場面（大皿が成功する場面）が表示されている。
【０４２４】
また、第１予告演出示唆領域Ｇ４４ａ３は表示部５０ａを略均等に４分割したうちの１つに表示されており、前述のように第１予告演出は表示部５０ａの全体で行われているので、第１予告演出示唆領域Ｇ４４ａ３に含まれる第１予告演出開始示唆画像Ｇ４０は、第１予告演出が実行される場合に比べて１／４の大きさで表示される。同様に、第２予告演出示唆領域Ｇ４４ａ４は表示部５０ａを略均等に４分割したうちの１つに表示されており、前述のように第２予告演出は表示部５０ａの全体で行われているので、第２予告演出示唆領域Ｇ４４ａ４に表示される第２予告演出における１回目の動作に係る技のキメの場面（大皿が成功する場面）は、第２予告演出が実行される場合に比べて１／４の大きさで表示される。
【０４２５】
また、展開先選択演出画像Ｇ４４の表示が開始されたとき、カーソルＧ４４ｂはハズレ示唆領域Ｇ４４ａ１に合った状態で表示される。その後、カーソルＧ４４ｂは、合わさる示唆領域Ｇ４４ａ１〜Ｇ４４ａ４が次々に変更されるように移動を繰り返す。カーソルＧ４４ｂが合っていることが、その示唆領域Ｇ４４ａ１〜Ｇ４４ａ４が選択されていることを表している。
【０４２６】
第１実施形態では、最初にハズレ示唆領域Ｇ４４ａ１に合った状態で表示されたカーソルＧ４４ｂは、表示直後から、図５５（Ｃ）〜図５５（Ｆ）に示すように、一定の時間間隔（一定の速さ）でリーチ示唆領域Ｇ４４ａ２→第１予告演出示唆領域Ｇ４４ａ３→第２予告演出示唆領域Ｇ４４ａ４→ハズレ示唆領域Ｇ４４ａ１・・・と時計回りで順番に移動し続ける。そして、このカーソルＧ４４ｂの移動は所定時間（例えば、３秒間）行われる。すなわち、移動し始めたカーソルＧ４４ｂは、展開先選択演出が開始されてから所定時間（例えば、３秒間）が経過したときに、示唆領域Ｇ４４ａ１〜Ｇ４４ａ４の何れかで停止する。
【０４２７】
なお、カーソルＧ４４ｂは、示唆領域Ｇ４４ａ１〜Ｇ４４ａ４を順番に移動していくが、カーソルＧ４４ｂが合っている１つの示唆領域Ｇ４４ａ１〜Ｇ４４ａ４は相対的に視認容易に表示され、カーソルＧ４４ｂが合っていない他の示唆領域Ｇ４４ａ１〜Ｇ４４ａ４は相対的に視認困難に表示される。第１実施形態では、カーソルＧ４４ｂが合っている１つの示唆領域Ｇ４４ａ１〜Ｇ４４ａ４はクリアに表示され、カーソルＧ４４ｂが合っていない他の示唆領域Ｇ４４ａ１〜Ｇ４４ａ４は半透明のグレーのフィルムで覆われているように表示される。
【０４２８】
そして、カーソルＧ４４ｂが停止すると、続いて停止が確定したことを表すために、カーソルＧ４４ｂが停止して合っている１つの示唆領域Ｇ４４ａ１〜Ｇ４４ａ４が強調されるように表示される。第１実施形態では、この強調的な表示（強調表示）として、カーソルＧ４４ｂが停止して合っている１つの示唆領域Ｇ４４ａ１〜Ｇ４４ａ４が他の示唆領域Ｇ４４ａ１〜Ｇ４４ａ４から切り離されたように表示部５０ａの中央まで移動して確定的に停止すると共に、それ以外の他の示唆領域Ｇ４４ａ１〜Ｇ４４ａ４が消える。
【０４２９】
示唆領域Ｇ４４ａ１〜Ｇ４４ａ４の強調表示が行われると、次には強調表示がなされた示唆領域Ｇ４４ａ１〜Ｇ４４ａ４に対応付けられた演出が実行（展開）される。よって、この強調表示は、次に展開する演出を強調付けて示唆する演出と位置づけることもできる。そこで、以下において、この示唆領域Ｇ４４ａ１〜Ｇ４４ａ４の強調表示のことを全般的に「展開先強調演出」と総称することもある。なお、展開先強調演出が開始してから所定時間（例えば、１秒）が経過すると、当該展開先強調演出が終了し、展開先強調演出の対象であった示唆領域Ｇ４４ａ１〜Ｇ４４ａ４が消える。
【０４３０】
例えば、図５６（Ａ）に示すように、最終的にカーソルＧ４４ｂがハズレ示唆領域Ｇ４４ａ１に停止すると、続いて、展開先強調演出として、図５６（Ｂ）に示すように、ハズレ示唆領域Ｇ４４ａ１のみが残りつつ表示部５０ａの略中央まで移動して確定的に停止する（ハズレ示唆領域Ｇ４４ａ１の強調表示がなされる）。そして、展開先強調演出が終了してハズレ示唆領域Ｇ４４ａ１が消去された後に、図５６（Ｃ）に示すように、リーチ無しハズレを示す態様の演出図柄ＥＺ１〜ＥＺ３の停止表示となるように演出図柄ＥＺ１〜ＥＺ３が次々に停止する。
【０４３１】
また、図５７（Ａ）に示すように、最終的にカーソルＧ４４ｂがリーチ示唆領域Ｇ４４ａ２に停止すると、続いて、展開先強調演出として、図５７（Ｂ）に示すように、リーチ示唆領域Ｇ４４ａ２のみが残りつつ表示部５０ａの略中央まで移動して確定的に停止する（リーチ示唆領域Ｇ４４ａ２の強調表示がなされる）。そして、展開先強調演出が終了してリーチ示唆領域Ｇ４４ａ２が消去された後に、図５７（Ｃ）に示すように、左演出図柄ＥＺ１、および右演出図柄ＥＺ３が同じ種類の演出図柄で停止してリーチが成立し、Ｎリーチに発展する。
【０４３２】
また、図５８（Ａ）に示すように、最終的にカーソルＧ４４ｂが第１予告演出示唆領域Ｇ４４ａ３に停止すると、続いて、展開先強調演出として、図５８（Ｂ）に示すように、第１予告演出示唆領域Ｇ４４ａ３のみが残りつつ表示部５０ａの略中央まで移動して確定的に停止する（第１予告演出示唆領域Ｇ４４ａ３の強調表示がなされる）。そして、展開先強調演出が終了して第１予告演出示唆領域Ｇ４４ａ３が消去された後には、図５８（Ｃ）に示すように、左演出図柄ＥＺ１、および右演出図柄ＥＺ３が同じ種類の演出図柄で停止してリーチが成立してから、Ｎリーチに発展し、図５８（Ｄ）に示すように、Ｎリーチにおいて第１予告演出開始示唆画像Ｇ４０が表示されて第１予告演出が開始される。
【０４３３】
また、図５９（Ａ）に示すように、最終的にカーソルＧ４４ｂが第２予告演出示唆領域Ｇ４４ａ４に停止すると、続いて、展開先強調演出として、図５９（Ｂ）に示すように、第２予告演出示唆領域Ｇ４４ａ４のみが残りつつ表示部５０ａの略中央まで移動して確定的に停止する（第２予告演出示唆領域Ｇ４４ａ４の強調表示がなされる）。そして、展開先強調演出が終了して第２予告演出示唆領域Ｇ４４ａ４が消去された後には、図５９（Ｃ）に示すように、左演出図柄ＥＺ１、および右演出図柄ＥＺ３が同じ種類の演出図柄で停止してリーチが成立してから、Ｎリーチに発展し、図５９（Ｄ）に示すように、Ｎリーチにおいて通常用背景画像（第１通常用背景画像Ｇ１１１）から第２予告演出用背景画像Ｇ１１６に切り替わって第２予告演出が開始される。
【０４３４】
なお、図５６（Ｂ）、図５７（Ｂ）、図５８（Ｂ）、および図５９（Ｂ）に示すように、カーソルＧ４４ｂが停止した示唆領域Ｇ４４ａ１〜Ｇ４４ａ４の強調表示が行われる際には、他の示唆領域Ｇ４４ａ１〜Ｇ４４ａ４が消去されると共に、当該展開先選択演出が開始される前に表示されていた通常用背景画像（図５６〜図５９では、第１通常用背景画像Ｇ１１１）が表示部５０ａに表示される。
【０４３５】
また、カーソルＧ４４ｂが停止した示唆領域Ｇ４４ａ１〜Ｇ４４ａ４の何れかの強調表示では、示唆領域Ｇ４４ａ１〜Ｇ４４ａ４が表示部５０ａの略中央まで移動してきた後に確定的に停止するが、最後の部分に注目すると、各示唆領域Ｇ４４ａ１〜Ｇ４４ａ４は静的に表示されている。したがって、展開先示唆演出は、静止画の表示による演出を含んでいることになる。ここで、第２予告演出示唆領域Ｇ４４ａ４には、第２予告演出における１回目の動作に係る技のキメの場面（大皿が成功する場面）が表示されているので、第２予告演出示唆領域Ｇ４４ａ４に係る強調表示では、第３予告演出と同様に、主人公キャラクター、およびけん玉を表す静止画の表示が行われている。すなわち、第２予告演出に係る動作の所定場面を表す静止画の表示で構成される演出として、第３予告演出、および第２予告演出示唆領域Ｇ４４ａ４に係る強調表示がある。
【０４３６】
このように、展開先選択演出においては、最初、選択肢示唆画像Ｇ４４ａに、複数の選択肢を表す示唆領域Ｇ４４ａ１〜Ｇ４４ａ４が表示された上で、カーソルＧ４４ｂが合わさる示唆領域Ｇ４４ａ１〜Ｇ４４ａ４が次々に変更されるようにカーソルＧ４４ｂが移動を繰り返す演出を行う。これは、展開先選択演出の後に、当該展開先選択演出において最終的にカーソルＧ４４ｂが停止した示唆領域Ｇ４４ａ１〜Ｇ４４ａ４の何れかに対応する演出が実行（展開）されることを鑑みると、このカーソルＧ４４ｂが移動を繰り返す演出は、第１予告演出、第２予告演出、リーチの成立、およびハズレを示す態様の演出図柄ＥＺ１〜ＥＺ３の停止表示という複数の展開先の候補が提示されてその中から選択している演出と位置づけることができる。そこで、この演出のことを「展開先候補提示選択演出」と称する。
【０４３７】
そして、展開先選択演出においては、展開先候補提示選択演出を経て、最終的にカーソルＧ４４ｂが示唆領域Ｇ４４ａ１〜Ｇ４４ａ４の何れか１つに停止し、停止された１つの示唆領域Ｇ４４ａ１〜Ｇ４４ａ４が強調表示されて、その示唆領域Ｇ４４ａ１〜Ｇ４４ａ４が表す演出が実行（展開）される。このカーソルＧ４４ｂの停止、および強調表示によって、当該展開先選択演出の後の複数の展開先の候補の中から１つの展開先が決定され、次に展開される演出を示唆することになるので、この停止および強調表示のことを「展開先示唆演出」と称する。よって、展開先選択演出では、最初に展開先候補提示選択演出が行われ、最終的に展開先示唆演出が行われる。
【０４３８】
また、以下において、カーソルＧ４４ｂがハズレ示唆領域Ｇ４４ａ１で停止し、ハズレ示唆領域Ｇ４４ａ１が強調表示されることは、ハズレを示す態様の演出図柄ＥＺ１〜ＥＺ３の停止表示が実行されることを示唆しているので、この停止および強調表示を含む演出のことを「ハズレ示唆演出」と称する。同様に、カーソルＧ４４ｂがリーチ示唆領域Ｇ４４ａ２で停止し、リーチ示唆領域Ｇ４４ａ２が強調表示されることは、リーチが成立することを示唆しているので、この停止および強調表示を含む演出のことを「リーチ示唆演出」と称する。また、カーソルＧ４４ｂが第１予告演出示唆領域Ｇ４４ａ３で停止し、第１予告演出示唆領域Ｇ４４ａ３が強調表示されることは、第１予告演出が実行されることを示唆しているので、この停止および強調表示を含む演出のことを「第１予告演出示唆演出」と称する。さらに、カーソルＧ４４ｂが第２予告演出示唆領域Ｇ４４ａ４で停止し、第２予告演出示唆領域Ｇ４４ａ４が強調表示されることは、第２予告演出が実行されることを示唆しているので、この停止表示および強調表示を含む演出のことを「第２予告演出示唆演出」と称する。
【０４３９】
さらに、ハズレ示唆演出が行われる展開先選択演出のことを「第１展開先選択演出」と称し、リーチ示唆演出が行われる展開先選択演出のことを「第２展開先選択演出」と称し、第１予告演出示唆演出が行われる展開先選択演出のことを「第３展開先選択演出」と称し、第２予告演出示唆演出が行われる展開先選択演出のことを「第４展開先選択演出」と称する。
【０４４０】
まなお、図５０〜図５９においては、図示が省略されているが、基本的な実施形態で図示したように、特図可変表示に応じて表示部５０ａにおいて小図柄ＫＺ１〜ＫＺ３の変動表示や停止表示が行われているものとする。
【０４４１】
次に、演出制御用マイコン１２１が、予告演出、および展開先選択演出を実行するために行う制御処理（特定演出制御処理）の一例について説明する。
【０４４２】
演出制御用マイコン１２１は、例えば、特図変動開始コマンドを受信した場合に、ステップＳ４３０５の特図変動演出開始時処理において、特図変動演出パターンを決定した後に、第３予告演出を実行するか否かを決定するための処理（第１処理）を行う。演出制御用マイコン１２１は、第１処理において、まずは特図変動開始コマンドがＳＰリーチ変動であるか否かを判定する。第３予告演出はＳＰリーチ中に実行されるからである。ここで、演出制御用マイコン１２１は、ＳＰリーチ変動ではないと判定すると第１処理を終え、ＳＰリーチ変動であると判定すると、第３予告演出を実行するか否かを判定する。第３予告演出を実行するか否かは、第３予告演出実行判定によって決定される。
【０４４３】
第３予告演出実行判定は、第３予告演出実行判定テーブルを参照して実行される。第３予告演出実行判定テーブルは、特図変動開始コマンドが示す特図変動パターンに対応付けて設けられている。ここで、第３予告演出実行判定テーブルの構成例を図６０（Ａ）に示す。図６０（Ａ）に示すように、第３予告演出実行判定テーブルとして、ＳＰ大当たり変動用の第３予告演出実行判定テーブルと、ＳＰハズレ変動用の第３予告演出実行判定テーブルとが設けられている。
【０４４４】
各第３予告演出実行判定テーブルは、第３予告演出に対する「実行する」と「実行しない」の選択率が図６０（Ａ）に示す所定の選択率となるように、適宜に設定されている。図６０（Ａ）に示すように、ＳＰ大当たり変動でもＳＰハズレ変動でも「実行する」が判定される場合がある。よって、第３予告演出が実行されると、当該特図変動表示で大当たりになる可能性がある。しかしながら、ＳＰ大当たり変動である場合に「実行する」と判定される確率自体は１５％でそれほど高くないが、ＳＰハズレ変動である場合に「実行する」と判定される確率は１％であるので、第３予告演出が実行されると大当たりになることが濃厚であるということができる。
【０４４５】
演出制御用マイコン１２１は、第３予告演出実行判定を行うと第１処理を終える。演出制御用マイコン１２１は、第１処理を終えると、第４予告演出を実行するか否かを決定するための処理（第２処理）を行う。演出制御用マイコン１２１は、第２処理において、まずは特図変動開始コマンドがＳＰリーチ変動であるか否かを判定する。第４予告演出は、ＳＰリーチ中に実行されるからである。ここで、演出制御用マイコン１２１は、ＳＰリーチ変動ではないと判定すると第２処理を終え、ＳＰリーチ変動であると判定すると、第４予告演出を実行するか否かを判定する。第４予告演出を実行するか否かは、第４予告演出実行判定によって決定される。
【０４４６】
第４予告演出実行判定は、第４予告演出実行判定テーブルを参照して実行される。第４予告演出実行判定テーブルは、特図変動開始コマンドが示す特図変動パターンに対応付けて設けられている。ここで、第４予告演出実行判定テーブルの構成例を図６０（Ｂ）に示す。図６０（Ｂ）に示すように、第４予告演出実行判定テーブルとして、ＳＰ大当たり変動用の第４予告演出実行判定テーブルと、ＳＰハズレ変動用の第４予告演出実行判定テーブルとが設けられている。
【０４４７】
各第４予告演出実行判定テーブルは、第４予告演出に対する「実行する」と「実行しない」の選択率が図６０（Ｂ）に示す所定の選択率となるように、適宜に設定されている。図６０（Ｂ）に示すように、大当たり変動でもハズレ変動でも「実行する」が判定される場合がある。よって、第４予告演出が実行されると、当該特図変動表示で大当たりになる可能性がある。また、ＳＰ大当たり変動である場合に「実行する」と判定される確率は３０％であり、第３予告演出の場合に比べて高いが、ＳＰハズレ変動である場合に「実行する」と判定される確率は１５％であり、大当たりの場合に「実行する」と判定される確率に対するハズレの場合に「実行する」と判定される確率の割合は、第３予告演出の場合の方が低いので、第３予告演出が実行された場合の方が大当たりになる可能性（大当たり期待度）は高いということができる。
【０４４８】
演出制御用マイコン１２１は、第４予告演出実行判定を行うと第２処理を終える。演出制御用マイコン１２１は、第２処理を終えると、第２予告演出を実行するか否かを決定するための処理（第３処理）を行う。演出制御用マイコン１２１は、第３処理において、まずは特図変動開始コマンドがＳＰリーチ変動、またはＬリーチ変動であるか否かを判定する。第２予告演出は、ＳＰリーチ、またはＬリーチが実行される場合のＮリーチで実行されるからである。ここで、演出制御用マイコン１２１は、ＳＰリーチ変動、またはＬリーチ変動ではないと判定すると第３処理を終え、ＳＰリーチ変動、またはＬリーチ変動であると判定すると、第２予告演出を実行するか否かを判定する。第２予告演出を実行するか否かは、第２予告演出実行判定によって決定される。
【０４４９】
第２予告演出実行判定は、第２予告演出実行判定テーブルを参照して実行される。第２予告演出実行判定テーブルは、特図変動開始コマンドが示す特図変動パターンに対応付けて設けられている。ここで、第２予告演出実行判定テーブルの構成例を図６０（Ｃ）に示す。図６０（Ｃ）に示すように、第２予告演出実行判定テーブルとして、ＳＰ大当たり変動用の第２予告演出実行判定テーブルと、Ｌ大当たり変動用の第２予告演出実行判定テーブルと、ＳＰハズレ変動用の第２予告演出実行判定テーブルと、Ｌハズレ変動用の第２予告演出実行判定テーブルとが設けられている。
【０４５０】
各第２予告演出実行判定テーブルは、第２予告演出に対する「実行する」と「実行しない」の選択率が図６０（Ｃ）に示す所定の選択率となるように、適宜に設定されている。図６０（Ｃ）に示すように、大当たり変動でもハズレ変動でも「実行する」が判定される場合がある。よって、第２予告演出が実行されると、当該特図変動表示で大当たりになる可能性がある。また、ＳＰ大当たり変動、およびＬ大当たり変動である場合に「実行する」と判定される確率は２０％であり、第３予告演出の場合に比べて高いが、ＳＰハズレ変動、およびＬハズレ変動である場合に「実行する」と判定される確率は５％であり、大当たりの場合に「実行する」と判定される確率に対するハズレの場合に「実行する」と判定される確率の割合は、第３予告演出の場合の方が低いので、第３予告演出が実行された場合の方が大当たりになる可能性（大当たり期待度）は高いということができる。
【０４５１】
演出制御用マイコン１２１は、第２予告演出実行判定を行うと第３処理を終える。演出制御用マイコン１２１は、第３処理を終えると、第１予告演出を実行するか否かを決定するための処理（第４処理）を行う。演出制御用マイコン１２１は、第４処理において、まずは、第２予告演出実行判定で第２予告演出を実行すると判定したか否かを判定する。第１実施形態では、１回の特図変動演出で第１予告演出と第２予告演出を重複して実行させないからである。演出制御用マイコン１２１は、第２予告演出を実行すると判定した場合は、第４処理を終え、第２予告演出を実行すると判定していない場合は、次に特図変動開始コマンドがＳＰリーチ変動、またはＬリーチ変動であるか否かを判定する。第１予告演出は、ＳＰリーチ、またはＬリーチが実行される場合のＮリーチで実行されるからである。ここで、演出制御用マイコン１２１は、ＳＰリーチ変動、またはＬリーチ変動ではないと判定すると第４処理を終え、ＳＰリーチ変動、またはＬリーチ変動であると判定すると、第１予告演出を実行するか否かを判定する。第１予告演出を実行するか否かは、第１予告演出実行判定によって決定される。
【０４５２】
第１予告演出実行判定は、第１予告演出実行判定テーブルを参照して実行される。第１予告演出実行判定テーブルは、特図変動開始コマンドが示す特図変動パターンに対応付けて設けられている。ここで、第１予告演出実行判定テーブルの構成例を図５９（Ｃ）に示す。図６０（Ｄ）に示すように、第１予告演出実行判定テーブルとして、ＳＰ大当たり変動用の第１予告演出実行判定テーブルと、Ｌ大当たり変動用の第１予告演出実行判定テーブルと、ＳＰハズレ変動用の第１予告演出実行判定テーブルと、Ｌハズレ変動用の第１予告演出実行判定テーブルとが設けられている。
【０４５３】
各第１予告演出実行判定テーブルは、第１予告演出に対する「実行する」と「実行しない」の選択率が図６０（Ｄ）に示す所定の選択率となるように、適宜に設定されている。図６０（Ｄ）に示すように、大当たり変動でもハズレ変動でも「実行する」が判定される場合がある。よって、第１予告演出が実行されると、当該特図変動表示で大当たりになる可能性がある。また、ＳＰリーチ変動、およびＬリーチ変動の何れの場合も、大当たりである場合に「実行する」と判定される確率は第２予告演出の場合より高く、ハズレである場合に「実行する」と判定される確率は第２予告演出の場合よりも高いが、大当たりの場合に「実行する」と判定される確率に対するハズレの場合に「実行する」と判定される確率の割合は、第１予告演出の場合の方が高いので、第２予告演出が実行された場合の方が大当たりになる可能性（大当たり期待度）は高いということができる。したがって、第１予告演出が実行された場合よりも第２予告演出が実行された場合の方が大当たりになる可能性（大当たり期待度）が高いということができる。
【０４５４】
演出制御用マイコン１２１は、第１予告演出実行判定を行うと第４処理を終える。演出制御用マイコン１２１は、第４処理を終えると、展開先選択演出を実行するか否かを決定するための処理（第５処理）を行う。第５処理では、さらに第４展開先選択演出を実行するか否かを決定するための処理（第５Ａ処理）と、第３展開先選択演出を実行するか否かを決定するための処理（第５Ｂ処理）と、第２展開先選択演出を実行するか否かを決定するための処理（第５Ｃ処理）と、第１展開先選択演出を実行するか否かを決定するための処理（第５Ｄ処理）とに分かれる。演出制御用マイコン１２１は、第５処理において、まずは第５Ａ処理を行い、その次に第５Ｂ処理を行い、続いて第５Ｃ処理を行い、最後に第５Ｄ処理を行う。
【０４５５】
演出制御用マイコン１２１は、第５Ａ処理において、まずは第２予告演出実行判定で第２予告演出を実行すると判定したか否かを判定する。第４展開先選択演出が実行された後に、第２予告演出が行われないと、演出上の矛盾が生じて演出効果が低下するからである。演出制御用マイコン１２１は、第２予告演出を実行すると判定していない場合は、第５Ａ処理を終え、第２予告演出を実行すると判定している場合は、第４展開先選択演出を実行するか否かを判定する。第４展開先選択演出を実行するか否かは、第４展開先選択演出実行判定によって決定される。
【０４５６】
第４展開先選択演出実行判定は、第４展開先選択演出実行判定テーブルを参照して実行される。第４展開先選択演出実行判定テーブルは、特図変動開始コマンドが示す特図変動パターンに対応付けて設けられている。ここで、第４展開先選択演出実行判定テーブルの構成例を図６１（Ａ）に示す。図６１（Ａ）に示すように、第４展開先選択演出実行判定テーブルとして、ＳＰ大当たり変動用の第４展開先選択演出実行判定テーブルと、Ｌ大当たり変動用の第４展開先選択演出実行判定テーブルと、ＳＰハズレ変動用の第４展開先選択演出実行判定テーブルと、Ｌハズレ変動用の第４展開先選択演出実行判定テーブルとが設けられている。
【０４５７】
各第４展開先選択演出実行判定テーブルは、第４展開先選択演出に対する「実行する」と「実行しない」の選択率が図６１（Ａ）に示す所定の選択率となるように、適宜に設定されている。図６１（Ａ）に示すように、大当たり変動でもハズレ変動でも「実行する」が判定される場合がある。よって、第４展開先選択演出が実行されると、当該特図変動表示で大当たりになる可能性がある。つまり、第４展開先選択演出が実行されない場合よりも実行された場合の方が遊技者に有利な遊技状態（大当たり）になる可能性が高いことを示唆するので、言い換えると、第４展開先選択演出が実行されること自体が、遊技者に有利な遊技状態（大当たり）になることに対するチャンスアップになるので、第４展開先選択演出も、予告演出の一種と位置づけることができる。また、第４展開先選択演出実行判定で「実行しない」と判定されることもあるので、第４展開先選択演出が実行されずに第２予告演出が実行されることがある。よって、第４展開先選択演出が実行されない場合でも、第２予告演出の実行に対する期待を持つことができる。
【０４５８】
演出制御用マイコン１２１は、第４展開先選択演出実行判定を行うと第５Ａ処理を終える。演出制御用マイコン１２１は、第５Ａ処理を終えると、第５Ｂ処理を行う。演出制御用マイコン１２１は、第５Ｂ処理において、まずは第１予告演出実行判定で第１予告演出を実行すると判定したか否かを判定する。第３展開先選択演出が実行された後に、第１予告演出が行われないと、演出上の矛盾が生じて演出効果が低下するからである。演出制御用マイコン１２１は、第１予告演出を実行すると判定していない場合は、第５Ｂ処理を終え、第１予告演出を実行すると判定している場合は、第３展開先選択演出を実行するか否かを判定する。第３展開先選択演出を実行するか否かは、第３展開先選択演出実行判定によって決定される。
【０４５９】
第３展開先選択演出実行判定は、第３展開先選択演出実行判定テーブルを参照して実行される。第３展開先選択演出実行判定テーブルは、特図変動開始コマンドが示す特図変動パターンに対応付けて設けられている。ここで、第３展開先選択演出実行判定テーブルの構成例を図６１（Ｂ）に示す。図６１（Ｂ）に示すように、第３展開先選択演出実行判定テーブルとして、ＳＰ大当たり変動用の第３展開先選択演出実行判定テーブルと、Ｌ大当たり変動用の第３展開先選択演出実行判定テーブルと、ＳＰハズレ変動用の第３展開先選択演出実行判定テーブルと、Ｌハズレ変動用の第３展開先選択演出実行判定テーブルとが設けられている。
【０４６０】
各第３展開先選択演出実行判定テーブルは、第３展開先選択演出に対する「実行する」と「実行しない」の選択率が図６１（Ｂ）に示す所定の選択率となるように、適宜に設定されている。図６１（Ｂ）に示すように、大当たり変動でもハズレ変動でも「実行する」が判定される場合がある。よって、第３展開先選択演出が実行されると、当該特図変動表示で大当たりになる可能性がある。つまり、第３展開先選択演出が実行されない場合よりも実行された場合の方が遊技者に有利な遊技状態（大当たり）になる可能性が高いことを示唆するので、言い換えると、第３展開先選択演出が実行されること自体が、遊技者に有利な遊技状態（大当たり）になることに対するチャンスアップになるので、第３展開先選択演出も、予告演出の一種と位置づけることができる。また、第３展開先選択演出実行判定で「実行しない」と判定されることもあるので、第３展開先選択演出が実行されずに第１予告演出が実行されることがある。よって、第３展開先選択演出が実行されない場合でも、第１予告演出の実行に対する期待を持つことができる。
【０４６１】
演出制御用マイコン１２１は、第３展開先選択演出実行判定を行うと第５Ｂ処理を終える。演出制御用マイコン１２１は、第５Ｂ処理を終えると、第５Ｃ処理を行う。演出制御用マイコン１２１は、第５Ｃ処理において、まずは第４展開先選択演出実行判定、および第３展開先選択演出実行判定の何れでも「実行する」と判定しなかったか否かを判定する。第１実施形態では、第２展開先選択演出と、第３展開先選択演出、または第４展開先選択演出とを重複して実行させないからである。演出制御用マイコン１２１は、第４展開先選択演出実行判定、および第３展開先選択演出実行判定の何れかで「実行する」と判定していた場合は、第５Ｃ処理を終え、第４展開先選択演出実行判定、および第３展開先選択演出実行判定の何れでも「実行する」と判定していなかった場合は、特図変動開始コマンドがＳＰリーチ変動、Ｌリーチ変動、またはＮリーチ変動であるか否かを判定する。第２予告演出は、ＳＰリーチ、Ｌリーチ、またはＮリーチが実行される場合の通常変動で実行されるからである。ここで、演出制御用マイコン１２１は、ＳＰリーチ変動、Ｌリーチ変動、またはＮリーチ変動ではないと判定すると第５Ｃ処理を終え、ＳＰリーチ変動、Ｌリーチ変動、またはＮリーチ変動であると判定すると、第２展開先選択演出を実行するか否かを判定する。第２展開先選択演出を実行するか否かは、第２展開先選択演出実行判定によって決定される。
【０４６２】
第２展開先選択演出実行判定は、第２展開先選択演出実行判定テーブルを参照して実行される。第２展開先選択演出実行判定テーブルは、特図変動開始コマンドが示す特図変動パターンに対応付けて設けられている。ここで、第２展開先選択演出実行判定テーブルの構成例を図６１（Ｃ）に示す。図６１（Ｃ）に示すように、第２展開先選択演出実行判定テーブルとして、ＳＰ大当たり変動用の第２展開先選択演出実行判定テーブルと、Ｌ大当たり変動用の第２展開先選択演出実行判定テーブルと、ＳＰハズレ変動用の第２展開先選択演出実行判定テーブルと、Ｌハズレ変動用の第２展開先選択演出実行判定テーブルと、Ｎハズレ変動用の第２展開先選択演出実行判定テーブルとが設けられている。
【０４６３】
各第２展開先選択演出実行判定テーブルは、第２展開先選択演出に対する「実行する」と「実行しない」の選択率が図６１（Ｃ）に示す所定の選択率となるように、適宜に設定されている。図６１（Ｃ）に示すように、大当たり変動でもハズレ変動でも「実行する」が判定される場合がある。よって、第２展開先選択演出が実行されると、当該特図変動表示で大当たりになる可能性がある。つまり、第２展開先選択演出が実行されない場合よりも実行された場合の方が遊技者に有利な遊技状態（大当たり）になる可能性が高いことを示唆するので、言い換えると、第２展開先選択演出が実行されること自体が、遊技者に有利な遊技状態（大当たり）になることに対するチャンスアップになるので、第２展開先選択演出も、予告演出の一種と位置づけることができる。
【０４６４】
また、第２予告演出が実行されることを条件として第４展開先選択演出実行判定が実行され、当該判定で「実行する」と判定されなかった場合に第２展開先選択演出実行判定が実行されることがあるので、第２展開先選択演出実行判定で「実行する」と判定された場合に第２予告演出が実行されることがある。よって、第２展開先選択演出が実行された場合でも、第２予告演出の実行に対する期待を持つことができる。同様に、第１予告演出が実行されることを条件として第３展開先選択演出実行判定が実行され、当該判定で「実行する」と判定されなかった場合に第２展開先選択演出実行判定が実行されることがあるので、第２展開先選択演出実行判定で「実行する」と判定された場合に第１予告演出が実行されることがある。よって、第２展開先選択演出が実行された場合でも、第１予告演出の実行に対する期待を持つことができる。
【０４６５】
演出制御用マイコン１２１は、第２展開先選択演出実行判定を行うと第５Ｃ処理を終える。演出制御用マイコン１２１は、第５Ｃ処理を終えると、第５Ｄ処理を行う。演出制御用マイコン１２１は、第５Ｄ処理において、特図変動開始コマンドが通常Ａハズレ変動であるか否かを判定する。第１展開先選択演出は、通常Ａハズレ変動の場合の通常変動で実行されるからである。ここで、演出制御用マイコン１２１は、通常Ａハズレ変動ではないと判定すると第５Ｄ処理を終え、通常Ａハズレ変動であると判定すると、第１展開先選択演出を実行するか否かを判定する。第１展開先選択演出を実行するか否かは、第１展開先選択演出実行判定によって決定される。
【０４６６】
第１展開先選択演出実行判定は、第１展開先選択演出実行判定テーブルを参照して実行される。第１展開先選択演出実行判定テーブルは、特図変動開始コマンドが示す特図変動パターンに対応付けて設けられている。ここで、第１展開先選択演出実行判定テーブルの構成例を図６１（Ｄ）に示す。図６１（Ｄ）に示すように、第１展開先選択演出実行判定テーブルとして、通常Ａハズレ変動用の第１展開先選択演出実行判定テーブルが設けられている。
【０４６７】
第１展開先選択演出実行判定テーブルは、第１展開先選択演出に対する「実行する」と「実行しない」の選択率が図６１（Ｄ）に示す所定の選択率となるように、適宜に設定されている。
【０４６８】
以上のように、パチンコ遊技機ＰＹ１によれば、遊技者に有利な遊技状態になる可能性があることを示唆する予告演出として、第１予告演出、第２予告演出、第３予告演出、および第４予告演出を実行可能である。ここで、予告演出に係る演出方式（演出態様）としては、第２予告演出が動画で構成され、第３予告演出および第４予告演出が同様に静止画で構成、詳細には通称「カットイン予告」で構成されている。そして、第３予告演出と第４予告演出とは同一の演出方式（演出態様）からなる演出（カットイン予告）であるが、遊技者に有利な遊技状態になる可能性（大当たり期待度）に応じて異なる表示内容（演出態様）となっている上に、第３予告演出では、第２予告演出で用いられている特定キャラクター（主人公キャラクター）、および特定アイテム（けん玉）と同一の特定キャラクター（主人公キャラクター）、および特定アイテム（けん玉）を表す静止画が表示される。すなわち、第３予告演出は、第２予告演出を表す演出（カットイン予告）としても機能するということができる。このように、大当たり期待度に応じて表示内容（演出態様）が異なる演出の１つとして、第３予告演出が実行され、さらに、特定の第２予告演出を表す演出としても第３予告演出が実行されるので、第４予告演出に比べて第３予告演出を印象づけて、第３予告演出の演出効果を向上させることができる。さらに、第２予告演出と第３予告演出とは演出方式（演出態様）が異なるので、第２予告演出と第３予告演出の相乗効果を高めることができる。また、第２予告演出は、第１タイミング（Ｎリーチ中）で実行されることがあり、第３予告演出などは、第１タイミングよりも後の第２タイミング（ＳＰリーチ中）で実行されることがあるので、第２予告演出と第３予告演出の相乗効果をさらに高めることができる。さらに、第１タイミング（Ｎリーチ中）で第２予告演出が実行されなかった場合でも、第２タイミング（ＳＰリーチ中）で第３予告演出が実行されることもあるので、第１タイミング（Ｎリーチ中）で第２予告演出が実行されなかったとしても、第３予告演出の実行による遊技者に有利な遊技状態になる（大当たりになる）ことに対するチャンスアップの期待を持たせることができる。
【０４６９】
また、パチンコ遊技機ＰＹ１によれば、特定キャラクター（主人公キャラクター）、および特定アイテム（けん玉）が表示される演出として、第２予告演出、および第３予告演出があり、第２予告演出が第１タイミング（Ｎリーチ中）に実行され、第３予告演出が第１タイミングと異なる第２タイミング（ＳＰリーチ中）に実行されるので、特定キャラクター（主人公キャラクター）、および特定アイテム（けん玉）が表示される演出の単調化による遊技興趣の低下を抑えることができる。さらに、特定キャラクター（主人公キャラクター）、および特定アイテム（けん玉）が表示される演出が第１タイミングで実行される場合は、動画且つ通常のカラーで実行され、第２タイミングで実行される場合は、静止画且つ版画のようなモノクロで実行される。すなわち、特定キャラクター（主人公キャラクター）、および特定アイテム（けん玉）が表示される演出が第１タイミングで実行される場合は第１表示態様で実行され、第２タイミングで実行される場合は第１表示態様と異なる第２表示態様で実行される。よって、特定キャラクター（主人公キャラクター）、および特定アイテム（けん玉）が表示される演出の単調化をさらに防ぐことができる。また、特定キャラクター（主人公キャラクター）、および特定アイテム（けん玉）が表示される演出のうちの一方（第３予告演出）が実行される第２タイミングは、遊技者に有利な遊技状態になる可能性（大当たり期待度）が高いことを示唆するＳＰリーチが実行されている途中のタイミングであるので、遊技者に有利な遊技状態（大当たり）に対する期待感が高まってドキドキしている状況においても、特定キャラクター（主人公キャラクター）、および特定アイテム（けん玉）が表示される演出の実行を期待させると共に、ＳＰリーチに対する単調化を防ぐことができる。さらに、第１表示態様よりも第２表示態様の方が、演出度合いが低いので、第２予告演出と第３予告演出との間に間にメリハリがつき、特定キャラクター（主人公キャラクター）、および特定アイテム（けん玉）が表示される演出の演出効果が低下することを防ぐことができる。
【０４７０】
また、パチンコ遊技機ＰＹ１によれば、特定キャラクター（主人公キャラクター）、および特定アイテム（けん玉）が表示される演出として、特定キャラクター（主人公キャラクター）、および特定アイテム（けん玉）に関する動画が表示される第２予告演出と、特定キャラクター（主人公キャラクター）、および特定アイテム（けん玉）に関する静止画が表示される第３予告演出、および第２予告演出示唆演出（第４展開先選択演出）とがある。このように、特定キャラクター（主人公キャラクター）、および特定アイテム（けん玉）が表示される演出として、演出方式（演出態様）が異なる複数の演出が実行されるので、特定キャラクター（主人公キャラクター）、および特定アイテム（けん玉）が表示される演出に対する演出効果が向上する。さらに、第３予告演出や第２予告演出示唆演出では、第２予告演出に係る動画の特定の場面を表す静止画が表示されるので、第２予告演出と第３予告演出や第２予告演出示唆演出との関連性が高まり、第２予告演出と第３予告演出や第２予告演出示唆演出との相乗効果が向上して遊技興趣が向上する。また、第３予告演出で表示される静止画が表す第２予告演出に係る動画の場面（第３動作）と、第２予告演出示唆演出で表示される静止画が表す第２予告演出に係る動画の場面（第１動作）とは異なるので、さらに第２予告演出と第３予告演出や第２予告演出示唆演出との相乗効果が向上して遊技興趣が向上する。さらに、第３予告演出が実行されたときと第２予告演出示唆演出が実行されたときとで、遊技者に有利な遊技状態になる可能性が高い（大当たり期待度が高い）ので、特定キャラクター（主人公キャラクター）、および特定アイテム（けん玉）に関する静止画が表示されたときにより一層注目させることができる。
【０４７１】
（第１実施形態の変更例）
次に、第１実施形態に係るパチンコ遊技機ＰＹ１の変更例について説明する。なお、以下に説明する変更例同士を適宜に組み合わせることも可能である。第１予告演出、第２予告演出、第３予告演出、および第４予告演出の具体的な表示内容は第１実施形態に限られず適宜に変更しても良い。例えば、第２予告演出を構成する動画に係る特定キャラクター、特定アイテム、および動作内容を他の内容に変更しても良い。また、特定キャラクターが行う動作の回数を２回以下、もしくは４回以上に変更しても良い。さらには、第２予告演出に係る動画においては特定キャラクター、または特定アイテムの何れか一方のみが表示され、その一方による所定の動作が複数回行われるようにしても良い。また、第２予告演出において、１回目および２回目の動作に係る技のキメの場面よりも３回目の動作に係る技のキメの場面の方が、特定キャラクターおよび特定アイテムが大きく表示されているが、この特定キャラクターおよび特定アイテムの大きさと動作の順番との関係は適宜に変更しても良い。例えば、３回目の動作に係る技のキメの場面よりも１回目および２回目の動作に係る技のキメの場面の方が、特定キャラクターおよび特定アイテムが大きく表示されるようにしても良い。また、動作の順番が高くなるにつれて、または動作の順番が低くなるにつれて、特定キャラクターおよび特定アイテムが徐々に大きく表示されるようにしても良い。また、第２予告演出の変更に伴って、第３予告演出を構成する静止画に係る第２予告演出における場面、および第２予告演出示唆演出を構成する静止画に係る第２予告演出における場面も適宜に変更しても良い。
【０４７２】
また、展開先選択演出では、展開先候補提示選択演出として選択肢示唆画像Ｇ４４ａが表示されて、展開先選択演出の後に実行される可能性がある演出に対応付けられた選択肢が示唆されているが、このような展開先候補提示選択演出を省略して、最初から展開先示唆演出が実行されるようにしてもよい。また、展開先示唆演出の前に、展開先選択演出の後に実行される可能性がある演出に対応付けられた選択肢が提示されないが、何れの種類の展開先示唆演出が実行される場合でも、展開先選択演出の後に実行される可能性がある演出に対応付けられた選択肢が提示されないが、展開先示唆演出が実行されることを示唆する演出を実行するようにしても良い。
【０４７３】
また、特定キャラクターおよび特定アイテムを表す静止画を表示する演出として、第３予告演出が実行され、第３予告演出では、当該静止画が表示部５０ａの全体に表示される通称「カットイン予告」として実行されているが、この静止画の大きさや演出形態は適宜に変更しても良い。例えば、第３予告演出を、通称「台詞予告」のように所定のキャラクターが台詞を発しているような静止画を表示する演出にしても良い。同様に、特定キャラクターおよび特定アイテムを表す静止画を表示する演出として、第２予告演出示唆演出が実行され、第２予告演出示唆演出では、当該静止画が表示部５０ａの一部に表示されているが、この静止画の大きさや演出形態は適宜に変更しても良い。例えば、第２予告演出示唆演出を、通称「カットイン予告」のように表示部５０ａの全体に表示されるようにしても良い。さらには、第３予告演出と第２予告演出示唆演出の何れもカットイン予告で構成されるように、第３予告演出と第２予告演出示唆演出を同一の演出形態で実行するようにしても良い。
【０４７４】
さらに、第１予告演出、および第２予告演出がＮリーチ中に実行され、第３予告演出、および第４予告演出がＳＰリーチ中に実行されているが、各予告演出の実行タイミングは、第３予告演出の実行タイミングが第２予告演出の実行タイミングよりも後のタイミングであるという条件を満たしている範囲で、第１実施形態に限られず適宜に変更しても良い。例えば、第４予告演出を通常変動において実行するようにしても良い。また、Ｎリーチが終了してからＳＰリーチが開始されるまでの間に第２予告演出を実行可能に構成しても良い。さらに、第３予告演出を、ＳＰリーチにおける開始時や中盤などの当落分岐点よりも前のタイミングで実行するようにしても良い。あるいは、第３予告演出を、ＳＰリーチ以外の遊技者に有利な遊技状態（大当たり）になる可能性が高いことを示唆する演出でで実行するようにしても良い。
【０４７５】
また、第１実施形態では、第２予告演出が実行された場合よりも第３予告演出が実行された場合の方が、大当たり遊技が実行される可能性（大当たり期待度）が高くなるように構成されているが、第２予告演出が実行された場合よりも第３予告演出が実行された場合の方が、ラウンド遊技の数が多い、言い換えると当該大当たり遊技で獲得可能な賞球数が多い大当たり遊技が実行される可能性や当該大当たり遊技の後に高確率状態になる可能性が高くなるなど、特定の遊技者に有利な遊技状態になる可能性が高くなるように構成しても良い。
【０４７６】
さらに、第１実施形態では、第４展開先選択演出は、同一の特定キャラクター、および特定アイテムに係る演出として第２予告演出が実行されることを条件として実行され、第２予告演出が実行されることを示唆しているが、これに代えて、同一の特定キャラクター、および特定アイテムに係る演出として第４予告演出が実行されることを条件として実行され、第４予告演出が実行されることを示唆するようにしても良い。あるいは、第４展開先選択演出は、少なくとも第２予告演出か第４予告演出の何れか一方が実行されることを条件として実行され、同一の特定キャラクター、および特定アイテムに係る演出である第２予告演出や第４予告演出が実行されることを示唆するようにしても良い。
【０４７７】
また、第１実施形態では、第２予告演出、および第３予告演出は特図変動演出において実行されているが、大当たり遊技中に実行されるようにしても良い。この場合、第２予告演出が実行された場合よりも第３予告演出が実行された場合の方が、当該大当たり遊技がさらに継続する可能性、もしくは当該大当たり遊技の後に高確率状態になる可能性が高くなるように構成しても良い。この場合、例えば、第２予告演出が実行される場合は、第１のラウンド遊技で実行され、第３予告演出が実行される場合は、第１のラウンド遊技よりも後の第２のラウンド遊技で実行されるようにしても良い。
【０４７８】
さらに、第１実施形態では、第１予告演出、第２予告演出、第３予告演出、および第４予告演出の各予告演出が、通常遊技状態、言い換えると通常演出モードにおいて実行されているが、他の遊技状態や演出モードにおいて実行されるようにしても良い。例えば、第１予告演出、第２予告演出、第３予告演出、および第４予告演出の各予告演出が、高確率高ベース遊技状態（確変演出モード）において実行されるようにしても良い。また、第１予告演出、第２予告演出、第３予告演出、および第４予告演出の各予告演出が、低確率高ベース遊技状態（時短演出モード）において実行されるようにしても良い。
【０４７９】
７．その他の変更例
次に、基本的な実施形態、および第１実施形態に係るパチンコ遊技機ＰＹについてのその他の変更例を以下に説明する。以下、基本的な実施形態、および第１実施形態に係るパチンコ遊技機ＰＹについて「パチンコ遊技機ＰＹなど」という。
【０４８０】
パチンコ遊技機ＰＹなどでは、特図抽選結果を報知するために表示部５０ａを用いて演出図柄ＥＺ１〜ＥＺ３の可変表示を行っているが、画像表示装置に代えて、所謂「回胴式遊技機（スロットマシーン）」のように図柄が表示されたドラムを配設し、当該ドラムを可変表示することによって特図抽選結果を報知してもよい。
【０４８１】
また、パチンコ遊技機ＰＹなどでは、大当たり遊技で大入賞口１４が開放可能であるが、大入賞口１４以外にも大当たり遊技で開放可能な入賞領域を設けても良い。
【０４８２】
また、パチンコ遊技機ＰＹなどでは、特定の大当たり図柄種別に判定されると、必ず大当たり遊技後に高確率状態にて遊技が進行する。すなわち、高確率状態の設定が大当たり図柄種別に対応付けられている。しかしながら、高確率状態の設定条件を変更してもよい。例えば、大入賞装置１４Ｄとは別に、開閉可能であり、開放時に遊技球が入球可能な第２大入賞装置を遊技領域６の遊技球が到達可能な位置に設けておき、大当たり遊技中の所定のラウンド遊技において第２大入賞装置が開放して第２大入賞装置に入球した遊技球が、その下流側に設けられた特定領域を通過すると、大当たり遊技の終了に伴って高確率状態が設定されるようにしてもよい。
【０４８３】
この場合、例えば第２大入賞装置が入球容易な時間（例えば、２９．５秒）開放する特定の大当たり図柄（高確率状態を設定させ易い大当たり図柄）と、第２大入賞装置が入球困難な時間（例えば、０．５秒）開放する非特定の大当たり図柄（高確率状態を設定させ難い大当たり図柄）と、を設けることができる。また、第２大入賞装置に入賞した遊技球が通過可能な領域として特定領域と非特定領域があり、遊技球を特定領域と非特定領域に振り分ける振分装置を設けておく。そして、第２大入賞装置の開放時間は同じであるが、第２大入賞装置の開放態様と振分装置の作動態様との組み合わせで、高確率状態を設定させ易い大当たり図柄と高確率状態を設定させ難い大当たり図柄を設けることも可能である。
【０４８４】
また、パチンコ遊技機ＰＹなどでは、遊技の進行に係る基本的な制御を遊技制御基板１００が行い、遊技の進行（遊技の制御）に応じた演出の進行に係る基本的な制御を演出制御基板１２０が行うというように、遊技の制御と演出の制御とを異なる基板で行っているが、一つの基板で行うよう構成しても良い。この場合、画像制御基板１４０を、その一つの基板に含めても良く、また、その一つの基板とは別に設けても良い。
【０４８５】
また、本発明の遊技機を、アレンジボール機、雀球遊技機等の他の弾球遊技機や回胴式遊技機（所謂「スロットマシーン」）などに適用することも可能である。
【０４８６】
８．前述した実施形態に開示されている発明
この［発明を実施するための形態］における前段落までには、以下の発明Ａ〜発明Ｃが開示されている。発明Ａ〜発明Ｃの説明では、前述した発明を実施する形態における対応する構成の名称や表現、図面に使用した符号を参考のためにかっこ書きで付記している。但し、各発明を構成する手段などの要素はこの付記に限定されるものではない。なお、発明Ａは、以下の発明Ａ１〜Ａ３の総称であり、発明Ｂは、以下の発明Ｂ１〜Ｂ４の総称であり、発明Ｃは、以下の発明Ｃ１〜Ｃ４の総称である。
【０４８７】
８−１−１．発明Ａ１
発明Ａ１に係る遊技機は、
遊技者に有利な有利遊技状態（大当たり遊技状態、高確率状態、時短状態など）になることがある遊技機において、
演出を実行可能な演出制御手段（演出制御用マイコン１２１、ＶＤＰ１４４など）を備え、
前記演出制御手段が実行可能な演出として、前記有利遊技状態になる可能性があることを示唆する特定の予告演出（第２予告演出）と、前記有利遊技状態になる可能性に応じて異なる演出態様で実行される期待度演出（カットイン予告：第３予告演出、第４予告演出）とがあり、
前記期待度演出には、前記特定の予告演出を表す特定の期待度演出（第３予告演出）があることを特徴とする遊技機。
【０４８８】
８−１−２．発明Ａ２
発明Ａ２に係る遊技機は、
発明Ａ１に係る遊技機であって、
前記演出制御手段は、
前記特定の予告演出を、第１のタイミング（Ｎリーチ中）で実行することがあり、
前記期待度演出を、前記第１のタイミングよりも後の第２のタイミング（ＳＰリーチ中）で実行することがあることを特徴とする遊技機。
【０４８９】
８−１−３．発明Ａ３
発明Ａ３に係る遊技機は、
発明Ａ２に係る遊技機であって、
前記演出制御手段は、前記第１のタイミングで前記特定の予告演出を実行しなかった場合に前記第２のタイミングで前記特定の期待度演出を実行することがあることを特徴とする遊技機。
【０４９０】
８−２−１．発明Ｂ１
発明Ｂ１に係る遊技機は、
遊技者に有利な有利遊技状態（大当たり遊技状態、高確率状態、時短状態など）になることがある遊技機において、
演出を実行可能な演出制御手段（演出制御用マイコン１２１、ＶＤＰ１４４など）を備え、
前記演出制御手段は、
特定のオブジェクト（主人公キャラクターおよびけん玉）が表示される予告演出（第２予告演出、第３予告演出）を実行することが可能であり、
第１のタイミング（Ｎリーチ中）で前記予告演出を実行するときと、前記第１のタイミングと異なる第２のタイミング（ＳＰリーチ中）で前記予告演出を実行するときとがあることを特徴とする遊技機。
【０４９１】
８−２−２．発明Ｂ２
発明Ｂ２に係る遊技機は、
発明Ｂ１に係る遊技機であって、
前記第１のタイミングで前記予告演出を実行する場合は、第１の表示態様（通常のカラー／動画）で前記特定のオブジェクトを表示し、
前記第２のタイミングで前記予告演出を実行する場合は、前記第１の表示態様と異なる第２の表示態様（モノクローム／静止画）で前記特定のオブジェクトを表示することを特徴とする遊技機。
【０４９２】
８−２−３．発明Ｂ３
発明Ｂ３に係る遊技機は、
発明Ｂ２に係る遊技機であって、
前記演出制御手段は、前記有利遊技状態になる可能性が高いことを示唆する特定のリーチ演出（ＳＰリーチ）を実行することがあり、
前記第２のタイミングは、前記特定のリーチ演出が実行されている途中のタイミングからなることを特徴とする遊技機。
【０４９３】
８−２−４．発明Ｂ４
発明Ｂ４に係る遊技機は、
発明Ｂ２または発明Ｂ３に係る遊技機であって、
前記第２の表示態様は、前記第１の表示態様よりも演出度合いが低い表示態様であることを特徴とする遊技機。
【０４９４】
８−３−１．発明Ｃ１
発明Ｃ１に係る遊技機は、
遊技者に有利な有利遊技状態（大当たり遊技状態、高確率状態、時短状態など）になることがある遊技機において、
演出を実行可能な演出制御手段（演出制御用マイコン１２１、ＶＤＰ１４４など）を備え、
前記演出制御手段が実行可能な演出として、特定のオブジェクト（主人公キャラクターおよびけん玉）に関する動画が表示される動画予告演出（第２予告演出）と、前記特定のオブジェクトに関する静止画が表示される静止画予告演出（第３予告演出、第２予告演出示唆演出）とがあることを特徴とする遊技機。
【０４９５】
８−３−２．発明Ｃ２
発明Ｃ２に係る遊技機は、
発明Ｃ１に係る遊技機であって、
前記静止画予告演出において、前記動画予告演出に係る動画の特定場面（第１の動作に係る場面、第３の動作に係る場面）を表す特定静止画が表示されることがあることを特徴とする遊技機。
【０４９６】
８−３−３．発明Ｃ３
発明Ｃ３に係る遊技機は、
発明Ｃ２に係る遊技機であって、
前記特定静止画には、前記動画予告演出に係る動画の第１特定場面（第１の動作に係る場面）を表す第１特定静止画と、前記動画予告演出に係る動画の前記第１特定場面と異なる第２特定場面（第３の動作に係る場面）を表す第２特定静止画とがあり、
前記静止画予告演出として、前記第１特定静止画が表示される第１静止画予告演出（第３予告演出）と、前記第２特定静止画が表示される第２静止画予告演出（第２予告演出示唆演出）とがあることを特徴とする遊技機。
【０４９７】
８−３−４．発明Ｃ４
発明Ｃ４に係る遊技機は、
発明Ｃ３に係る遊技機であって、
前記第１静止画予告演出が実行されたときと、前記第２静止画予告演出が実行されたときとで、前記有利遊技状態になる可能性が異なることを特徴とする遊技機。
【符号の説明】
【０４９８】
ＰＹ，ＰＹ１…パチンコ遊技機
１…遊技盤
１１…第１始動口
１１ａ…第１始動口センサ
１２…第２始動口
１２ａ…第２始動口センサ
１４…大入賞口
１４ａ…大入賞口センサ
４０…第１演出ボタン装置
４０ｋ…第１演出ボタン
４０ａ…第１演出ボタンセンサ
４１…第２演出ボタン装置
４１ｋ…第２演出ボタン
４１ａ…第２演出ボタンセンサ
５０…画像表示装置
５０ａ…表示部
５２…スピーカー
５３…枠ランプ
５５…盤可動装置
５５ｋ…盤可動体
１００…遊技制御基板
１０１…遊技制御用マイコン
１２０…演出制御基板
１２１…演出制御用マイコン
１４０…画像制御基板
【図１】
2020099808.tif 000003
【図２】
2020099808.tif 000004
【図３】
2020099808.tif 000005
【図４】
2020099808.tif 000006
【図５】
2020099808.tif 000007
【図６】
2020099808.tif 000008
【図７】
2020099808.tif 000009
【図８】
2020099808.tif 000010
【図９】
2020099808.tif 000011
【図１０】
2020099808.tif 000012
【図１１】
2020099808.tif 000013
【図１２】
2020099808.tif 000014
【図１３】
2020099808.tif 000015
【図１４】
2020099808.tif 000016
【図１５】
2020099808.tif 000017
【図１６】
2020099808.tif 000018
【図１７】
2020099808.tif 000019
【図１８】
2020099808.tif 000020
【図１９】
2020099808.tif 000021
【図２０】
2020099808.tif 000022
【図２１】
2020099808.tif 000023
【図２２】
2020099808.tif 000024
【図２３】
2020099808.tif 000025
【図２４】
2020099808.tif 000026
【図２５】
2020099808.tif 000027
【図２６】
2020099808.tif 000028
【図２７】
2020099808.tif 000029
【図２８】
2020099808.tif 000030
【図２９】
2020099808.tif 000031
【図３０】
2020099808.tif 000032
【図３１】
2020099808.tif 000033
【図３２】
2020099808.tif 000034
【図３３】
2020099808.tif 000035
【図３４】
2020099808.tif 000036
【図３５】
2020099808.tif 000037
【図３６】
2020099808.tif 000038
【図３７】
2020099808.tif 000039
【図３８】
2020099808.tif 000040
【図３９】
2020099808.tif 000041
【図４０】
2020099808.tif 000042
【図４１】
2020099808.tif 000043
【図４２】
2020099808.tif 000044
【図４３】
2020099808.tif 000045
【図４４】
2020099808.tif 000046
【図４５】
2020099808.tif 000047
【図４６】
2020099808.tif 000048
【図４７】
2020099808.tif 000049
【図４８】
2020099808.tif 000050
【図４９】
2020099808.tif 000051
【図５０】
2020099808.tif 000052
【図５１】
2020099808.tif 000053
【図５２】
2020099808.tif 000054
【図５３】
2020099808.tif 000055
【図５４】
2020099808.tif 000056
【図５５】
2020099808.tif 000057
【図５６】
2020099808.tif 000058
【図５７】
2020099808.tif 000059
【図５８】
2020099808.tif 000060
【図５９】
2020099808.tif 000061
【図６０】
2020099808.tif 000062
【図６１】
2020099808.tif 000063